(57)【要約】【課題】本発明は、金属からなる製品のフェンスや門扉、手すりの支柱や車止め及び標識用、案内板用、駐車場ミラー用、のぼり旗用のポールをコンクリートたたき面等に固定や取り付け、取り外し、移動及び可動する結合器であり、なお、ポール独立型式の結合器であって、コンクリートたたき面等にボルトを軸にして方向調節や水平調節ができ、負担を軽減するボルト固定式結合器を提供する。【解決手段】中空型式（１９）の結合器に製品固定用の下孔（２）を設け、底部の三方向に結合器固定ボルトを通す下孔（４）を３箇所設け、下孔（４）と下孔（４）の中間部に水平調節ボルト取り付け用のねじ孔（６）を３箇所設け、底部の中央に軸ボルトを直接に固定し、水抜き孔を１箇所設け、水平調節ボルトを取り付けた、軸ボルト固定式のボルト固定式結合器。【選択図】図１
2005264643.tif 000002
【特許請求の範囲】
【請求項１】
中空型式（１９）の一体型式加工体（１５）の側面に製品固定用の下孔（２）、底部（１２）に結合器固定ボルトを通す下孔（４）、水平調節ボルト（８）取り付け用のねじ孔（６）、水抜き孔（５）、底部（１２）の中央に軸ボルト（７）取り付け用のねじ孔（９）を設け、水平調節ボルト（８）を水平調節ボルト取り付け用のねじ孔（６）に取り付け、軸ボルト（７）をねじ孔（９）に設けた、ボルト固定式結合器。
【請求項２】
加工体（１）と底板（３）からなるボルト固定式結合器。
【請求項３】
加工体（１）と軸棒一体型式底板（３８）からなるボルト固定式結合器。
【請求項４】
一体型式加工体（１５）からなるボルト固定式結合器。
【請求項５】
軸棒一体型式加工体（４０）からなるボルト固定式結合器。
【請求項６】
ポール独立型式（２７）を設けたものからなるボルト固定式結合器。
【請求項７】
傾斜地対応用（３７）を設けたものからなるボルト固定式結合器。
【請求項８】
中空型式（１９）の側面にネジ溝を設けたものからなるボルト固定式結合器。
【請求項９】
V型式（６３）を設けたものからなるボルト固定式結合器。
【請求項１０】
L型式（６４）を設けたものからなるボルト固定式結合器。
【請求項１１】
軸ボルト固定式からなるボルト固定式結合器。
【請求項１２】
軸ボルト着脱式からなるボルト固定式結合器。
【請求項１３】
一般用（２１）、角地用（２２）、塀の天端の角地用（２３）、傾斜地及び平地補強用（３５）、水抜き孔（５）、目印（９５）を設けたものからなるボルト固定式結合器。
【請求項１４】
切り欠き孔（１０）、切り欠き部（１７）、下孔（４５）を設けたものからなるボルト固定式結合器。
【請求項１５】
後付け固定金具（８５）、錠受け（４１）、保持ボルト（３３）、（３４）、コンクリート体（２４）、加工具を付属したものからなるボルト固定式結合器。
【発明の詳細な説明】
【技術分野】
【０００１】
本発明は、金属からなる丸パイプ型式や角パイプ型式及びV型式鋼材やL型式鋼材をフェンスや門扉、手すりの支柱や車止め及び標識用や案内板用、駐車場ミラー用やのぼり旗用のポールに加工なされた製品をコンクリートたたき面やコンクリート塀の天端及びブロック塀の天端やコンクリート体（２４）にボルトを軸にして、固定や取り付け、取り外し、移動や可動するための結合器であり、なおポール独立型式の結合器であって、方向調節や水平調節ができる、ボルト固定式結合器に関するものである。
【背景技術】
【０００２】
従来、金属からなる丸パイプ型式や角パイプ型式及びV型式鋼材（２０）やL型式鋼材をフェンスや門扉、手すりの支柱や車止め及び標識用や案内板用、駐車場ミラー用のポールに加工なされた製品に、支柱や車止め及びポールの一部分を埋め込み固定するコンクリート埋め込み型式（２６）やコンクリートたたき面やコンクリート体（４２）、コンクリート塀の天端、ブロック塀の天端に固定ができる製品一体型式の可動式（２８）と着脱ができる可動型式金具（２９）が存在する。
また、車止め専用に差し込み型式金具（３０）や落とし込み型式金具（３１）が存在する。
【０００３】
フェンスや門扉、手すりの支柱や車止めを交換または取り外す必要がある箇所や支柱や車止めを地下に埋め込み固定ができないコンクリートたたき面やコンクリート塀の天端やブロック塀の天端に、製品一体型式の可動式（２８）や着脱ができる可動型式金具（２９）でコンクリートたたき面などにコンクリート埋め込みナット（３９）を設けて固定がなされている。
一般的に、フェンスや門扉の支柱や車止めを新たに土の状態の箇所やコンクリート塀の天端やブロック塀の天端に取り付けているときは、コンクリート埋め込み型式（２６）を生コンクリートやモルタルで埋め込み固定なされていることが多く、既存コンクリートたたき面や既存コンクリート塀の天端、既存ブロック塀の天端に取り付けているときも、支柱や車止めを固定できるようにコンクリート埋め込み型式（２６）を埋め込み固定する既存固定部分に穴を設け、モルタルで固定がなされている。
【０００４】
標識用のコンクリート埋め込み型式（２６）ポールは、地面や舗装面に穴を設け、コンクリート基礎ブロック（５４）を使用して、モルタルで埋め込み固定がなされている。
案内板用のコンクリート埋め込み型式（２６）ポールは、埋め込み部分を生コンクリートで固めて一体型にしたものを舗装面などに据え置きがなされている。
駐車場ミラー用のコンクリート埋め込み型式（２６）ポールは、地面や舗装面に穴を設け、直接にモルタルで埋め込み固定やコンクリート基礎ブロック（５４）等を使用してモルタルで埋め込み固定またはブロック塀などに専用の塀取り付け金具や既存のフェンスなどに紐などで固定がなされている。
のぼり旗用のポールは、既存のフェンスなどに紐で固定するか、専用の重りまたは金属からなるパイプなど挿して固定がなされている。
車止め専用の差し込み型式金具（３０）や落とし込み型式金具（３１）は地面や舗装面に穴を設け、直接に生コンクリートやモルタルで埋め込み固定またはコンクリート基礎ブロック（５４）等を使用して、モルタルで埋め込み固定がなされている。
【０００５】
既存コンクリートたたき面などに、コンクリート埋め込み型式（２６）用の穴を設けずに、コンクリート埋め込みナット（３９）を設けて、ボルトを軸にして方向調節や水平調節及び固定や取り付け、取り外し、移動や可動ができるものはなかった。
【非特許文献１】各エクステリアメーカーのカタログ及び資料
【非特許文献２】道路施設関連のカタログまたは資料
【非特許文献３】駐車場ミラーのポール、のぼり旗のポールは、現物
【発明の開示】
【発明が解決しようとする課題】
【０００６】
そのために、次のような問題点があった。
フェンスや門扉、手すりの支柱のコンクリート埋め込み型式（２６）や車止め専用の差し込み型式金具（３０）、落とし込み型式金具（３１）をコンクリートたたき面に固定する際、コンクリート埋め込み型式（２６）の埋め込み部分や差し込み型式金具（３０）、落とし込み型式金具（３１）をコンクリートたたき面まで埋め込み固定しなければならないため、コンクリートを砕く作業または専用の道具で穴を空ける作業をして、さらに穴を掘りコンクリート埋め込み型式（２６）の埋め込み部分や差し込み型式金具（３０）、落とし込み型式金具（３１）をモルタルで埋め込み固定をしている。
このとき、コンクリートを砕く作業や穴を空ける作業、特に差し込み型式金具（３０）と落とし込み型式金具（３１）は、地上に出る部分がないため垂直に固定する作業が容易ではなく、モルタルの硬化にも時間を要するため、基本的に終日内でのフェンスの本体や車止めの本体の取り付けはできない。なお、仕上げ作業は翌日以降になり、使用ができるのも翌日以降になっている。
しかも、砕く作業をしているときは、長時間大きい音がでることもあって近隣に迷惑がかかっている。さらに砕いたときまたは穴を空けたときなどに出たコンクリート片や残土を廃棄処分または処理をするために営業時間内に処分場に行かなければならないため効率が悪く、処分場が遠い場合は、なお、さらに効率が悪くなっている。
新たに、土の状態の場所にコンクリートで駐車場などを造る場合はコンクリートを砕く作業などは無いが、次に交換するときは、上記記載の作業などが生じることになる。
【０００７】
フェンスのコンクリート埋め込み型式（２６）支柱が既存で固定されているまたは既存フェンスが無いコンクリート塀の天端やブロック塀の天端に、新たにフェンスの支柱を固定するときは、既存フェンスが固定さられている場合は、支柱の撤去作業をして、コンクリート塀やブロック塀に穴を空ける作業もしくは、一部を壊すまたは全体を新しくてフェンスの支柱をモルタルで埋め込み固定しているため、上記記載同様に大きい音や廃棄物がでて効率が悪く、なお、鉄筋があり塀の厚みも少なく、据え付け型の穴空け機が使えないため穴空け作業が容易ではない。
【０００８】
コンクリート体（４２）にコンクリート埋め込み型式（２６）や差し込み型式金具（３０）、落とし込み型式金具（３１）を固定することはなされては無い。なお、差し込み型式金具（３０）、落とし込み型式金具（３１）はコンクリート塀の天端やブロック塀の天端に固定することもなされては無い。
行楽地や公園、病院、施設、スーパー、コンビニエンスストアー等の、日常自動車や人が出入りする駐車場に、自動車の損傷を少なくするためや看板を倒さないように固定されているホッチキスの針の形をした車止めや自動車などの出入りを一時的に制限や閉鎖するために、差し込み型式金具（３０）、落とし込み型式金具（３１）を使用して取り付けされている車止めを交換するときは、コンクリートを砕く作業や車止めを撤去するために自動車や人を誘導して交換をしているが生コンクリートが硬化するまで、交換した部分の周りをガードしておかなければならないため、作業日を入り口と出口に分けて作業をしていることがある。また硬化の後にガードを撤去しなければならないため効率が悪い。
このときの作業を自動車や人の出入りが少ない夜間にしていることがある。
【０００９】
標識用のコンクリート埋め込み型式（２６）ポールは、舗装面などにコンクリート基礎ブロック（５４）を使用して埋め込み固定をしているところが多いが、自動車等の衝撃で壊れたときや古くなって取り替えるとき等は、その都度、ポール埋め込み部分のコンクリート等を砕いてポールを撤去して、穴を掘り、新たにコンクリート基礎ブロック（５４）を設けて交換をしている。
このとき、モルタルの硬化を待たなければならないため、歩行者や自転車、自動車等の往来を極力妨げないように安全を確保する時間も長くなり、交通渋滞になることもある。なお発電機等を使用するため、コンクリートを砕く音も含めると大きい騒音になっている。また、残土まじりのコンクリート片や舗装材を分別して廃棄処分もしくは処理をしている。
土の状態のところに固定されている場合は、その都度、コンクリート基礎ブロック（５４）の周りの土を掘りポールごと撤去して、新たに取り付けをしているが、コンクリート一体型になったポールを持ち帰り、後にコンクリート基礎ブロックを砕いて、ポールと分離して廃棄処分または処理をしている。
【００１０】
車止めや境界フェンス、境界フェンス用の門扉のコンクリート埋め込み型式（２６）支柱等をコンクリート基礎ブロック（５２）を使用して固定している公共の現場や工場などの防犯を重視いているところの、製品の交換または道路拡張などの敷地内移動の際は、終日の作業の中で撤去を含め修復しなければならないため、交換や移動する部分を区分けして作業をしている。
交換の場合は、モルタルの硬化時間を考慮して、新たなフェンスなどに控えなどを設けて補強をし、人が容易に進入できないようにガードをしている。また移動の場合は、新たな箇所に基礎ブロック用の穴を設け、本体を取り外して、支柱などを基礎ブロックごと移動して新たな箇所に設けて、本体を取り付けているが撤去部分と移動部分の空間を人が容易に進入できないようにガードしておかなければならないため、交換以上に効率が悪い。なお、一般的にフェンス際は緑化しているため、その都度の撤去物や新たな材料の運搬、作業などの工程や安全管理、歩行者や自転車、自動車などの安全管理をする、作業者、現場監督、管理者は工事終了まで負担がおもい。
【００１１】
福祉バスや路線バスの時刻案内板用のコンクリート埋め込み型式（２６）ポールを生コンクリートで固めて一体型にしたものを、道路沿いまたは歩道や駅前のバスの停留所などに据え置きされているが、小さい子供たちやお年寄りのかたや障害をもたれている人が、コンクリート部分につまずいて転ぶことや、転んでコンクリート部分に頭をぶつけることがある、特に、盲目の方には歩行の妨げになり危険である。
また、必要がなくなれば分離して廃棄処分または処理をしなければならない。
【００１２】
のぼり旗用のポールは、コンクリート面やコンクリート体（４２）、コンクリート塀の天端、ブロック塀の天端に埋め込み固定や製品一体型式の可動式（２８）、着脱ができる可動型式金具（２９）で固定することはなされては無い、使用者側の考え方の課題ではあるが、敷地と歩道や歩道と道路の境のフェンスや柵等に固定をしている所や専用の重りに挿して歩道などに据え置きをしている所があり、見通しが悪く歩行者や自転車、自動車等の通行の妨げになっていて危険なところがある。また、きれいなタイルが張ってあるコンビニエンスストアーの軒下を通路や雨宿りに使用するのに不便を感じるところもある。
【００１３】
コンクリートを砕く道具がない個人や道具を使用できない個人が駐車場ミラー用のコンクリート埋め込み型式（２６）ポールを既存コンクリートたたき面に取り付けなければ駐車場ミラーを使用できない場合、購入の際に作業者や販売店に取り付けまで依頼して使用しているが、コンクリートを砕く作業やコンクリート片の処分費やモルタル等の材料費が掛かり、作業時間は短いが費用の負担は大きい。
【００１４】
車止めや手すりの支柱を一体型式にした可動式（２８）と着脱ができる可動型式金具（２９）及び車止め専用の差し込み型式（３０）、だけが生産者側に在庫がある。しかし、フェンスや門扉の支柱を着脱ができる可動型式金具（２９）やフェンスや門扉の支柱を一体型にした可動式（２８）には在庫は無く、消費者側から受注を請けて製品ごとに生産者側が製造しているため、使用ができるまでに３週間から4週間かかっている。
なお、製造を依頼する発注書や指示書に不可抗力が生じて新たに製造しなければならない事があり、消産者や作業者、生産者に負担がかかっている。
【００１５】
上記記載の生産者側の製造にかかる日数を待てない場合、作業者側が独自にフェンスや門扉のコンクリート埋め込み型式（２６）支柱の埋め込み部分を切断したものと、金属板を切断や孔空け等の加工を施したものを熔接固定し、さらに腐食防止処理をして一体型式の可動式（２８）にしている。または着脱ができる可動型式金具（２９）を同様に製造するか、L字型式金具（３２）やL字型鋼材を購入し、コンクリート埋め込み型式（２６）支柱の埋め込み部分を切断して溶接やビス止めやリベット止め、ボルト、ナットで固定をして製品と一体型にして現場に取り付けている。
以下、作業者側が製品を一体型にした着脱ができる可動型式金具（２９）の取り付け方法が手すりの支柱や車止めを生産者側が製造した製品一体型式の可動式（２８）や作業者側が製造した製品一体型式の可動式（２８）と同じなため、可動式（２８）で、コンクリートたたき面、コンクリート体（４２）、コンクリート塀の天端、ブロック塀の天端を、既存固定部分、の名称で取り付け作業の説明をする。
先に、取り付け方向を定め可動式（２８）を既存固定部分に持ち置きしてボルト（４３）固定用の孔の位置出しをして、可動式（２８）を移動する。次に可動式（２８）と既存固定部分をボルト（４３）で固定するためのコンクリート打ち込み用ナット（３９）をボルト固定箇所分、孔を空けて打ち込み固定する。次にボルト（４３）で可動式（２８）を若干緩めに仮固定する。次に可動式（２８）と既存固定部分が不安定な部分の隙間に、金属片を利用して微調整を何度か繰り返して水平調節をしている。次にボルト（４３）を締めて正式固定して支柱立てまでの作業や車止めの固定作業が終了となるが、数が多いときのナット（３９）の孔の位置出しや水平調節が容易ではない。また、位置出しをした目印を目標にナット（３９）固定用の孔を空けているため位置がずれることや斜めになることがあり、孔を空け直すことがある。
このとき、一度空けた孔の際を空けなおす作業は困難で、一度空けた孔を大きくするか、孔位置をずらして空け直しをしているが、可動式（２８）の孔も空け直すことになるため、作業が容易ではなく、孔が２箇所になることもあり、見た目が悪く、位置出しから孔空けまでは技術を要する。
塀際や壁際に固定するときは、道具を使用する分隙間が開くまたはボルト（４３）が斜めに固定されている。
【００１６】
L字型式金具（３２）は、一部の生産者側にマンション用として製品の在庫があり、固定方法は上記記載に同じで、コンクリートたたき面などにも使用が可能ではあるが、殆ど使用されていることがない。
【００１７】
標識用や案内板用、のぼり旗用のポールに製品一体型式の可動式（２８）や着脱ができる可動型式金具（２９）が存在するかは不明である。
以上のように、製品一体型式の可動式（２８）と着脱ができる可動型式金具（２９）、L字型式金具（３２）は、コンクリートやブロックなどを砕く作業などがないため、大きい音もあまりでない、廃棄処分なども殆どなく、壊れたときや交換するときは便利なものではあるが、生産者側に在庫が無く製造に日数がかかることや作業者側が可動式（２８）と着脱ができる可動型式金具（２９）を加工する作業も容易ではなく、加工作業に技術を要することもあり、コンクリート塀やブロック塀などに、塀の上部から挟み込む着脱ができる可動型式金具（２９）で固定しているところ以外、殆ど取り外しができる遣り方で固定されていることはない。  
可動式（２８）と着脱ができる可動型式金具（２９）、L字型式金具（３２）以外のコンクリート埋め込み型式（２６）などを既存コンクリートたたき面や既存コンクリート塀の天端、既存ブロック塀の天端等に使用する際、多少にかかわらずコンクリートを砕くなどの作業や騒音や廃棄分、電力や道具、費用や経費、交通渋滞など、沢山、影響がありえることが課題である。      
本発明は、これらの問題点を解決するためになされたものである。  
【課題を解決するための手段】
【００１８】
（イ）加工体（１）に、中空型式（１９）及びV型式（６３）、L型式（６４）を設ける。
（ロ）中空型式（１９）に、パイプ型式（５２）及びパイプ加工型式（５３）を設ける。
（ハ）パイプ型式（５２）及びパイプ加工型式（５３）に、丸パイプ型式（６５）及び角パイプ型式（６６）を設ける。
（ニ）中空型式（１９）の加工体（１）に、傾斜地対応用（３７）を設ける。
（ホ）中空型式（１９）の加工体（１）は、自由な形状に設けることができるものである。
（ヘ）加工体（１）は、寸法、側面厚、孔径、孔数、孔形、孔位置の変更ができるものである。
【００１９】
（イ）底板（３）に、塀の天端や塀際、境界際、壁際、傾斜地兼用の線分対応用の一般用（２１）を設ける。
（ロ）底板（３）の一般用（２１）に、円形、正方形、長方形、丸四角形（２５）を設ける。
（ハ）底板（３）に、塀や壁がある角地用（２２）と塀の天端の角地用（２３）を設ける。
（ニ）底板（３）に、傾斜地及び平地補強用（３５）を設ける。
（ホ）底板（３）の外径の上部に、面（５５）を設けるものがある。
（ヘ）底板（３）に、錠掛け板（７８）を上下させる欠き溝を設けるものがある。
（ト）底板（３）は、自由な形状に設けることができるものである。
（チ）底板（３）は、寸法、板厚、孔径、孔数、孔位置の変更ができるものである。
【００２０】
（イ）軸棒一体型式底板（３８）に、塀の天端や塀際、境界際、壁際、傾斜地兼用の線分対応用の一般用（２１）を設ける。
（ロ）軸棒一体型式底板（３８）の一般用（２１）に、円形、正方形、長方形、丸四角形（２５）を設ける。
（ハ）軸棒一体型式底板（３８）に、塀や壁がある角地用（２２）を設ける。
（ニ）軸棒一体型式底板（３８）の外径の上部に、面（５５）を設けるものがある。
（ホ）軸棒一体型式底板（３８）に錠掛け板（６９）を上下させる切り欠き溝を設けるものがある。
（ヘ）軸棒一体型式底板（３８）は、形状、寸法、板厚、孔径、孔数、孔位置の変更ができるものである。
【００２１】
（イ）一体型式加工体（１５）に、中空型式（１９）とV型式（６３）、L型式（６４）を設ける。
（ロ）一体型式加工体（１５）の中空型式（１９）に、丸パイプ型式（６５）と角パイプ型式（６６）を設ける。
（ハ）一体型式加工体（１５）の底部（１２）に、塀の天端や塀際、境界際、壁際、傾斜地兼用の線分対応用の一般用（２１）を設ける。
（ニ）一体型式加工体（１５）の底部（１２）の一般用（２１）に、円形、正方形、長方形、丸四角形（２５）を設ける。
（ホ）一体型式加工体（１５）の底部（１２）に、塀や壁がある角地用（２２）を設ける。
（ヘ）一体型式加工体（１５）の底部（１２）に、面（５５）を設けるものがある。
（ト）一体型式加工体（１５）の底部（１２）に、錠掛け板（６９）を上下させる欠き溝を設けるものがある。
（チ）一体型式加工体（１５）は、形状、寸法、側面厚、板厚、孔径、孔数、孔形、孔位置の変更ができるものである。
【００２２】
（イ）軸棒一体型式加工体（４０）に、中空型式（１９）とV型式（６３）、L型式（６４）を設ける。
（ロ）軸棒一体型式加工体（４０）の中空型式（１９）に、丸パイプ型式（６５）と角パイプ型式（６６）を設ける。
（ハ）軸棒一体型式加工体（４０）の底部（１２）に、塀の天端や塀際、境界際、壁際、傾斜地兼用の線分対応用の一般用（２１）を設ける。
（ニ）軸棒一体型式加工体（４０）の底部（１２）の一般用（２１）に、円形、正方形、長方形、丸四角形（２５）を設ける。
（ホ）軸棒一体型式加工体（４０）の底部（１２）に、塀や壁がある角地用（２２）を設ける。
（ヘ）軸棒一体型式加工体（４０）の底部（１２）に、面（５５）を設けるものがある。
（ト）軸棒一体型式加工体（４０）の底部（１２）に、錠掛け板（６９）を上下させる切り欠き溝を設けるものがある。
（チ）軸棒一体型式加工体（４０）は、形状、寸法、側面厚、板厚、孔径、孔数、孔形、孔位置の変更ができるものである。
【００２３】
中空型式（１９）の加工体（１）の四方の側面に丸パイプ型式や角パイプ型式からなるフェンスや門扉、手すりの支柱や車止め及び標識用や案内板用のポールを固定する下孔（２）を各２箇所ずつ設ける。加工体（１）の側面の下部に道具の差し入れ出し用の切り欠き孔（１０）を一方または二方に設ける。底板（３）の中央に軸ボルト（７）取り付け用のねじ孔（９）を１箇所設ける。底板（３）に結合器固定ボルトを通す下孔（４）を３箇所設ける。水抜き孔（５）を１箇所設ける。水平調節ボルト（８）取り付け用のねじ孔（６）を３箇所設ける。座金付長ナット（１６）の側面の一方に軸ボルト着脱ボルト（１３）取り付け用のねじ孔（１４）を設ける。軸ボルト（７）に座金付長ナット（１６）を取り付ける。座金付長ナットを取り付けた軸ボルトを軸ボルト取り付け用のねじ孔（９）に取り付ける。座金付長ナット（１６）の下部を底板（３）に固定する。加工体（１）と底板（３）を固定する。軸ボルト着脱ボルト（１３）を道具の差し入れ出し用の切り欠き孔（１０）を利用して軸ボルト着脱用のねじ孔（１４）に取り付ける。水平調節ボルト（８）を水平調節ボルト取り付け用のねじ孔（６）に取り付けた、軸ボルト着脱式のボルト固定式結合器を設ける。  
【００２４】
中空型式（１９）の加工体（１）の四方の側面に丸パイプ型式や角パイプ型式からなるフェンスや門扉、手すりの支柱や車止め及び標識用や案内板用のポールを固定する下孔（２）を各２箇所ずつ、駐車場ミラー用、のぼり旗用のポール用には左右にだけ２箇所ずつ設ける。底板（３）の中央に軸ボルト（７）取り付け用のねじ孔（９）を１箇所設ける。底板（３）に結合器固定ボルトを通す下孔（４）を３箇所設ける。水抜き孔（５）を１箇所設ける。水平調節ボルト（８）取り付け用のねじ孔（６）を３箇所設ける。軸ボルト（７）だけを軸ボルト取り付け用のねじ孔（９）に直接に固定する。加工体（１）と底板（３）を固定する。水平調節ボルト（８）を水平調節ボルト取り付け用のねじ孔（６）に取り付けた、軸ボルト固定式のボルト固定式結合器を設ける。
【００２５】
中空型式（１９）の加工体（１）の四方の側面に丸パイプ型式や角パイプ型式からなるフェンスや門扉、手すりの支柱や車止め及び標識用、案内板用のポールを固定する下孔（２）を各２箇所ずつ、駐車場ミラー用、のぼり旗用のポール用には左右にだけ２箇所ずつ設ける。軸棒一体型式底板（３８）に結合器固定ボルトを通す下孔（４）を３箇所設ける。水抜き孔（５）を１箇所設ける。水平調節ボルト（８）取り付け用のねじ孔（６）を３箇所設ける。軸棒にねじ溝を設け軸ボルトにする。加工体（１）と底板（３８）を固定する。水平調節ボルト（８）を水平調節ボルト取り付け用のねじ孔（６）に取り付けた、軸ボルト固定式のボルト固定式結合器を設ける。
【００２６】
中空型式（１９）の加工体（１）の四方の側面に丸パイプ型式や角パイプ型式からなるフェンスや門扉、手すりの支柱や車止め及び標識用、案内板用のポールを固定する下孔（２）を各２箇所ずつ設ける。加工体（１）の側面の下部に道具の差し入れ出し用の切り欠き孔（１０）を一方または二方に設ける。底板（３）の中央部分に凸部（９６）を設ける。凸部の上部に軸ボルト（７）取り付け用のねじ孔（９）を１箇所設ける。凸部の側面の一方に軸ボルト着脱ボルト（１３）取り付け用のねじ孔（１４）を設ける。底板（３）に結合器固定ボルトを通す下孔（４）を３箇所設ける。水抜き孔（５）を１箇所設ける。水平調節ボルト（８）取り付け用のねじ孔（６）を３箇所設ける。軸ボルト（７）だけを軸ボルト取り付け用のねじ孔（９）に取り付ける。軸ボルト着脱ボルト（１３）を軸ボルト着脱用のねじ孔（１４）に取り付ける。加工体（１）と底板（３）を固定する。水平調節ボルト（８）をねじ孔（６）に取り付けた、軸ボルト着脱式のボルト固定式結合器を設ける。
【００２７】
中空型式（１９）の加工体（１）の四方の側面に丸パイプ型式や角パイプ型式からなるフェンスや門扉、手すりの支柱や車止め及び標識用、案内板用のポールを固定する下孔（２）を各２箇所ずつ設ける。加工体（１）の側面の下部に道具の差し入れ出し用の切り欠き孔（１０）を一方または二方に設ける。底板（３）の中央に軸ボルト（３６）取り付け用のねじ孔（９）を１箇所設ける。底板（３）に結合器固定ボルトを通す下孔（４）を３箇所設ける。水抜き孔（５）を１箇所設ける。水平調節ボルト（８）取り付け用のねじ孔（６）を３箇所設ける。ボルトの頭の側面の一方に軸ボルト着脱ボルト（１３）取り付け用のねじ孔（１４）を設け軸ボルト（３６）にする。軸ボルト（３６）だけを軸ボルト取り付け用のねじ孔（９）に取り付ける。軸ボルト着脱金具（１８）を軸ボルト着脱ボルト（１３）で軸ボルト（３６）のねじ孔（１４）に取り付ける。軸ボルト着脱金具（１８）と底板（３）を固定する下孔を利用して、軸ボルト着脱金具（１８）を取り付ける下孔（４４）を底板（３）に設ける。軸ボルト着脱金具（１８）を回転できるように底板（３）に取り付ける。加工体（１）と底板（３）を固定する。水平調節ボルト（８）をねじ孔（６）に取り付けた、軸ボルト着脱式のボルト固定式結合器を設ける。
【００２８】
中空型式（１９）の加工体（１）の側面に段落番号００２３から段落番号００２７記載の下孔（２）を設けたものまたは下孔（２）と切り欠き孔（１０）を設けたものに、角パイプ型式からなるフェンスや門扉の支柱を固定する製品に付属している部品を避ける切り欠き部（１７）を前後に設けた、製品の支柱に付属している部品を避ける、軸ボルト固定式または軸ボルト着脱式のボルト固定式結合器を設ける。
【００２９】
中空型式（１９）の加工体（１）の側面に段落番号００２３から段落番号００２７記載の下孔（２）を設けたものまたは下孔（２）と切り欠き孔（１０）を設けたものに、丸パイプ型式からなるフェンスの本体または門扉の本体と支柱を固定する製品に付属しているボルト固定の位置に合わせ、支柱を加工体に固定するためのボルトを通す下孔（４５）または部品を避ける切り欠き部（１７）を前後に設けた、製品に付属している部品を避ける、軸ボルト固定式または軸ボルト着脱式のボルト固定式結合器を設ける。
【００３０】
中空型式（１９）の加工体（１）の側面の内側または外側に丸パイプ型式からなる駐車場ミラー用やのぼり旗用のポールを固定するねじ溝を設ける。底板（３）の中央に軸ボルト（７）取り付け用のねじ孔（９）を１箇所設ける。底板（３）に結合器固定ボルトを通す下孔（４）を３箇所設ける。水抜き孔（５）を１箇所設ける。水平調節ボルト（８）取り付け用のねじ孔（６）を３箇所設ける。軸ボルト（７）だけをねじ孔（９）に直接に固定する。加工体（１）と底板（３）を固定する。水平調節ボルト（８）をねじ孔（６）に取り付けた、駐車場ミラー用やのぼり旗用のポールをねじ式固定するねじ溝を設けた、軸ボルト固定式のボルト固定式結合器を設ける。
【００３１】
中空型式（１９）の加工体（１）の側面の内側または外側に丸パイプ型式からなる駐車場ミラー用やのぼり旗用のポールを固定するねじ溝を設ける。軸棒一体型式底板（３８）に結合器固定ボルトを通す下孔（４）を３箇所設ける。水抜き孔（５）を１箇所設ける。水平調節ボルト（８）取り付け用のねじ孔（６）を３箇所設ける。軸棒にねじ溝を設け軸ボルトにする。加工体（１）と底板（３８）を固定する。水平調節ボルト（８）をねじ孔（６）に取り付けた、駐車場ミラー用やのぼり旗用のポールをねじ式固定するねじ溝を設けた、軸ボルト固定式のボルト固定式結合器を設ける。
【００３２】
中空型式（１９）の加工体（１）の上部に覆いを設ける。底板（３）の中央に軸ボルト（７）取り付け用のねじ孔（９）を１箇所設ける。底板（３）に結合器固定ボルトを通す下孔（４）を３箇所設ける。水抜き孔（５）を１箇所設ける。水平調節ボルト（８）取り付け用のねじ孔（６）を３箇所設ける。軸ボルト（７）だけをねじ孔（９）に直接に固定する。加工体（１）と底板（３）を固定する。水平調節ボルト（８）をねじ孔（６）に取り付けた、軸ボルト固定式のポール独立型式（２７）のボルト固定式結合器を設ける。
【００３３】
軸棒一体型式底板（３８）に結合器固定ボルトを通す下孔（４）を３箇所設ける。水抜き孔（５）を１箇所設ける。水平調節ボルト（８）取り付け用のねじ孔（６）を３箇所設ける。軸棒にねじ溝を設け軸ボルトにする。覆いを設けた中空型式（１９）の加工体（１）と底板（３８）を固定する。水平調節ボルト（８）をねじ孔（６）に取り付けた、軸ボルト固定式のポール独立型式（２７）のボルト固定式結合器を設ける。
【００３４】
中空型式（１９）の加工体（１）の側面の下部に道具の差し入れ出し用の切り欠き孔（１０）を一方または二方に設ける。切り欠き孔（１０）部の左右に目隠しふたビス止め用のねじ孔を設ける。底板（３）の中央に軸ボルト（７）取り付け用のねじ孔（９）を１箇所設ける。底板（３）に結合器固定ボルトを通す下孔（４）を３箇所設ける。水抜き孔（５）を１箇所設ける。水平調節ボルト（８）取り付け用のねじ孔（６）を３箇所設ける。座金付長ナット（１６）の側面の一方に軸ボルト着脱ボルト（１３）取り付け用のねじ孔（１４）を設ける。軸ボルト（７）に座金付長ナット（１６）を取り付ける。座金付長ナットを取り付けた軸ボルトを軸ボルト取り付け用のねじ孔（９）に取り付ける。座金付長ナット（１６）の下部を底板（３）に固定する。軸ボルト着脱ボルト（１３）を軸ボルト着脱用のねじ孔（１４）に取り付ける。中空型式（１９）の加工体（１）の上部に覆いを設ける。覆いを設けた中空型式（１９）の加工体（１）と底板（３）を固定する。切り欠き孔（１０）部に着脱ができる目隠しふたをビス止めする。水平調節ボルト（８）を水平調節ボルト取り付け用のねじ孔（６）に取り付けた、軸ボルト着脱式のポール独立型式（２７）のボルト固定式結合器を設ける。
【００３５】
中空型式（１９）の加工体（１）の側面の下部に道具の差し入れ出し用の切り欠き孔（１０）を一方または二方に設ける。切り欠き孔（１０）部の左右に目隠しふたビス止め用のねじ孔を設ける。加工体（１）の上部に覆いを設ける。底板（３）の中央部分に凸部（９６）を設ける。凸部の上部に軸ボルト（７）取り付け用のねじ孔（９）を１箇所設ける。凸部の側面の一方に軸ボルト着脱ボルト（１３）取り付け用のねじ孔（１４）を設ける。底板（３）に結合器固定ボルトを通す下孔（４）を３箇所設ける。水抜き孔（５）を１箇所設ける。水平調節ボルト（８）取り付け用のねじ孔（６）を３箇所設ける。軸ボルト（７）だけを軸ボルト取り付け用のねじ孔（９）に取り付ける。軸ボルト着脱ボルト（１３）を軸ボルト着脱用のねじ孔（１４）に取り付ける。中空型式（１９）の加工体（１）の上部に覆いを設ける。覆いを設けた中空型式（１９）の加工体（１）と底板（３）を固定する。切り欠き孔（１０）部に着脱ができる目隠しふたをビス止めする。水平調節ボルト（８）を水平調節ボルト取り付け用のねじ孔（６）に取り付けた、軸ボルト着脱式のポール独立型式（２７）のボルト固定式結合器を設ける。
【００３６】
中空型式（１９）の加工体（１）の側面の下部に道具の差し入れ出し用の切り欠き孔（１０）を一方または二方に設ける。切り欠き孔（１０）部の左右に目隠しふたビス止め用のねじ孔を設ける。底板（３）の中央に軸ボルト（３６）取り付け用のねじ孔（９）を１箇所設ける。底板（３）に結合器固定ボルトを通す下孔（４）を３箇所設ける。水抜き孔（５）を１箇所設ける。水平調節ボルト（８）取り付け用のねじ孔（６）を３箇所設ける。ボルトの頭の側面の一方に軸ボルト着脱ボルト（１３）取り付け用のねじ孔（１４）を設け軸ボルト（３６）にする。軸ボルト（３６）だけを軸ボルト取り付け用のねじ孔（９）に取り付ける。軸ボルト着脱金具（１８）を軸ボルト着脱ボルト（１３）で軸ボルト（３６）のねじ孔（１４）に取り付ける。軸ボルト着脱金具（１８）と底板（３）を固定する下孔を利用して、軸ボルト着脱金具（１８）を取り付ける下孔（４４）を底板（３）に設ける。軸ボルト着脱金具（１８）を回転できるように底板（３）に取り付ける。中空型式（１９）の加工体（１）の上部に覆いを設ける。覆いを設けた中空型式（１９）の加工体（１）と底板（３）を固定する。切り欠き孔（１０）部に着脱ができる目隠しふたをビス止めする。水平調節ボルト（８）を水平調節ボルト取り付け用のねじ孔（６）に取り付けた、軸ボルト着脱式のポール独立型式（２７）のボルト固定式結合器を設ける。
【００３７】
中空型式（１９）の加工体（１）の四方の側面に丸パイプ型式や角パイプ型式からなるフェンスや手すりの支柱を固定する下孔（２）を２箇所ずつ設ける。加工体（１）の前後の下部に横軸（５６）取り付け用の下孔（５７）を設ける。加工体（１）の左右から下孔（５７）の下部にかけてV字形に切り欠き部（５８）を設ける。左右の切り欠き部の上部に回転止め金具（５９）を設ける。切り欠き部（５８）の下部に補強板（６１）を設ける。横軸（５６）の片側の先端に止め板（６２）を設ける。加工体（１）を回転できるように横軸（５６）を下孔（５７）に取り付ける。底板（３）の中央に軸ボルト（７）取り付け用のねじ孔（９）を１箇所設ける。底板（３）に結合器固定ボルトを通す下孔（４）を３箇所設ける。水抜き孔（５）を１箇所設ける。水平調節ボルト（８）取り付け用のねじ孔（６）を３箇所設ける。軸ボルト（７）だけを軸ボルト取り付け用のねじ孔（９）に直接に固定する。横軸（５６）を軸ボルト（７）の頭に直接に固定する。回転止め金具にスライド板（６０）を取り付ける。水平調節ボルト（８）を水平調節ボルト取り付け用のねじ孔（６）に取り付けた、軸ボルト固定式の傾斜地対応用（３７）のボルト固定式結合器を設ける。
【００３８】
中空型式（１９）の一体型式加工体（１５）の四方の側面に丸パイプ型式や角パイプ型式からなるフェンスや門扉の支柱や車止め及び標識用や案内板用のポールを固定する下孔（２）を各２箇所ずつ設ける。一体型式加工体（１５）の側面の下部に道具の差し入れ出し用の切り欠き孔（１０）を一方または二方に設ける。底部（１２）の中央に軸ボルト（７）取り付け用のねじ孔（９）を１箇所設ける。底部（１２）に結合器固定ボルトを通す下孔（４）を３箇所設ける。水抜き孔（５）を１箇所設ける。水平調節ボルト（８）取り付け用のねじ孔（６）を３箇所設ける。座金付長ナット（１６）の側面の一方に軸ボルト着脱ボルト（１３）取り付け用のねじ孔（１４）を設ける。軸ボルト（７）に座金付長ナット（１６）を取り付ける。座金付長ナットを取り付けた軸ボルト（７）を軸ボルト取り付け用のねじ孔（９）に取り付ける。座金付長ナット（１６）の下部を底部（１２）に固定する。軸ボルト着脱ボルト（１３）を道具の差し入れ出し用の切り欠き孔（１０）を利用して軸ボルト着脱用のねじ孔（１４）に取り付ける。水平調節ボルト（８）をねじ孔（６）に取り付けた、軸ボルト着脱式のボルト固定式結合器を設ける。
【００３９】
中空型式（１９）の一体型式加工体（１５）の四方の側面に丸パイプ型式や角パイプ型式からなるフェンスや門扉の支柱や車止め及び標識用や案内板用のポールを固定する下孔（２）を各２箇所ずつ、駐車場ミラー用やのぼり旗用のポール用には左右にだけ２箇所ずつ設ける。一体型式加工体（１５）の側面の下部に道具の差し入れ出し用の切り欠き孔（１０）を一方または二方に設ける。底部（１２）の中央に軸ボルト（７）取り付け用のねじ孔（９）を１箇所設ける。底部（１２）に結合器固定ボルトを通す下孔（４）を３箇所設ける。水抜き孔（５）を１箇所設ける。水平調節ボルト（８）取り付け用のねじ孔（６）を３箇所設ける。軸ボルト（７）だけをねじ孔（９）に直接に固定する。水平調節ボルト（８）をねじ孔（６）に取り付けた、軸ボルト固定式のボルト固定式結合器を設ける。
【００４０】
中空型式（１９）の一体型式加工体（１５）の四方の側面に丸パイプ型式や角パイプ型式からなるフェンスや門扉の支柱や車止め及び標識用や案内板用のポールを固定する下孔（２）を各２箇所ずつ設ける。一体型式加工体（１５）の側面の下部に道具の差し入れ出し用の切り欠き孔（１０）を一方または二方に設ける。底部（１２）の中央部分に凸部（９６）を設ける。凸部の上部に軸ボルト（７）取り付け用のねじ孔（９）を１箇所設ける。凸部の側面の一方に軸ボルト着脱ボルト（１３）取り付け用のねじ孔（１４）を設ける。底部（１２）に結合器固定ボルトを通す下孔（４）を３箇所設ける。水抜き孔（５）を１箇所設ける。水平調節ボルト（８）取り付け用のねじ孔（６）を３箇所設ける。軸ボルト（７）だけをねじ孔（９）に取り付ける。軸ボルト着脱ボルト（１３）を切り欠き孔（１０）を利用してねじ孔（１４）に取り付ける。水平調節ボルト（８）をねじ孔（６）に取り付けた、軸ボルト着脱式のボルト固定式結合器を設ける。
【００４１】
中空型式（１９）の一体型式加工体（１５）の側面の四方に丸パイプ型式や角パイプ型式からなるフェンスや門扉の支柱や車止め及び標識用や案内板用のポールを固定する下孔（２）を各２箇所ずつ設ける。一体型式加工体（１５）の側面の下部に道具の差し入れ出し用の切り欠き孔（１０）を一方または二方に設ける。底部（１２）の中央に軸ボルト（３６）取り付け用のねじ孔（９）を１箇所設ける。底部（１２）に結合器固定ボルトを通す下孔（４）を３箇所設ける。水抜き孔（５）を１箇所設ける。水平調節ボルト取り付け用のねじ孔（６）を３箇所設ける。ボルトの頭の側面の一方に軸ボルト着脱ボルト（１３）取り付け用のねじ孔（１４）を設け軸ボルト（３６）にする。軸ボルト（３６）だけを軸ボルト取り付け用のねじ孔（９）に取り付ける。軸ボルト着脱金具（１８）を軸ボルト着脱ボルト（１３）で軸ボルトのねじ孔（１４）に取り付ける。軸ボルト着脱金具（１８）と底部（１２）を固定する下孔を利用して、軸ボルト着脱金具を取り付ける下孔（４４）を底部（１２）に設ける。軸ボルト着脱金具（１８）を回転出きるように底部（１２）に取り付ける。水平調節ボルト（８）をねじ孔（６）に取り付けた、軸ボルト着脱式のボルト固定式結合器を設ける。
【００４２】
中空型式（１９）の一体型式加工体（１５）の側面に段落番号００３８から段落番号００４１記載の下孔（２）と切り欠き孔（１０）以外に、角パイプ型式からなるフェンスや門扉の本体を固定する製品に付属している部品を避ける切り欠き部（１７）を前後に設けた、製品の支柱に付属している部品を避ける、軸ボルト固定式または軸ボルト着脱式のボルト固定式結合器を設ける。
【００４３】
中空型式（１９）の一体型式加工体（１５）の側面に段落番号００３８から段落番号００４１記載の下孔（２）と切り欠き孔（１０）以外に、丸パイプ型式からなるフェンスの本体または門扉の本体と支柱を固定する製品に付属しているボルト固定の位置に合わせて、支柱を一体型式加工体（１５）に固定するためのボルトを通す下孔（４５）または部品を避ける切り欠き部（１７）を前後に設けた、製品の支柱に付属している部品を避ける、軸ボルト固定式または軸ボルト着脱式のボルト固定式結合器を設ける。
【００４４】
中空型式（１９）の軸棒一体型式加工体（４０）の四方の側面に丸パイプ型式や角パイプ型式からなるフェンスや門扉の支柱や車止め及び標識用や案内板用のポールを固定する下孔（２）を各２箇所ずつ、駐車場ミラー用やのぼり旗用のポール用にだけ左右に２箇所ずつ設ける。軸棒一体型式加工体（４０）の底部（１２）に結合器固定ボルトを通す下孔（４）を３箇所設ける。水抜き孔（５）を１箇所設ける。水平調節ボルト（８）取り付け用のねじ孔（６）を３箇所設ける。軸棒にねじ溝を設け軸ボルトにする。水平調節ボルト（８）をねじ孔（６）に取り付けた、軸ボルト固定式のボルト固定式結合器を設ける。
【００４５】
中空型式（１９）の軸棒一体型式加工体（４０）の四方の側面に角パイプ型式からなるフェンスや門扉の支柱を固定する下孔（２）を各２箇所ずつ設ける。軸棒一体型式加工体（４０）の側面に支柱とフェンスや門扉の本体を固定する製品に付属している部品を避ける切り欠き部（１７）を前後に設ける。軸棒一体型式加工体（４０）の底部（１２）に結合器固定ボルトを通す下孔（４）を３箇所設ける。水抜き孔（５）を１箇所設ける。水平調節ボルト（８）取り付け用のねじ孔（６）を３箇所設ける。軸棒にねじ溝を設け軸ボルトにする。水平調節ボルト（８）をねじ孔（６）に取り付けた、製品の支柱に付属している部品を避ける、軸ボルト固定式のボルト固定式結合器を設ける。
【００４６】
中空型式（１９）の軸棒一体型式加工体（４０）の四方の側面に丸パイプ型式からなるフェンスや門扉の支柱を固定する下孔（２）を各２箇所ずつ設ける。軸棒一体型式加工体（４０）の側面にフェンスの本体または門扉の本体と支柱を固定する製品に付属しているボルト固定の位置に合わせ、支柱を軸棒一体型式加工体に固定するためのボルトを通す下孔（４５）または部品を避ける切り欠き部（１７）を前後に設ける。軸棒一体型式加工体（４０）の底部（１２）に結合器固定ボルトを通す下孔（４）を３箇所設ける。水抜き孔（５）を１箇所設ける。水平調節ボルト（８）取り付け用のねじ孔（６）を３箇所設ける。軸棒にねじ溝を設け軸ボルトにする。水平調節ボルト（８）をねじ孔（６）に取り付けた、製品の支柱に付属している部品を避ける、軸ボルト固定式のボルト固定式結合器を設ける。
【００４７】
中空型式（１９）の一体型式加工体（１５）の側面の内側または外側に丸パイプ型式からなる駐車場ミラー用やのぼり旗用のポールを固定するねじ溝を設ける。一体型式加工体（１５）の底部（１２）の中央に軸ボルト（７）取り付け用のねじ孔（９）を１箇所設ける。底部（１２）に結合器固定ボルトを通す下孔（４）を３箇所設ける。水抜き孔（５）を１箇所設ける。水平調節ボルト（８）取り付け用のねじ孔（６）を３箇所設ける。軸ボルト（７）だけをねじ孔（９）に直接に固定する。水平調節ボルト（８）をねじ孔（６）に取り付けた、駐車場ミラー用やのぼり旗用のポールをねじ式固定するねじ溝を設けた、軸ボルト固定式のボルト固定式結合器を設ける。
【００４８】
中空型式（１９）の軸棒一体型式加工体（４０）の側面の内側または外側に丸パイプ型式からなる駐車場ミラー用やのぼり旗用のポールを固定するねじ溝を設ける。軸棒一体型式加工体（４０）の底部（１２）に結合器固定ボルトを通す下孔（４）を３箇所設ける。水抜き孔（５）を１箇所設ける。水平調節ボルト（８）取り付け用のねじ孔（６）を３箇所設ける。軸棒にねじ溝を設け軸ボルトにする。水平調節ボルト（８）をねじ孔（６）に取り付けた、駐車場ミラー用やのぼり旗用のポールをねじ式固定するねじ溝を設けた、軸ボルト固定式のボルト固定式結合器を設ける。
【００４９】
中空型式（１９）の一体型式加工体（１５）の側面の下部に道具の差し入れ出し用の切り欠き孔（１０）を一方または二方に設ける。欠き孔（１０）部の左右に目隠しふたビス止め用のねじ孔を設ける。一体型式加工体（１５）の底部（１２）の中央に軸ボルト（７）固定用のねじ孔（９）を１箇所設ける。底部（１２）に結合器固定ボルトを通す下孔（４）を３箇所設ける。水抜き孔（５）を１箇所設ける。水平調節ボルト（８）取り付け用のねじ孔（６）を３箇所設ける。軸ボルト（７）だけをねじ孔（９）に直接に固定する。一体型式加工体（１５）の上部に覆いを設ける。切り欠き孔（１０）部に着脱ができる目隠しふたをビス止めする。水平調節ボルト（８）をねじ孔（６）に取り付けた、軸ボルト固定式のポール独立型式（２７）のボルト固定式結合器を設ける。
【００５０】
中空型式（１９）の軸棒一体型式加工体（４０）の底部（１２）に結合器固定ボルトを通す下孔（４）を３箇所設ける。水抜き孔（５）を１箇所設ける。水平調節ボルト（８）取り付け用のねじ孔（６）を３箇所設ける。軸棒にねじ溝を設け軸ボルトにする。軸棒一体型式加工体（４０）の上部に覆いを設ける。水平調節ボルト（８）をねじ孔（６）に取り付けた、軸ボルト固定式のポール独立型式（２７）のボルト固定式結合器を設ける。
【００５１】
中空型式（１９）の一体型式加工体（１５）の側面の下部に道具の差し入れ出し用の切り欠き孔（１０）を一方または二方に設ける。切り欠き孔（１０）部の左右に目隠しふたビス止用のねじ孔を設ける。底部（１２）の中央に軸ボルト（７）取り付け用のねじ孔（９）を１箇所設ける。底部（１２）に結合器固定ボルトを通す下孔（４）を３箇所設ける。水抜き孔（５）を１箇所設ける。水平調節ボルト（８）取り付け用のねじ孔（６）を３箇所設ける。座金付長ナット（１６）の側面の一方に軸ボルト着脱ボルト（１３）取り付け用のねじ孔（１４）を設ける。軸ボルト（７）に座金付長ナット（１６）を取り付ける。座金付長ナットを取り付けた軸ボルトを軸ボルト取り付け用のねじ孔（９）に取り付ける。座金付長ナット（１６）の下部を底部（１２）に固定する。軸ボルト着脱ボルト（１３）を切り欠き孔（１０）を利用して軸ボルト着脱用のねじ孔（１４）に取り付ける。一体型式加工体（１５）の上部に覆いを設ける。切り欠き孔（１０）部に着脱ができる目隠しふたをビス止めする。水平調節ボルト（８）を水平調節ボルト取り付け用のねじ孔（６）に取り付けた、軸ボルト着脱式のポール独立型式（２７）のボルト固定式結合器を設ける。
【００５２】
中空型式（１９）の一体型式加工体（１５）の側面の下部に道具の差し入れ出し用の切り欠き孔（１０）を一方または二方に設ける。切り欠き孔（１０）部の左右に目隠しふたビス止め用のねじ孔を設ける。底部（１２）の中央部分に凸部（９６）を設ける。凸部の上部に軸ボルト（７）取り付け用のねじ孔（９）を１箇所設ける。凸部の側面の一方に軸ボルト着脱ボルト（１３）取り付け用のねじ孔（１４）を設ける。底部（１２）に結合器固定ボルトを通す下孔（４）を３箇所設ける。水抜き孔（５）を１箇所設ける。水平調節ボルト（８）取り付け用のねじ孔（６）を３箇所設ける。軸ボルト（７）だけを軸ボルト取り付け用のねじ孔（９）に取り付ける。切り欠き孔（１０）を利用して軸ボルト着脱ボルト（１３）を軸ボルト着脱用のねじ孔（１４）に取り付ける。一体型式加工体（１５）の上部に覆いを設ける。切り欠き孔（１０）部に着脱ができる目隠しふたをビス止めする。水平調節ボルト（８）を水平調節ボルト取り付け用のねじ孔（６）に取り付けた、軸ボルト着脱式のポール独立型式（２７）のボルト固定式結合器を設ける。
【００５３】
中空型式（１９）の一体型式加工体（１５）の側面の下部に道具の差し入れ出し用の切り欠き孔（１０）を一方または二方に設ける。切り欠き孔（１０）部の左右に目隠しふたビス止め用のねじ孔を設ける。底部（１２）の中央に軸ボルト（３６）取り付け用のねじ孔（９）を１箇所設ける。底部（１２）に結合器固定ボルトを通す下孔（４）を３箇所設ける。水抜き孔（５）を１箇所設ける。水平調節ボルト（８）取り付け用のねじ孔（６）を３箇所設ける。ボルトの頭の側面の一方に軸ボルト着脱ボルト（１３）取り付け用のねじ孔（１４）を設け軸ボルト（３６）にする。軸ボルト（３６）だけを軸ボルト取り付け用のねじ孔（９）に取り付ける。軸ボルト着脱金具（１８）を軸ボルト着脱ボルト（１３）で軸ボルト（３６）のねじ孔（１４）に取り付ける。軸ボルト着脱金具（１８）と底部（１２）を固定する下孔を利用して、軸ボルト着脱金具（１８）を取り付ける下孔（４４）を底部（１２）に設ける。軸ボルト着脱金具（１８）を回転できるように底部（１２）に取り付ける。中空型式（１９）の一体型式加工体（１５）の上部に覆いを設ける。切り欠き孔（１０）部に着脱ができる目隠しふたをビス止めする。水平調節ボルト（８）を水平調節ボルト取り付け用のねじ孔（６）に取り付けた、軸ボルト着脱式のポール独立型式
（２７）のボルト固定式結合器を設ける。
【００５４】
V型式（６３）の加工体（１）の前後に向けてV型式鋼材からなるフェンスの支柱を新たに固定するボルト固定用の下孔（４６）を上部に１箇所設ける。V型式加工体（１）の下部にフェンスの本体と支柱を固定する製品に付属しているボルト固定用の下孔（４７）を縦長に１箇所設ける。底板（３）の中央に軸ボルト（７）取り付け用のねじ孔（９）を１箇所設ける。底板（３）に結合器固定ボルトを通す下孔（４）を３箇所設ける。水平調節ボルト（８）取り付け用のねじ孔（６）を３箇所設ける。軸ボルト（７）だけを軸ボルト取り付け用のねじ孔（９）に直接に固定する。V型式加工体（１）と底板（３）を固定する。水平調節ボルト（８）を水平調節ボルト取り付け用のねじ孔（６）に取り付けた、中間柱用（４８）の軸ボルト固定式のボルト固定式結合器を設ける。  
【００５５】
V型式（６３）の加工体（１）の前後に向けてV型式鋼材からなるフェンスの支柱を新たに固定するボルト固定用の下孔（４６）を上部に１箇所設ける。V型式の加工体（１）の下部にフェンスの本体と支柱を固定する製品に付属しているボルト固定用の下孔（４７）を縦長に１箇所設ける。軸棒一体型式底板（３８）に結合器固定ボルトを通す下孔（４）を３箇所設ける。水平調節ボルト（８）取り付け用のねじ孔（６）を３箇所設ける。軸棒にねじ溝を設け軸ボルトにする。V型式の加工体（１）と底板（３）を固定する。水平調節ボルト（８）を水平調節ボルト取り付け用のねじ孔（６）に取り付けた、中間柱用（４８）の軸ボルト固定式のボルト固定式結合器を設ける。
【００５６】
V型式（６３）の加工体（１）の前後に向けてV型式鋼材からなるフェンスの支柱を新たに固定するボルト固定用の下孔（４６）を上部に１箇所設ける。V型式の加工体の下部にフェンスの本体と支柱を固定する製品に付属しているボルト固定用の下孔（４７）を縦長に１箇所設ける。正方形の底板（３）の中央に軸ボルト（７）取り付け用のねじ孔（９）を１箇所設ける。正方形の底板（３）に結合器固定ボルトを通す下孔（４）を３箇所設ける。水平調節ボルト（８）取り付け用のねじ孔（６）を３箇所設ける。軸ボルト（７）だけを軸ボルト取り付け用のねじ孔（９）に直接に固定する。正方形の底板（３）の角に前面を向けてV型式の加工体（１）を固定する。水平調節ボルト（８）を水平調節ボルト取り付け用のねじ孔（６）に取り付けた、角地や鈍角地に使用する中間柱用（４９）の軸ボルト固定式のボルト固定式結合器を設ける。
【００５７】
V型式（６３）の加工体（１）の前後に向けてV型式鋼材からなるフェンスの支柱を新たに固定するボルト固定用の下孔（４６）を上部に１箇所設ける。V型式の加工体（１）の下部にフェンスの本体と支柱を固定する製品に付属しているボルト固定用の下孔（４７）を縦長に１箇所設ける。正方形の軸棒一体型式底板（３８）に結合器固定ボルトを通す下孔（４）を３箇所設ける。水平調節ボルト（８）取り付け用のねじ孔（６）を３箇所設ける。軸棒にねじ溝を設け軸ボルトにする。正方形の軸棒一体型式底板（３８）の角に前面を向けてV型式の加工体（１）を固定する。水平調節ボルト（８）を水平調節ボルト取り付け用のねじ孔（６）に取り付けた、角地や鈍角地に使用する中間柱用（４９）の軸ボルト固定式のボルト固定式結合器を設ける。
【００５８】
Ｌ型式（６４）の加工体（１）のＬ型の二方向の上部に、Ｌ型式鋼材からなるフェンス用の門扉の本体と柱を固定する製品に付属しているボルト固定用の下孔（８０）を２箇所ずつ設ける。二方向の下部にフェンスの本体を固定する製品に付属しているボルト固定用の下孔（５０）を縦長に１箇所ずつ設ける。底板（３）の中央に軸ボルト（７）取り付け用のねじ孔（９）を１箇所設ける。底板（３）に結合器固定ボルトを通す下孔（４）を３箇所設ける。水平調節ボルト（８）取り付け用のねじ孔（６）を３箇所設ける。軸ボルト（７）だけを軸ボルト取り付け用のねじ孔（９）に直接に固定した底板（３）または軸棒にねじ溝を設けた軸棒一体型式底板（３８）をＬ型式の加工体（１）に固定する。水平調節ボルト（８）を水平調節ボルト取り付け用のねじ孔（６）に取り付けた、フェンスの端柱とフェンス用の門扉の柱兼用タイプ用（５１）の軸ボルト固定式のボルト固定式結合器を設ける。
【００５９】
V型式（６３）の加工体（１）の前後に向けてV型式鋼材からなるフェンスの支柱を新たに固定するボルト固定用の下孔（４６）を上部に１箇所設ける。V型式の加工体（１）の下部にフェンスの本体と支柱を固定する製品に付属しているボルト固定用の下孔（４７）を縦長に１箇所設ける。底板（３）の中央に軸ボルト（７）取り付け用のねじ孔（９）を１箇所設ける。底板（３）に結合器固定ボルトを通す下孔（４）を３箇所設ける。水平調ボルト（８）取り付け用のねじ孔（６）を３箇所設ける。座金付長ナット（１６）の側面の一方に軸ボルト着脱ボルト（１３）取り付け用のねじ孔（１４）を設ける。軸ボルト（７）に座金付長ナット（１６）を取り付ける。座金付長ナットを取り付けた軸ボルト（７）を軸ボルト取り付け用のねじ孔（９）に取り付ける。座金付長ナット（１６）の下部を底板（３）に固定する。V型式の加工体（１）と底板（３）を固定する。軸ボルト着脱ボルト（１３）を軸ボルト着脱用のねじ孔（１４）に取り付ける。水平調節ボルト（８）を水平調節ボルト取り付け用のねじ孔（６）に取り付けた、中間柱用（４８）の軸ボルト着脱式のボルト固定式結合器を設ける。  
【００６０】
V型式（６３）の加工体（１）の前後に向けてV型式鋼材からなるフェンスの支柱を新たに固定するボルト固定用の下孔（４６）を上部に１箇所設ける。V型式の加工体（１）の下部にフェンスの本体と支柱を固定する製品に付属しているボルト固定用の下孔（４７）を縦長に１箇所設ける。底板（３）の中央に軸ボルト（３６）取り付け用のねじ孔（９）を１箇所設ける。底板（３）に結合器固定ボルトを通す下孔（４）を３箇所設ける。水平調節ボルト（８）取り付け用のねじ孔（６）を３箇所設ける。ボルトの頭の側面の一方に軸ボルト着脱ボルト（１３）取り付け用のねじ孔（１４）を設け軸ボルト（３６）にする。軸ボルト（３６）だけを軸ボルト取り付け用のねじ孔（９）に取り付ける。軸ボルト着脱金具（１８）を軸ボルト着脱ボルト（１３）で軸ボルト（３６）のねじ孔（１４）に取り付ける。軸ボルト着脱金具（１８）と底板（３）を固定する下孔を利用して、軸ボルト着脱金具を取り付ける下孔（４４）を底板（３）に設ける。軸ボルト着脱金具（１８）を回転できるように底板（３）に取り付ける。V型式の加工体（１）と底板（３）を固定する。水平調節ボルト（８）をねじ孔（６）に取り付けた、中間柱用（４８）の軸ボルト着脱式のボルト固定式結合器を設ける。
【００６１】
V型式（６３）の加工体（１）の前後に向けてV型式鋼材からなるフェンスの支柱を新たに固定するボルト固定用の下孔（４６）を上部に１箇所設ける。V型式の加工体（１）の下部にフェンスの本体と支柱を固定する製品に付属しているボルト固定用の下孔（４７）を縦長に１箇所設ける。底板（３）の中央部分に凸部（９６）を設ける。凸部の上部に軸ボルト取り付け用のねじ孔（９）を１箇所設ける。凸部の側面の一方に軸ボルト着脱ボルト（１３）取り付け用のねじ孔（１４）を設ける。底板（３）に結合器固定ボルトを通す下孔（４）を３箇所設ける。水平調節ボルト（８）取り付け用のねじ孔（６）を３箇所設ける。V型式の加工体（１）と底板（３）を固定する。軸ボルト（７）だけを軸ボルト取り付け用のねじ孔（９）に取り付ける。軸ボルト着脱ボルト（１３）を軸ボルト着脱用のねじ孔（１４）に取り付ける。水平調節ボルト（８）をねじ孔（６）に取り付けた、中間柱用（４８）の軸ボルト着脱式のボルト固定式結合器を設ける。
【００６２】
V型式（６３）の加工体（１）の前後に向けてV型式鋼材からなるフェンスの支柱を新たに固定するボルト固定用の下孔（４６）を上部に１箇所設ける。V型式の加工体の（１）下部にフェンスの本体と支柱を固定する製品に付属しているボルト固定用の下孔（４７）を縦長に１箇所設ける。正方形の底板（３）の中央に軸ボルト（７）取り付け用のねじ孔（９）を１箇所所設ける。底板（３）に結合器固定ボルトを通す下孔（４）を３箇所設ける。水平調ボルト（８）取り付け用のねじ孔（６）を３箇所設ける。座金付長ナット（１６）の側面の一方に軸ボルト着脱ボルト（１３）取り付け用のねじ孔（１４）を設ける。軸ボルト（７）に座金付長ナット（１６）を取り付ける。座金付長ナットを取り付けた軸ボルト（７）を軸ボルト取り付け用のねじ孔（９）に取り付ける。座金付長ナット（１６）の下部を底板（３）に固定する。正方形の底板（３）の角に前面を向けてV型式加工体（１）を固定する。水平調節ボルト（８）を水平調節ボルト取り付け用のねじ孔（６）に取り付けた、角地や鈍角地に使用する中間柱用（４９）の軸ボルト着脱式のボルト固定式結合器を設ける。
【００６３】
V型式（６３）の加工体（１）の前後に向けてV型式鋼材からなるフェンスの支柱を新たに固定するボルト固定用の下孔（４６）を上部に１箇所設ける。V型式の加工体（１）の下部にフェンスの本体と支柱を固定する製品に付属しているボルト固定用の下孔（４７）を縦長に１箇所設ける。正方形の底板（３）の中央に軸ボルト（３６）取り付け用のねじ孔（９）を１箇所設ける。底板（３）に結合器固定ボルトを通す下孔（４）を３箇所設ける。水平調節ボルト（８）取り付け用のねじ孔（６）を３箇所設ける。ボルトの頭の側面の一方に軸ボルト着脱ボルト（１３）取り付け用のねじ孔（１４）を設け軸ボルト（３６）にする。軸ボルト（３６）だけを軸ボルト取り付け用のねじ孔（９）に取り付ける。軸ボルト着脱金具（１８）を軸ボルト着脱ボルト（１３）で軸ボルト（３６）のねじ孔（１４）に取り付ける。軸ボルト着脱金具（１８）と正方形の底板（３）を固定する下孔を利用して、軸ボルト着脱金具を取り付ける下孔（４４）を底板（３）に設ける。軸ボルト着脱金具（１８）を回転できるように正方形の底板（３）に取り付ける。正方形の底板（３）の角に前面を向けてV型式の加工体（１）を固定する。水平調節ボルト（８）をねじ孔（６）に取り付けた、角地や鈍角地に使用する中間柱用（４９）の軸ボルト着脱式のボルト固定式結合器を設ける。  
【００６４】
V型式（６３）の加工体（１）の前後に向けてV型式鋼材からなるフェンスの支柱を新たに固定するボルト固定用の下孔（４６）を上部に１箇所設ける。V型式の加工体（１）の下部にフェンスの本体と支柱を固定する製品に付属しているボルト固定用の下孔（４７）を縦長に１箇所設ける。正方形の底板（３）の中央部分に凸部（９６）を設ける。凸部の上部に軸ボルト（７）取り付け用のねじ孔（９）を１箇所設ける。凸部の側面の一方に軸ボルト着脱ボルト（１３）取り付け用のねじ孔（１４）を設ける。正方形の底板（３）に結合器固定ボルトを通す下孔（４）を３箇所設ける。水平調節ボルト（８）取り付け用のねじ孔（６）を３箇所設ける。正方形の底板（３）の角に前面を向けてV型式の加工体（１）を固定する。軸ボルト（７）だけを軸ボルト取り付け用のねじ孔（９）に取り付ける。軸ボルト着脱ボルト（１３）を軸ボルト着脱用のねじ孔（１４）に取り付ける。水平調節ボルト（８）をねじ孔（６）に取り付けた、角地や鈍角地に使用する中間柱用（４９）の軸ボルト着脱式のボルト固定式結合器を設ける。
【００６５】
Ｌ型式（６４）の加工体（１）の二方向の上部に、Ｌ型式鋼材からなるフェンス用の門扉の本体と門扉の柱を固定する製品に付属しているボルト固定用の下孔（８０）を２箇所ずつ設ける。二方向の下部にフェンスを固定する製品に付属しているボルト固定用の下孔（５０）を縦長に１箇所ずつ設ける。底板（３）の中央に軸ボルト（７）取り付け用のねじ孔（９）を１箇所設ける。底板（３）に結合器固定ボルトを通す下孔（４）を３箇所設ける。水平調ボルト（８）取り付け用のねじ孔（６）を３箇所設ける。座金付長ナット（１６）の側面の一方に軸ボルト着脱ボルト（１３）取り付け用のねじ孔（１４）を設ける。軸ボルト（７）に座金付長ナット（１６）を取り付ける。座金付長ナットを取り付けた軸ボルト（７）を軸ボルト取り付け用のねじ孔（９）に取り付ける。座金付長ナット（１６）の下部を底板（３）に固定する。Ｌ型式の加工体（１）と底板（３）を固定する。軸ボルト着脱ボルト（１３）を軸ボルト着脱用のねじ孔（１４）に取り付ける。水平調節ボルト（８）を水平調節ボルト取り付け用のねじ孔（６）に取り付けた、フェエンスの端柱とフェンス用の門扉の柱兼用タイプ用（５１）の軸ボルト着脱式のボルト固定式結合器を設ける。
【００６６】
Ｌ型式（６４）の加工体（１）の二方向の上部に、Ｌ型式鋼材からなるフェンス用の門扉の本体と門扉の柱を固定する製品に付属しているボルト固定用の下孔（８０）を２箇所ずつ設ける。二方向の下部にフェンスを固定する製品に付属しているボルト固定用の下孔（５０）を縦長に１箇所ずつ設ける。底板（３）の中央に軸ボルト（３６）取り付け用のねじ孔（９）を１箇所設ける。底板（３）に結合器固定ボルトを通す下孔（４）を３箇所設ける。水平調節ボルト（８）取り付け用のねじ孔（６）を３箇所設ける。ボルトの頭の側面の一方に軸ボルト着脱ボルト（１３）取り付け用のねじ孔（１４）を設け軸ボルト（３６）にする。軸ボルト（３６）だけを軸ボルト取り付け用のねじ孔（９）に取り付ける。軸ボルト着脱金具（１８）を軸ボルト着脱ボルト（１３）で軸ボルト（３６）のねじ孔（１４）に取り付ける。軸ボルト着脱金具（１８）と底板（３）を固定する下孔を利用して、軸ボルト着脱金具を取り付ける下孔（４４）を底板（３）に設ける。軸ボルト着脱金具（１８）を回転できるように底板（３）に取り付ける。Ｌ型式の加工体（１）と底板（３）を固定する。水平調節ボルト（８）をねじ孔（６）に取り付けた、フェンスの端柱とフェンス用の門扉の柱兼用タイプ用（５１）の軸ボルト着脱式のボルト固定式結合器を設ける。
【００６７】
Ｌ型式（６４）の加工体（１）の二方向の上部に、Ｌ型式鋼材からなるフェンス用の門扉の本体と門扉の柱を固定する製品に付属しているボルト固定用の下孔（８０）を２箇所ずつ設ける。二方向の下部にフェンスを固定する製品に付属しているボルト固定用の下孔（５０）を縦長に１箇所ずつ設ける。底板（３）の中央部分に凸部（９６）を設ける。凸部の上部に軸ボルト（７）取り付け用のねじ孔（９）を１箇所設ける。凸部の側面の一方に軸ボルト着脱ボルト（１３）取り付け用のねじ孔（１４）を設ける。底板（３）に結合器固定ボルトを通す下孔（４）を３箇所設ける。水平調節ボルト（８）取り付け用のねじ孔（６）を３箇所設ける。Ｌ型式の加工体（１）と底板（３）を固定する。軸ボルト（７）だけを軸ボルト取り付け用のねじ孔（９）に取り付ける。軸ボルト着脱ボルト（１３）を軸ボルト着脱用のねじ孔（１４）に取り付ける。水平調節ボルト（８）をねじ孔（６）に取り付けた、フェンスの端柱とフェンス用の門扉の柱兼用タイプ用（５１）の軸ボルト着脱式のボルト固定式結合器を設ける。
【００６８】
V型式（６３）の一体型式加工体（１５）のV型部分の前後に向けてV型式鋼材からなるフェンスの支柱を新たに固定するボルト固定用の下孔（４６）を上部に１箇所設ける。V型部分の下部にフェンスの本体と支柱を固定する製品に付属しているボルト固定用の下孔（４７）を縦長に１箇所設ける。底部（１２）の中央に軸ボルト（７）取り付け用のねじ孔（９）を１箇所設ける。底部（１２）に結合器固定ボルトを通す下孔（４）を３箇所設ける。水平調節ボルト（８）取り付け用のねじ孔（６）を３箇所設ける。軸ボルト（７）だけを軸ボルト取り付け用のねじ孔（９）に直接に固定する。水平調節ボルト（８）を水平調節ボルト取り付け用のねじ孔（６）に取り付けた、中間柱（４８）用の軸ボルト固定式のボルト固定式結合器を設ける。  
【００６９】
V型式（６３）の軸棒一体型式加工体（４０）のV型部分の前後に向けてV型式鋼材からなるフェンスの支柱を新たに固定するボルト固定用の下孔（４６）を上部に１箇所設ける。V型部分の下部にフェンスの本体と支柱を固定する製品に付属しているボルト固定用の下孔（４７）を縦長に１箇所設ける。軸棒一体型式加工体の底部（１２）に結合器固定ボルトを通す下孔（４）を３箇所設ける。水平調節ボルト（８）取り付け用のねじ孔（６）を３箇所設ける。軸棒にねじ溝を設け軸ボルトにする。水平調節ボルト（８）を水平調節ボルト取り付け用のねじ孔（６）に取り付けた、中間柱用（４８）の軸ボルト固定式のボルト固定式結合器を設ける。
【００７０】
正方形の底部（１２）の角に前面を向けて設けたV型式（６３）の一体型式加工体（１５）のV型部分の前後に向けてV型式鋼材からなるフェンスの支柱を新たに固定するボルト固定用の下孔（４６）を上部に１箇所設ける。V型部分の下部にフェンスの本体と支柱を固定する製品に付属しているボルト固定用の下孔（４７）を縦長に１箇所設ける。底部（１２）の中央に軸ボルト（７）取り付け用のねじ孔（９）を１箇所きざむ。底部（１２）に結合器固定ボルトを通す下孔（４）を３箇所設ける。水平調節ボルト（８）取り付け用のねじ孔（６）を３箇所設ける。軸ボルト（７）だけを軸ボルト取り付け用のねじ孔（９）に直接に固定する。水平調節ボルト（８）をねじ孔（６）に取り付けた、角地や鈍角地に使用する中間柱用（４９）の軸ボルト固定式のボルト固定式結合器を設ける。
【００７１】
正方形の底部（１２）の角に前面を向けて設けたV型式（６３）の軸棒一体型式加工体（４０）のV型部分の前後に向けてV型式鋼材からなるフェンスの支柱を新たに固定するボルト固定用の下孔（４６）を上部に１箇所設ける。V型部分の下部にフェンスの本体と支柱を固定する製品に付属しているボルト固定用の下孔（４７）を縦長に１箇所設ける。軸棒にねじ溝を設け軸ボルトにする。底部（１２）に結合器固定ボルトを通す下孔（４）を３箇所設ける。水平調節ボルト（８）取り付け用のねじ孔（６）を３箇所設ける。水平調節ボルト（８）をねじ孔（６）に取り付けた、角地や鈍角地に使用する中間柱用（４９）の軸ボルト固定式のボルト固定式結合器を設ける。
【００７２】
Ｌ型式（６４）の一体型式加工体（１５）のＬ型部分の二方向の上部に、Ｌ型式鋼材からなるフェンス用の門扉の本体と門扉の柱を固定する製品に付属しているボルト固定用の下孔（８０）を２箇所ずつ設ける。二方向の下部にフェンスの本体を固定する製品に付属しているボルト固定用の下孔（５０）を縦長に１箇所ずつ設ける。底部（１２）の中央に軸ボルト（７）取り付け用のねじ孔（９）を１箇所設ける。底部（１２）に結合器固定ボルトを通す下孔（４）を３箇所設ける。水平調節ボルト（８）取り付け用のねじ孔（６）を３箇所設ける。軸ボルト（７）だけを軸ボルト取り付け用のねじ孔（９）に直接に固定する。水平調節ボルト（８）を水平調節ボルト取り付け用のねじ孔（６）に取り付けた、フェンスの端柱とフェンス用の門扉の柱兼用タイプ用（５１）の軸ボルト固定式のボルト固定式結合器を設ける。
【００７３】
Ｌ型式（６４）の軸棒一体型式加工体（４０）のＬ型部分の二方向の上部に、Ｌ型式鋼材からなるフェンス用の門扉の本体と門扉の柱を固定する製品に付属しているボルト固定用の下孔（８０）を２箇所ずつ設ける。二方向の下部にフェンスの本体を固定する製品に付属しているボルト固定用の下孔（５０）を縦長に１箇所ずつ設ける。底部（１２）に結合器固定ボルトを通す下孔（４）を３箇所設ける。水平調節ボルト（８）取り付け用のねじ孔（６）を３箇所設ける。軸棒にねじ溝を設け軸ボルトにする。水平調節ボルト（８）を水平調節ボルト取り付け用のねじ孔（６）に取り付けた、フェンスの端柱とフェンス用の門扉の柱兼タイプ用（５１）の軸ボルト固定式のボルト固定式結合器を設ける。
【００７４】
V型式（６３）の一体型式加工体（１５）のV型部分の前後に向けてV型式鋼材からなるフェンスの支柱を新たに固定するボルト固定用の下孔（４６）を上部に１箇所設ける。V型部分の下部にフェンスの本体と支柱を固定する製品に付属しているボルト固定用の下孔（４７）を縦長に１箇所設ける。底部（１２）の中央に軸ボルト（７）取り付け用のねじ孔（９）を１箇所設ける。底部（１２）に結合器固定ボルトを通す下孔（４）を３箇所設ける。水平調節ボルト（８）取り付け用のねじ孔（６）を３箇所設ける。座金付長ナット（１６）の側面の一方に軸ボルト着脱ボルト（１３）取り付け用のねじ孔（１４）を設ける。軸ボルト（７）に座金付長ナット（１６）を取り付ける。座金付長ナットを取り付けた軸ボルトを軸ボルト取り付け用のねじ孔（９）に取り付ける。座金付長ナット（１６）の下部を底板（３）に固定する。軸ボルト着脱ボルト（１３）を軸ボルト着脱用のねじ孔（１４）に取り付ける。水平調節ボルト（８）を水平調節ボルト取り付け用のねじ孔（６）に取り付けた、中間柱用（４８）の軸ボルト着脱式のボルト固定式結合器を設ける。
【００７５】
V型式（６３）の一体型式加工体（１５）のV型部分の前後に向けてV型式鋼材からなるフェンスの支柱を固定するボルト固定用の下孔（４６）を上部に１箇所設ける。V型部分の下部にフェンスの本体と支柱を固定する製品に付属しているボルト固定用の下孔（４７）を縦長に１箇所設ける。底部（１２）の中央に軸ボルト（３６）取り付け用のねじ孔（９）を１箇所設ける。底部（１２）に結合器固定ボルトを通す下孔（４）を３箇所設ける。水平調節ボルト（８）取り付け用のねじ孔（６）を３箇所設ける。ボルトの頭の側面の一方に軸ボルト着脱ボルト（１３）用のねじ孔（１４）を設け軸ボルト（３６）にする。軸ボルト（３６）だけを軸ボルト取り付け用のねじ孔（９）に取り付ける。軸ボルト着脱金具（１８）を軸ボルト着脱ボルト（１３）で軸ボルト（３６）のねじ孔（１４）に取り付ける。軸ボルト着脱金具（１８）と底部（１２）を固定する下孔を利用して、軸ボルト着脱金具を取り付ける下孔（４４）を底部（１２）に設ける。軸ボルト着脱金具（１８）を回転できるように底部（１２）に取り付ける。水平調節ボルト（８）をねじ孔（６）に取り付けた、中間柱用（４８）の軸ボルト着脱式のボルト固定式結合器を設ける。
【００７６】
V型式（６３）の一体型式加工体（１５）のV型部分の前後に向けてV型式鋼材からなるフェンスの支柱を固定するボルト固定用の下孔（４６）を上部に１箇所設ける。V型部分の下部にフェンスの本体と支柱を固定する製品に付属しているボルト固定用の下孔（４７）を縦長に１箇所設ける。底部（１２）の中央部分に凸部（９６）を設ける。凸部の上部に軸ボルト（７）取り付け用のねじ孔（９）を１箇所設ける。凸部の側面の一方に軸ボルト着脱ボルト（１３）取り付け用のねじ孔（１４）を設ける。底部（１２）に結合器固定ボルトを通す下孔（４）を３箇所設ける。水平調節ボルト（８）取り付け用のねじ孔（６）を３箇所設ける。軸ボルト（７）だけを軸ボルト取り付け用のねじ孔（９）に取り付ける。軸ボルト着脱ボルト（１３）を軸ボルト着脱用のねじ孔（１４）に取り付ける。水平調節ボルト（８）をねじ孔（６）に取り付けた、中間柱用（４８）の軸ボルト着脱式のボルト固定式結合器を設ける。
【００７７】
Ｌ型式（６４）の一体型式加工体（１５）の二方向の上部に、Ｌ型式鋼材からなるフェンス用の門扉の本体と門扉の柱を固定する製品に付属しているボルト固定用の下孔（８０）を２箇所ずつ設ける。二方向の下部にフェンスを固定する製品に付属しているボルト固定用の下孔（５０）を縦長に１箇所ずつ設ける。底部（１２）の中央に軸ボルト（７）取り付け用のねじ孔（９）を１箇所設ける。底部（１２）に結合器固定ボルトを通す下孔（４）を３箇所設ける。水平調ボルト（８）取り付け用のねじ孔（６）を３箇所設ける。座金付長ナット（１６）の側面の一方に軸ボルト着脱ボルト（１３）取り付け用のねじ孔（１４）を設ける。軸ボルト（７）に座金付長ナットを取り付ける。座金付長ナットを取り付けた軸ボルトを軸ボルト取り付け用のねじ孔（９）に取り付ける。座金付長ナット（１６）の下部を底部（１２）に固定する。軸ボルト着脱ボルト（１３）を軸ボルト着脱用のねじ孔（１４）に取り付ける。水平調節ボルト（８）を水平調節ボルト取り付け用のねじ孔（６）に取り付けた、フェンスの端柱とフェンス用の門扉の柱兼用タイプ用（５１）の軸ボルト着脱式のボルト固定式結合器を設ける。
【００７８】
Ｌ型式（６４）の一体型式加工体（１５）の二方向の上部に、Ｌ型式鋼材からなるフェンス用の門扉の本体と門扉の柱を固定する製品に付属しているボルト固定用の下孔（８０）を２箇所ずつ設ける。二方向の下部にフェンスを固定する製品に付属しているボルト固定用の下孔（５０）を縦長に１箇所ずつ設ける。底部（１２）の中央に軸ボルト（３６）取り付け用のねじ孔（９）を１箇所設ける。底部（１２）に結合器固定ボルトを通す下孔（４）を３箇所設ける。水平調節ボルト（８）取り付け用のねじ孔（６）を３箇所設ける。ボルトの頭の側面の一方に軸ボルト着脱ボルト（１３）取り付け用のねじ孔（１４）を設け軸ボルト（３６）にする。軸ボルト（３６）だけを軸ボルト取り付け用のねじ孔（９）に取り付ける。軸ボルト着脱金具（１８）を軸ボルト着脱ボルト（１３）で軸ボルト（３６）のねじ孔（１４）に取り付ける。軸ボルト着脱金具（１８）と底部（１２）を固定する下孔を利用して、軸ボルト着脱金具を取り付ける下孔（４４）を底部（１２）に設ける。軸ボルト着脱金具（１８）を回転できるように底部（１２）に取り付ける。水平調節ボルト（８）をねじ孔（６）に取り付けた、フェンスの端柱とフェンス用の門扉の柱兼用タイプ用（５１）の軸ボルト着脱式のボルト固定式結合器を設ける。
【００７９】
Ｌ型式（６４）の一体型式加工体（１５）の二方向の上部に、Ｌ型式鋼材からなるフェンス用の門扉の本体と門扉の柱を固定する製品に付属しているボルト固定用の下孔（８０）を２箇所ずつ設ける。二方向の下部にフェンスを固定する製品に付属しているボルト固定用の下孔（５０）を縦長に１箇所ずつ設ける。底部（１２）の中央部分に凸部（９６）を設ける。凸部の上部に軸ボルト（７）取り付け用のねじ孔（９）を１箇所設ける。凸部の側面の一方に軸ボルト着脱ボルト（１３）取り付け用のねじ孔（１４）を設ける。底部（１２）に結合器固定ボルトを通す下孔（４）を３箇所設ける。水平調節ボルト（８）取り付け用のねじ孔（６）を３箇所設ける。軸ボルト（７）だけを軸ボルト取り付け用のねじ孔（９）に取り付ける。軸ボルト着脱ボルト（１３）を軸ボルト着脱用のねじ孔（１４）に取り付ける。水平調節ボルト（８）をねじ孔（６）に取り付けた、フェンスの端柱とフェンス用の門扉の柱兼用タイプ用（５１）の軸ボルト着脱式のボルト固定式結合器を設ける。
【００８０】
中空型式（１９）の傾斜地対応用（３７）の加工体（１）の側面に設ける下孔（２）を前後に各２箇所ずつ、左右に１箇所ずつ設け、左右に取り付けるスライド板（６０）の中央部分に縦長の細い切り欠き溝を下孔（２）の変わりに設けることがある。また加工体（１）の左右の側面に設ける下孔（２）は、回転止め金具（５９）を貫いて設けるものである。
丸パイプ型式（６５）の傾斜地対応用（３７）の横軸（５６）取り付け用の下孔（５７）の上部に、製品に付属しているボルトを通す下孔（４５）を設けるものがある。
角パイプ型式（６６）の傾斜地対応用（３７）の加工体（１）の前後に設ける下孔（２）及び下孔（５７）以外に、製品に付属している部品を避ける切り欠き部（１７）を設けるものがある。
【００８１】
ボルト固定式結合器の軸ボルト着脱式は、フェンスなどの製品を設ける箇所に障害物があり、ボルト固定式結合器を回転させることが出来ない場合用または取り付けたい製品と塀や壁の隙間を極力無くして取り付けできるように設けるものである。
【００８２】
軸ボルト着脱式のボルト固定式結合器に、フェンスや門扉、手すりの支柱や車止め及び標識用や案内板用のポールを固定する下孔（２）を角地や境界などに障害物があり、ねじまわしを使用できないところ用に、側面にボルト固定用のねじ孔を設けるものがある。
【００８３】
（イ）中空型式（１９）のボルト固定式結合器に、支柱や車止め及び標識用、案内板用、駐車場ミラー用、のぼり旗用のポールを中空部分に差し込む内径用を設ける。
（ロ）中空型式（１９）のボルト固定式結合器に、支柱や車止め及び標識用、案内板用、駐車場ミラー用、のぼり旗用のポールを中空部分にはめ込む外径用を設ける。
（ハ）中空型式（１９）のボルト固定式結合器の外径用に、フェンス及び手すりの支柱を固定する傾斜地対応用（３７）を設ける。
【００８４】
（イ）段落番号００２７、００２８、００２９、００４１、００４２、００４３記載の中空型式（１９）の軸ボルト着脱式用に設ける着脱金具（１８）を着脱するために利用する切り欠き孔（１０）部に目隠しふたを設けることがある。
（ロ）段落番号００３９、００４１、００４２記載の中空型式（１９）の一体型式加工体（１５）に設ける軸ボルトを中空部分の上部から工具または道具を利用して着脱できるものに、切り欠き孔（１０）を設けないものがある。
【００８５】
V型式（６３）及びL型式（６４）のボルト固定用の縦長の下孔（４７）、（５０）は、既存フェンスの支柱の埋め込み部分が微妙に異なっている場合用に設けるものである。また、中空型式（１９）の下孔（２）も縦長に設けることがある。
【００８６】
ポール独立型式（２７）は軽くて持ち運びや固定が容易にでき、室外はもちろん室内や塀の天端や金属面にも固定できるように設けるもの及び室外に車止めとして使用できるものを設けるものである。
【００８７】
ボルト固定式結合器に、軸ボルト（７）用と結合器固定用のコンクリート打ち込みナット（３９）及びボルト（４３）を付属する。
ボルト固定式結合器に取り付ける水平調節ボルト（８）以外に、長さの異なるボルト及び使用の際、底部（１２）の表面と水平調節ボルトの頭に隙間が生じた場合用に、コンクリート面に埋め込めるボルト固定用のプラグまたはボルトの頭に取り付けるキャップを付属するものである。
【００８８】
保持ボルトの仕様。
（イ）保持ボルト（３３）は、ボルトの頭を大きめの三角形に設けた角に面を設ける。面を設けた角と角の中間にねじまわしを差す溝を３箇所設ける。保持ボルト（３３）の着脱用に、ねじまわしをボルトの頭に差し込める形状に設ける。
（ロ）保持ボルト（３４）は、一般的な形状のボルトの頭の中央に下孔（７１）を設ける。保持ボルト（３４）の下孔（７１）に打ち込み保持ボルトの頭を覆い隠すための、ドーム型覆い（７２）を設ける。
上記記載のものを、標識及び案内板のポール用のいたずら防止用に付属品として設けるものである。
【００８９】
錠受け（４１）の仕様。
（イ）コンクリート打ち込み式の錠受け（４１）の上部にツバ（６７）を左右対称に設ける。ツバにビス止め固定用のねじ孔（７３）を設ける。
（ロ）錠受け（４１）に取り付ける中空体（６８）を設ける。中空体（６８）の上部にリングを設ける。中空体（６８）を落とし込むために、中空体の側面の下部からリングの裏側までツバ（６７）の幅よりも若干大きめの切り欠き溝（７６）を左右対称に設ける。切り欠き溝の上部のリング部分にビスを通す下孔（７７）を左右対称に設ける。中空体（６８）の前後の側面の下部から中間部にかけて錠掛け板（６９）を上下させる縦長の切り欠き溝（７８）を設け、さらに時計まわりに錠掛け板（６９）を止める切り欠き溝（７８）を設ける。底部に水抜き孔を設ける。
（ハ）中空体に取り付ける錠掛け板（６９）を設ける。錠掛け板の上部の角に面を設ける。錠掛け板の上部に錠を掛ける縦長の孔（７９）を設ける。錠掛け板の下部の左右に凸部（８１）を左右対称に設ける。
（ニ）錠受けカバー（７０）を設ける。錠受け（４１）のツバ（６７）に設けたねじ孔（７３）の位置にあわせてビスを通す下孔（８２）を設ける。錠受けカバー（７０）に錠掛け板（６９）を上下させる長方形を加工した切り欠き溝（８３）を設ける。
組み立て方法。
錠掛け板（６９）の凸部を下にして中空体（６８）の切り欠き溝（７８）に差し込む。次に錠受け（４１）に落とし込む。次に錠受けカバーの下孔（８２）と中空体のビスを通す下孔（７７）と錠受け（４１）のねじ孔（７３）の位置を合わせ、ビスで固定する。また、板を引き上げるために釣り針状のものを設ける。
上記記載のものを、車止めのいたずら防止用に付属品として設けるものである。
【００９０】
塀とスチール製のフェンスの支柱用の後付け固定金具（８５）の仕様。
（イ）後付け固定金具（８５）の片側の端に面（８６）を設ける。後付け固定金具の縦部の左右にチョウバン式の中空部分（８７）を設ける。後付け固定金具の縦部と底部の中心部分に回転式結合器の軸ボルト（７）及びコンクリート打ち込み固定ボルト（４３）、既存フェンスに取り付けられている本体と支柱を固定するボルトを通す細長い下孔（８８）を設ける。
（ロ）腕板（７４）の片側の端に後付け固定金具（４０）取り付け用のチョウバン式の中空部分（８７）を設ける。腕板（７４）の反対側に受け板（７５）取り付け用のチョウバン式の中空部分（８７）を設ける。
（ハ）受け板（７５）の片方の端に腕板（７４）取り付け用のチョウバン式の中空部分（８７）を設ける。受け板（７５）の中央部分に既存フェンスのボルトを通す下孔（８９）を横長または縦長に設ける。
（ニ）後付け固定金具（４０）と腕板（７４）及び腕板と受け板（７５）を固定するボルト（８４）、ナットを付属する。既存フェンスの本体と支柱を固定しているボルトが短くて固定できない場合ように、長めのボルトとナット及びコンクリート打ち込みナット（３９）とボルト（４３）を付属する。
後付け固定金具（４０）は組み替えができるように設けるものである。
上記記載のものを駐車場ミラーやのぼり旗のポール用及びポール独立型式（２７）用に付属品として設けるものである。
【００９１】
ナット（３９）付きコンクリート体（２４）は、円柱の形と角柱の形の型枠を設ける。生コンクリート面に結合器固定ボルト（４３）用の下孔（４）の位置に合わせ、ナット（３９）を３箇所設ける。コンクリート体（２４）の中央にナット（３９）打ち込み固定用の下孔（９０）を設けたもの及び軸ボルト取り付け用のナット（３９）だけを設けた２種類を設ける。
上記記載のものを駐車場ミラー用やのぼり旗のポール用及びポール独立型式（２７）用に付属品として設けるものである。
【００９２】
製品を外径用のボルト固定式結合器の中空部分にはめ込み製品をビス等で固定する際、製品に設ける下孔を結合器の下孔（２）と同位置に設けるため及び傾斜地対応用（３７）を使用する際に、傾斜角度に合わせ、製品を切断加工しやすくするためにパイプ型式（５２）の形状のポリカーボネート系の加工具を付属品として設けるものである。
加工具の内径は製品の外径より若干緩めに設け、ボルト固定式結合器に設ける下孔（２）と同位置に、下孔（２）より若干小さめの孔空けようの下孔を設けるものである。
【００９３】
後付け固定金具（８５）は、重量のある門扉の支柱用に補強用としても利用できるものである。
【発明の効果】
【００９４】
軸ボルト取り付け用のナット（３９）を既存固定面に設けるだけで簡易柵、簡易車止めができるため、通学時間帯の自動車の進入禁止用や駐車場の一時的な閉鎖用や通路を一時的に分割し片側歩行用や開店、開演を待つ人たちの誘導用等に使用ができ、収納場所にナット（３９）を設けることで立てたまま収納もでき、使用しないときは既存固定面に設けたナット（３９）に、ドライバー等で着脱ができる平たい頭のボルトを仮固定することでチリ、ホコリ等も最小限で済み、製品を必要なときに移動や持ち回しができるようになる。
【００９５】
独立型式以外のホッチキスの針の形をした車止めなどにも使用ができ、人や自動車の出入りが多い駐車場に設けられている車止めの交換が容易にできようになる。
【００９６】
福祉施設や病院及び路線バスなどの停留所にコンクリートで固めて据え置きしてある時刻表示板やゴミ収集所などのポール下がすっきりして、危険性が少なく、見た目にもよい。
また、道路沿いや歩道に設けられている雨水等が流れるU字溝のコンクリートのふたの上に据え置きしてある箇所に、U字溝用のボルト固定ができるグレーチングの網目に結合器のボルトを差しナットで固定し、グレーチングをU字溝に固定し、さらに案内板等のポールを結合器に固定することで歩行者や自転車等のすれ違い時の往来がしやすくなる。
【００９７】
ポール独立型式（２７）は、駐車場等の取り替え式車止めとしての使用及び室内や屋外の、人の誘導用に軽量で女性のかたでも持ち運びや固定が容易にできる簡易ポール用や従来壁面や電柱に固定されていて見えにくい地番表示板を住宅地などの曲がり角のコンクリート塀の天端やブロック塀の天端にL字型に地番表示板を固定するポール用やこども１１０番などの表示板のポール用や駅構内に子供たちの目線で案内板などを表示できるポール用などに場所をとらずに固定ができるポールとして利用できるものである。
【００９８】
のぼり旗用のポールをナット付コンクリート体（２４）や既製品のコンクリート基礎ブロック（５４）を利用するまたは後付け固定金具（８５）を利用し、壁や既存フェンスに固定、もしくは直接に軒下のコンクリートたたき面やタイル仕上げ面等に軸ボルト固定用のナット（３９）を設け、取り付けることで視界が開け、歩行者や自転車などの通行の妨げが少なくなり、ポール下がすっきりして現状よりも広い空間ができ、見た目にも良くなる。
【００９９】
軸ボルト及び結合器固定ボルト用のナットの埋め込み部分が少なため、地下に上下水道管やガス管、電線などの障害物がある場所でも、従来使用ができなかった商品の使用ができるようになる。
【０１００】
従来、フェンスや手すりの支柱用の埋め込み穴を設けることが容易でははかった傾斜地に、傾斜地用（３７）の結合器を使用することで作業が容易にできるようになる。
【０１０１】
コンクリートたたき面やコンクリート塀、ブロック塀に取り付けられている製品を交換する場合、既存の支柱や車止めをコンクリート面で切断して残った支柱やポールの穴に、モルタルで軸ボルト固定用のナットを同時に設けるまたはモルタルが硬化してからナットを設けることで容易に交換ができるようになる。
【０１０２】
既存で製品が取り付けられていないコンクリート塀、ブロック塀に使用する場合、コンクリート塀やブロック塀に穴を空ける作業や支柱等が取り付く部分を壊すまたは全体を壊し、修復や新たに塀を造る作業が少なくなくなるため、上記記載以上に効率がよくなる。
【０１０３】
標識用や案内板用のポールを地面または舗装面に穴を掘り、既製品のコンクリート基礎ブロック（５４）を舗装面などに埋め込み、軸ボルト固定用のナット及び結合器固定ボルト用のナットを設けることでポール固定が容易にでき、壊れたときの交換が楽になる。
このとき、従来同様に残土や舗装を砕いた廃棄物を廃棄処分または処理をすることになるが、自動車などの衝撃でコンクリート基礎ブロックごと交換をしなければならない場合以外、基礎ブロックの補修や底返しをして再利用が可能になる。
【０１０４】
新たに、駐車場やコンクリート塀、ブロック塀を造る場合、コンクリートのたたき作業や塀創りを優先することもできる。また、完成後にフェンスなどの追加や変更が生じても、コンクリートを砕く必要もなく、作業も容易で、コンクリート面を砕かないため仕上がりがきれいで、支柱などを表に見せる製品をはめ込む結合器を使用することで美観を損なうこともない。
【０１０５】
（イ）金属切断などの資格や道具がある個人、または資格があり道具をリースすることで車止め及び駐車場ミラーなどのポール固定はもちろんフェンスなどの組み立ても可能になる。
（ロ）金属切断などの資格や道具がない個人が使用する場合、既存固定部分が古く修復が必要な箇所以外であれば、金属切断などの資格者や販売店に製品の支柱やポールの切断と結合器に固定するビス孔を製品に空けてもらう必要はあるが、コンクリートを砕く作業がなくなり、一部に水平調節ボルト用のプラグを既存固定部分に設けなければならない箇所があり得る以外、軸ボルトや結合器固定ボルト用のナットを固定面に設ければ、上記記載同様にフェンス等の組み立てまでが可能になる。
【０１０６】
新規の現場の場合、フェンス等の工事以外の造園業者や舗装業者などの工事が重なる際、結合器を固定する既製品のコンクリート基礎ブロック（５４）を設け、軸ボルトが固定できるようにモルタルを詰めておくことでフェンス取り付けなどの作業工程が組みやすくなり、業者間の作業工程上のトラブルが軽減できるようになる。
また、コンクリート基礎ブロック（５４）を使用してフェンス等を取り付けてあるところで、壊れたときや古くなり交換するときも、既存フェンスの支柱をコンクリート面で切断し、結合器を固定することで、新たなフェンスに交換ができ、コンクリート基礎ブロック（５４）の再利用が可能になる。
【０１０７】
従来、コンクリートに埋め込み固定されている製品は、再利用ができないものが多く廃棄処分しているが、リサイクルが可能になる。
【０１０８】
平地及び塀や壁際、境界際、角地、傾斜地に対応ができ、市場に流通している既製品に合わせた色に対応ができ、コンクリートを砕く振動や解体が殆ど無く、コンクリートの粉塵が飛ばず、体にもよく、使用が容易で、危険が少なく、既存コンクリート面をそのまま利用ができて、廃棄物が殆ど出ない、騒音が少なく、すべての分別が容易で、リサイクルができて、環境によく、電力や道具、費用や経費の削減及び負担が軽減できて、現状はもちろん、将来の製品交換に掛かる費用や全体の費用の削減が可能になるものである。
【発明を実施するための最良の形態】
【０１０９】
以下、本発明の実施の形態について説明する。
（イ）ボルト固定式結合器と付属するボルトや部品及び金具類は金属からなるものである。
（ロ）鉄を使用する場合は、めっきをかぶせたものまたは加工の後にめっきをかぶせるものである。
（ハ）製品固定用の下孔（２）の孔空け用及び傾斜地の製品の角度調節切断用に設ける中空の加工具はポリカーボネート系のものである。
（ニ）中空型式（１９）のボルト固定式結合器に、フェンス、門扉の支柱や車止め及び標識用、案内板用、駐車場ミラー用、のぼり旗用のポールを中空部分の内側に差し込む内径用を設ける。
（ホ）中空型式（１９）のボルト固定式結合器に、フェンス、門扉の支柱や車止め及び標識用、案内板用、駐車場ミラー用、のぼり旗用のポールを中空部分の外側にはめ込む外径用を設ける。
（ヘ）中空型式（１９）のボルト固定式結合器の外径用に、フェンス及び手すりの支柱用の傾斜地対応用（３７）を設ける。
（ト）V型式（６３）及びL型式（６４）のボルト固定式結合器は、製品の裏側に取り付ける仕様に設ける。
（チ）ボルト固定式結合器に、軸ボルト固定式及び軸ボルト着脱式を設ける。
【０１１０】
（イ）中空型式（１９）の加工体（１）に、パイプ型式（５２）からなるものがある。
（ロ）中空型式（１９）の加工体（１）に、パイプ加工型式（５３）からなるものがある。
（ハ）パイプ型式（５２）に、丸パイプ型式（６５）からなるものがある。
（ニ）パイプ型式（５２）に、角パイプ型式（６６）からなるものがある。
（ホ）パイプ型式（５２）に、型加工からなるものがある。
（ヘ）パイプ型式（５２）の型加工の際に、覆いを設けるものがある。
（ト）パイプ型式（５２）の型加工の際に、傾斜地対応用（３７）の切り欠き部（５８）を設けるものがある。
（チ）パイプ型式（５２）に、型加工からなるものに、さらに加工して設けるものがある。
（リ）パイプ型式（５２）に、規格のパイプを加工して設けるものがある。
（ヌ）パイプ型式（５２）に、金属板を加工して設けるものがある。
（ル）パイプ型式（５２）に、金属体を加工して設けるものがある。
（ヲ）パイプ型式（５２）は、自由な形状に設けることができるものである。
（ワ）パイプ型式（５２）は、寸法、側面厚の変更ができるものである。
【０１１１】
（イ）パイプ加工型式（５３）に、丸パイプ型式（６５）からなるものがある。
（ロ）パイプ加工型式（５３）に、角パイプ型式（６６）からなるものがある。
（ハ）パイプ加工型式（５３）に、型加工からなるものがある。
（ニ）パイプ加工型式（５３）に、型加工からなるものに、さらに加工をして設けるものがある。
（ホ）パイプ加工型式（５３）に、規格のパイプを加工して設けるものがある。
（ヘ）パイプ加工型式（５３）に、金属板を加工して設けるものがある。
（ト）パイプ加工型式（５３）は、形状、寸法、側面厚の変更ができるものである。
【０１１２】
（イ）中空型式（１９）の一体型式加工体（１５）に、丸パイプ型式（６５）からなるものがある。
（ロ）中空型式（１９）の一体型式加工体（１５）に、角パイプ型式（６６）からなるものがある。
（ハ）中空型式（１９）の一体型式加工体（１５）に、型加工からなるものがある。
（ニ）中空型式（１９）の一体型式加工体（１５）に、型加工からなるものに、さらに加工をして設けるものがある。
（ホ）中空型式（１９）の一体型式加工体（１５）の底部（１２）のねじ孔（９）用の下孔（９７）及びねじ孔（６）用の下孔（９８）は、型加工の際に設けるものである。
（ヘ）中空型式（１９）の一体型式加工体（１５）の底部（１２）の面（５５）及び丸四角形（２５）を、加工する際に設けるものがある。
（ト）中空型式（１９）の一体型式加工体（１５）の底部（１２）の凸部（９６）を、型加工または加工する際に設けるものがある。
（チ）中空型式（１９）の一体型式加工体（１５）は、形状、寸法、側面厚及び板厚の変更ができるものである。
【０１１３】
（イ）中空型式（１９）の軸棒一体型式加工体（４０）に、丸パイプ型式（６５）からなるものがある。
（ロ）中空型式（１９）の軸棒一体型式加工体（４０）に、角パイプ型式（６６）からなるものがある。
（ハ）中空型式（１９）の軸棒一体型式加工体（４０）に、型加工からなるものがある。
（ニ）中空型式（１９）の軸棒一体型式加工体（４０）に、型加工からなるものに、さらに加工をして設けるものがある。
（ホ）中空型式（１９）の軸棒一体型式加工体（４０）の底部（１２）のねじ孔（６）用の下孔（９８）は、型加工の際に設けるものである。
（ヘ）中空型式（１９）の軸棒一体型式加工体（４０）の底部（１２）の面（５５）及び丸四角形（２５）を、加工する際に設けるものがある。
（ト）中空型式（１９）の軸棒一体型式加工体（４０）は、形状、寸法、側面厚及び板厚の変更ができるものである。
【０１１４】
（イ）中空型式（１９）の覆いに、型加工からなるものがある。
（ロ）中空型式（１９）の覆いに、型加工からなるものに、さらに加工をして設けるものがある。
（ハ）中空型式（１９）の覆いに、金属板を加工して設けるものがある。
（ニ）中空型式（１９）の覆いは、形状、寸法、板厚の変更ができるものである。
【０１１５】
（イ）加工体（１）に、V型式（６３）及びL型式（６４）からなるものがある。
（ロ）V型式（６３）の加工体（１）に、型加工からなるものがある。
（ハ）V型式（６３）の加工体（１）に、型加工からなるものに、さらに加工をして設けるものがある。
（ニ）V型式（６３）の加工体（１）に、金属板を加工して設けるものがある。
（ホ）L型式（６４）の加工体（１）に、型加工からなるものがある。
（ヘ）L型式（６４）の加工体（１）に、型加工からなるものに、さらに加工をして設けるものがある。
（ト）L型式（６４）の加工体（１）に、金属板を加工して設けるものがある。
（チ）L型式（６４）の加工体（１）に、L型鋼材を加工して設けるものがある。
（リ）V型式（６３）及びL型式（６４）の加工体（１）は、形状、寸法、側面厚の変更ができるものである。
【０１１６】
（イ）V型式（６３）の一体型式加工体（１５）に、型加工からなるものがある。
（ロ）V型式（６３）の一体型式加工体（１５）に、型加工からなるものに、さらに加工をして設けるものがある。
（ハ）L型式（６４）の一体型式加工体（１５）に、型加工からなるものがある。
（ニ）L型式（６４）の一体型式加工体（１５）に、型加工からなるものに、さらに加工をして設けるものがある。
（ホ）V型式（６３）.及びL型式（６４）の一体型式加工体（１５）の底部（１２）のねじ孔（９）用の下孔（９７）及びねじ孔（６）用の下孔（９８）は、型加工の際に設けるものである。
（ヘ）V型式（６３）.及びL型式（６４）の一体型式加工体（１５）の底部（１２）の面（５５）及び丸四角形（２５）を、型加工の際に設けるものがある。
（ト）V型式（６３）.及びL型式（６４）の一体型式加工体（１５）の底部（１２）の凸部（９６）を、型加工または加工する際に設けるものがある。
（チ）V型式（６３）.及びL型式（６４）の一体型式加工体（１５）は、形状、寸法、側面厚及び板厚の変更ができるものである。
【０１１７】
（イ）底板（３）に、型加工からなるものがある。
（ロ）底板（３）に、型加工からなるものに、さらに加工をして設けるものがある。
（ハ）底板（３）に、金属板を加工して設けるものがある。
（ニ）底板（３）のねじ孔（９）用の下孔（９７）及びねじ孔（６）用の下孔（９８）は、型加工の際に設けるものである。
（ホ）底板（３）の凸部（９６）は、型加工または金属板を加工する際に設けるものである。
（ヘ）底板（３）の面（５５）及び丸四角形（２５）は、型加工または金属板を加工する際に設けるものである。
（ト）底板（３）は、形状、寸法、板厚、孔径、孔数、孔形、孔位置の変更ができるものである。
【０１１８】
（イ）軸棒一体型式底板（３８）に、型加工からなるものがある。
（ロ）軸棒一体型式底板（３８）に、型加工したものに、さらに加工をして設けるものがある。
（ハ）軸棒一体型式底板（３８）のねじ孔（６）用の下孔（９８）は、型加工する際に設けるものである。
（ニ）軸棒一体型式底板（３８）の面（５５）及び丸四角形（２５）は、型加工または加
工する際に設けるものである。
（ホ）軸棒一体型式底板（３８）は、形状、寸法、板厚の変更ができるものである。
【０１１９】
（イ）一体型式加工体（１５）の底部（１２）や軸棒一体型式加工体（４０）の底部（１２）及び軸棒一体型式底板（３８）の孔径、孔数、孔形、孔位置は、加工により変更ができるものである。
（ロ）一体型式加工体（１５）及び軸棒一体型式加工体（４０）の側面の孔径、孔数、孔形、孔位置は、加工により変更ができるものである。
（ハ）一体型式加工体（１５）の底部（１２）の凸部（９６）は、底部の裏側を上にして、専用の台にはめ込み、型押し加工して設けるものがある。
【０１２０】
（イ）軸ボルト（７）及び軸ボルト（３６）は、規格のボルトを用いる。
（ロ）軸ボルトに、全ねじボルトや取り付け、取り外しを容易にするために、ねじ溝（ナットを含む）の溝部を粗く設けることがある。
（ハ）軸ボルト（７）は、寸法、太さ、頭の大きさの変更ができるものである。
（ニ）着脱金具（１８）は、金属板を加工するものである。
（ホ）着脱金具（１８）は、形状、仕様の変更ができるものである。
（ヘ）軸ボルト着脱ボルト（１３）は、規格のボルトを用いる。
（ト）軸ボルト着脱ボルト（１３）は、寸法、太さ、頭の大きさ、頭の形状の変更ができるものである。
（チ）座金付長ナット（１６）は、型加工したものに、さらに加工をして設けるものである。
（リ）座金付長ナット（１６）及び凸部（９６）のねじ孔（１４）、軸ボルト（３６）のねじ孔（１４）は、ドリルを用いて設けるものである。
（ヌ）座金付長ナット（１６）及び凸部（９６）のねじ孔（１４）は、孔数、孔位置の変更ができるものである。
（ル）横軸（５６）は、型加工からなるものに、さらに加工をして設けるものである。
（ヲ）横軸（５６）に、中空または棒状のものを加工して設けるものがある。
（ワ）回転止め金具（５９）は、型加工からなるものに、さらに加工をして設けるものである。
（カ）スライド板（６０）は、型加工からなるものに、さらに加工をして設けるものである。
（ヨ）横軸（５６）や回転止め金具（５９）及びスライド板（６０）は、形状、寸法、仕様の変更ができるものである。
【０１２１】
（イ）中空型式（１９）の加工体（１）に、製品の外径用と内径用を設ける。
（ロ）中空型式（１９）の加工体（１）に、製品のフェンスや門扉の支柱とフェンスや門扉の本体を固定する製品に付属している部品を避ける切り欠き部（１７）またはボルトを通す下孔（４５）を設けるものがある。
（ハ）中空型式（１９）の加工体（１）の側面の下部に、道具の差し入れ出し用の切り欠き孔（１０）を設けるものがある。
（ニ）中空型式（１９）の加工体（１）の側面の外側または内側に、駐車場ミラー用及びのぼり旗用のポールをねじ式固定する、ねじ溝を設けるものがある。
（ホ）中空型式（１９）の加工体（１）の上部に、覆いを設けるものがある。
（ヘ）中空型式（１９）の加工体（１）に設ける道具の差し入れ出し用の切り欠き部（１０）に、目隠しふたを設けるものがある。
（ト）中空型式（１９）の加工体（１）の側面に、製品を固定する下孔（２）を設けるものがある。
（チ）中空型式（１９）の加工体（１）の側面に、製品を固定する下孔（２）の代わりにボルト固定用のねじ孔を設けるものがある。
（リ）中空型式（１９）の加工体（１）の側面に、傾斜地対応用（３７）の角度調節用にV字形の切り欠き部（５８）及び下孔（５７）を設けるものがある。
（ヌ）中空型式（１９）の加工体（１）に、回転止め金具（５９）、スライド板（６０）及び補強板（６１）、横軸（５６）を設けるものがある。
【０１２２】
（イ）V型式（６３）の加工体（１）に中間柱用（４８）を設ける。
（ロ）V型式（６３）の加工体（１）に角地や鈍角地用（４９）を設ける。
（ハ）L型式（６４）の加工体（１）にフェンスの端柱とフェンス用の門扉の柱兼用タイプ（５１）を設ける。
【０１２３】
（イ）底板（３）に、塀の天端や塀際、境界際、壁際、傾斜地兼用の線分対応用の一般用（２１）を設ける。
（ロ）底板（３）の一般用に、円形、正方形、長方形、丸四角形（２５）を設ける。
（ハ）底板（３）に、塀や壁がある角地用（２２）塀の天端の角地用（２３）を設ける。
（ニ）底板（３）に、傾斜地及び平地補強用（３５）を設ける。
（ホ）底板（３）の外径の上部に面（５５）を設けるものがある。
（ヘ）底板（３）に、錠受け板を上下させる切り欠き溝（７８）と同形の切り欠き溝を設けるものがある。
（ト）底板（３）に結合器固定ボルトを通す下孔（４）、水平調節ボルト取り付け用のねじ孔（６）、中央に軸ボルト（７）または軸ボルト（３６）取り付け用のねじ孔（９）を設ける。
（チ）中空型式（１９）用の底板（３）に水抜き孔（５）を設ける。
（リ）底板（３）に着脱金具（１８）取り付け用の下孔（４４）を設けるものがある。
（ヌ）底板（３）は、自由な形状に設けることができるものである。
（ル）底板（３）は、寸法、板厚の変更ができるものである。
（ヲ）底板（３）に設ける孔径、孔数、孔形、孔位置の変更ができるものである。
【０１２４】
（イ）軸棒一体型式底板（３８）に、塀の天端や塀際、境界際、壁際、傾斜地兼用の線分
対応用の一般用（２１）を設ける。
（ロ）軸棒一体型式底板（３８）の一般用に、円形、正方形、長方形、丸四角形（２５）を設ける。
（ハ）軸棒一体型式底板（３８）に、塀や壁がある角地用（２２）を設ける。
（ニ）軸棒一体型式底板（３８）の外径の上部に、面（５５）を設けるものがある。
（ホ）軸棒一体型式底板（３８）に、錠受け板を上下させる切り欠き溝（７８）と同形の切り欠き溝を設けるものがある。
（ヘ）軸棒一体型式底板（３８）に、結合器固定ボルトを通す下孔（４）、水平調節ボルト（８）取り付け用のねじ孔（６）を設ける。
（ト）中空型式（１９）用の軸棒一体型式底板（３８）に、水抜き孔（５）を設ける。
（チ）軸棒一体型式底板（３８）の軸棒に、ねじ溝を設ける。
（リ）軸棒一体型式底板（３８）は形状、寸法、板厚の変更ができるものである。
（ヌ）軸棒一体型式底板（３８）に設ける孔径、孔数、孔形、孔位置の変更ができるものである。
【０１２５】
（イ）中空型式（１９）の一体型式加工体（１５）に、製品の外径用と内径用を設ける。
（ロ）中空型式（１９）の一体型式加工体（１５）の側面に、製品のフェンスや門扉の支柱とフェンスや門扉の本体を固定する製品に付属している部品を避ける切り欠き部（１７）またはボルトを通す下孔（４５）を設けるものがある。
（ハ）中空型式（１９）の一体型式加工体（１５）の側面の下部に、道具の差し入れ出し用の切り欠き孔（１０）を設けるものがある。
（ニ）中空型式（１９）の一体型式加工体（１５）の側面の外側または内側に、駐車場ミラー用及びのぼり旗用のポールをねじ式固定する、ねじ溝を設けるものがある。
（ホ）中空型式（１９）の一体型式加工体（１５）の上部に、覆いを設けるものがある。
（ヘ）中空型式（１９）の一体型式加工体（１５）に設ける道具の差し入れ出し用の切り欠き孔（１０）部に、目隠しふたを設けるものがある。
（ト）中空型式（１９）の一体型式加工体（１５）の側面の上部に製品を固定する下孔（２）を設ける。
（チ）中空型式（１９）の一体型式加工体（１５）の側面の上部に製品を固定する下孔（２）の代わりに、ボルト固定用のねじ孔を設けるものがある。
（リ）中空型式（１９）の一体型式加工体（１５）の形状、寸法、側面厚、板厚の変更ができるものである。
（ヌ）中空型式（１９）の一体型式加工体（１５）に設ける孔径、孔数、孔形、孔位置の変更ができるものである。
【０１２６】
（イ）一体型式加工体（１５）にV型式（６３）とL型式（６４）を設ける。
（ロ）V型式（６３）の加工体（１）に中間柱用（４８）を設ける。
（ハ）V型式（６３）の加工体（１）に角地や鈍角地に使用する中間柱用（４９）を設ける。
（ニ）L型式（６４）の加工体（１）にフェンスの端柱とフェンス用の門扉の柱兼用タイプ（５１）を設ける。
【０１２７】
（イ）一体型式加工体（１５）の底部（１２）に、塀の天端や塀際、境界際、壁際、傾斜地兼用の線分対応用の一般用（２１）を設ける。
（ロ）一体型式加工体（１５）の底部（１２）の一般用に、円形、正方形、長方形、丸四角形（２５）を設ける。
（ハ）一体型式加工体（１５）の底部（１２）に、塀や壁がある角地用（２２）を設けるものがある。
（ニ）一体型式加工体（１５）の底部（１２）の外径の上部に、面（５５）を設けるものがある。
（ホ）中空型式（１９）の一体型式加工体（１５）の底部（１２）に、錠受け板を上下させる切り欠き溝（７８）と同形の切り欠き溝を設けるものがある。
（ヘ）一体型式加工体（１５）の底部（１２）に、結合器固定ボルトを通す下孔（４）、水平調節ボルト（８）取り付け用のねじ孔（６）を設ける。
（ト）中空型式（１９）の一体型式加工体（１５）の底部（１２）に、水抜き孔（５）を設ける。
（チ）一体型式加工体（１５）の底部（１２）に、着脱金具（１８）取り付け用の下孔（４４）を設けるものがある。
（リ）一体型式加工体（１５）の底部（１２）に、軸ボルト（７）及び軸ボルト（３６）取り付け用のねじ孔（９）を設ける。
（ヌ）一体型式加工体（１５）の底部（１２）は形状、寸法、板厚の変更ができるものである。
（ル）一体型式加工体（１５）の底部（１２）に設ける孔径、孔数、孔形、孔位置の変更ができるものである。                              
【０１２８】
（イ）軸棒一体型式加工体（４０）の底部（１２）に、塀の天端や塀際、境界際、壁際、傾斜地兼用の線分対応用の一般用（２１）を設ける。
（ロ）軸棒一体型式加工体（４０）の底部（１２）の一般用に、円形、正方形、長方形、丸四角形（２５）を設ける。
（ハ）軸棒一体型式加工体（４０）の底部（１２）に、塀や壁がある角地用（２２）を設ける。
（ニ）軸棒一体型式加工体（４０）の底部（１２）の外径の上部に面（５５）を設けるものがある。
（ホ）軸棒一体型式加工体（４０）の底部（１２）に、錠受け板を上下させる切り欠き溝（７８）と同形の切り欠き溝を設けるものがある。
（ヘ）軸棒一体型式加工体（４０）の底部（１２）に結合器固定ボルトを通す下孔（４）、水平調節ボルト（８）取り付け用のねじ孔（６）を設ける。
（ト）中空型式（１９）の軸棒一体型式加工体（４０）の底部（１２）に水抜き孔（５）を設ける。
（チ）軸棒一体型式加工体（４０）の軸棒にねじ溝を設ける。
（リ）軸棒一体型式加工体（４０）の底部（１２）は形状、寸法、板厚の変更ができるものである。
（ヌ）軸棒一体型式加工体（４０）の底部（１２）に設ける孔径、孔数、孔形、孔位置の変更ができるものである。
【０１２９】
（イ）中空型式（１９）及びV型式（６３）、L型式（６４）は、形状、寸法、孔径、孔数、孔形、孔位置、側面厚、板厚の変更依頼による別製造ができるものである。
（ロ）底板（３）は、形状、寸法、孔径、孔数、孔形、孔位置、板厚の変更依頼による別製造ができるものである。
（ハ）軸ボルト（７）及び軸ボルト（３６）は、軸ボルト（３６）に設けるねじ孔（１４）の有、無を除き同様のものである。
（ニ）軸ボルト（７）及び軸ボルト固定用のコンクリート打ち込みナット（３９）は、外径、内径、長さ、ねじ溝ピッチの変更依頼による別製造ができるものである。
（ホ）中空型式（１９）及びV型式（６３）、L型式（６４）の側面に強度アップのために、凸加工を施すことがある。
（ヘ）製品の外径用に中空型式（１９）の加工体（１）や中空型式（１９）の軸棒一体型式加工体（４０）及び中空型式（１９）の一体型式加工体（１５）の上部に強度アップのために、金属板や金属板に加工を施したもの、または金属棒やパイプを設けることがある。
【０１３０】
（イ）軸ボルト取り付け用のねじ孔（９）は軸ボルトの安定を保持するため及び製造を容易にするために設けるものである。
（ロ）座金付長ナット（１６）は、障害物等があり結合器を回転させて着脱ができない箇所に製品を固定や着脱するために設けるものである。
（ハ）座金付長ナット（１６）は、軸ボルト（７）を容易に着脱ができるように、軸ボルト着脱ボルト（１３）のねじ部分を細く、頭を大きく、取り付け位置を高く設けるためのものである。
（ニ）座金付長ナット（１６）の座金は、底板（３）及び底部（１２）との固定面積を増やすことによる強度アップ用と座りをよくするため及び製造を容易にするために設けるものである。
（ホ）軸ボルト着脱金具（１８）は、障害物等があり結合器を回転させて着脱ができない箇所に製品を固定や着脱するために設けるものである。
（ヘ）軸ボルト着脱金具（１８）は、軸ボルト（３６）を軸ボルト着脱ボルト（１３）で固定することによる軸ボルト（３６）固定の強度アップのために設けるものである。
（ト）凸部（９６）の加工は、障害物等があり結合器を回転させて着脱ができない箇所に製品を固定や着脱するために設けるものである。
（チ）凸部（９６）の加工は、凸加工による結合器の底板（３）及び底部（１２）の強度アップのために設けるものである。
（リ）製品の内径用の切り欠き孔（１０）部に目隠しふたを設けることがある。
（ヌ）ポール独立型式（２７）の結合器の切り欠き孔（１０）部に、美観を損なわないように目隠しふた（９１）を設ける。
（ル）軸棒一体型式底板（３８）及び軸棒一体型式加工体（４０）の軸棒は、底部との一体型による強度アップのために設けるものである。
（ヲ）底板（３）及び底部（１２）に設ける面（５５）は、転んだときに指などを痛めないように設けるものである。
（ワ）底板（３）及び底部（１２）の丸四角形（２５）は、転んだときに指などを痛めないように設けるものである。
（カ）パイプ加工型式（５３）は、中空部分の上部を利用して加工体（１）と底板（３）を固定しやすくするために設けるものである。
（ヨ）パイプ加工型式（５３）は、加工体（１）と底板（３）との固定面積を増やすことによる強度アップのために設けるものである。
【０１３１】
（イ）中空型式（１９）及びV型式（２０）、L型式（２０）の結合器に設ける底板または底部の円形、正方形、長方形、丸四角形（２５）の一般用（２１）は、底板または底部の中心から四方に振り分けて設けるものである。
（ロ）中空型式（１９）及びV型式（２０）、L型式（２０）の結合器に設ける底板または底部の塀や壁がある角地用（２２）は、底板または底部の外径から振り分けて設けるものである。
（ハ）中空型式（１９）の結合器に設ける底板の塀の天端の角地用（２３）は、フェンスの支柱用及びポール独立型式（２７）用に設けるものである。
（ニ）傾斜地及び平地補強用（３５）は、ニ方向または三方向または四方向に振り分けて設けるものである。
（ホ）軸ボルト取り付け用のねじ孔（９）に軸ボルト（７）だけを取り付けることで、軸ボルト着脱式にはなるが、軸ボルト着脱式に設ける切り欠き孔（１０）は、製品によって小さいものがあり軸ボルトを着脱する場合、細かい作業をする必要がある。障害物等がある箇所から取り外しや再度固定するときは、かがみながら取り外し等の作業をしなければならないが、障害物が無い箇所等に移動や固定する際、立ったまま既存固定面に仮固定ができるように、軸ボルト着脱ボルト（１３）仕様に設けるものである。
【０１３２】
（イ）型加工の際に型と型の固定補強用に必要な孔等が生じた場合、金属で補うものである。なお、研磨を施し、腐食防止処理をするものである。
（ロ）型加工の際に凸部分が生じた場合、研磨を施し、腐食防止処理をするものである。
（ハ）中空型式（１９）用の型加工の際に、型と型の固定補強用の孔を製品固定用の下孔（２）に合わせ設けることがある。
【０１３３】
（イ）軸ボルト（７）だけを底板（３）または底部（１２）に直接に固定。
（ロ）座金付長ナット（１６）を底板（３）または底部（１２）に固定。
（ハ）中空型式（１９）の加工体（１）を底板（３）に固定。
（ニ）中空型式（１９）の加工体（１）に覆いを固定し、さらに底板（３）に固定。
（ホ）中空型式（１９）の一体型式加工体（１５）に覆いを固定。
（ヘ）型加工の際に覆いを設けた中空型式（１９）の加工体（１）を底板（３）に固定。
（ト）中空型式（１９）の加工体（１）を軸棒一体型式底板（３８）に固定。
（チ）中空型式（１９）の加工体（１）に覆いを固定し、さらに軸棒一体型式底板（３８）に固定。
（リ）型加工の際に覆いを設けた中空型式（１９）の加工体（１）を軸棒一体型式底板（３８）に固定。
（ヌ）V型式（６３）及びL型式（６４）の加工体（１）を底板（３）に固定。
（ル）V型式（６３）及びL型式（６４）の加工体（１）を軸棒一体型式底板（３８）に固定。
（ヲ）横軸（５６）を軸ボルト（７）に固定。
（ワ）回転止め金具（５９）を加工体（１）に固定。
上記の固定は、基本的に溶接固定するものである。
なお、一部にボルトとナット、リベット、型押しで固定するものがある。
【０１３４】
（イ）溶接固定を施した場合、必要がある部分の研磨作業及び溶接部分全体の腐食防止処理を施すものである。
（ロ）部品を避ける切り欠き部（１７）は、境界側と敷地側に設けるものである。
（ハ）道具の差し入れ出しの用の切り欠き孔（１０）は、左右のどちらかまたは左右に設けるものである。
（ニ）小さいボルト固定式結合器に設ける製品固定用の下孔（２）は、ボルト等で前後や左右から締め付ける際に、ボルトとボルトが当たらないように下孔（２）を上下にずらして設けるものである。
以下、結合器固定ボルトを通す下孔（４）や水平調節ボルト（８）取り付け用のねじ孔（６）、水抜き孔（５）等を設ける位置等の説明及び軸ボルト（７）だけを底板（３）に固定する等の遣り方を溶接固定で説明する。
なお、孔空け加工等を側面及び底板、底部別に説明するため、順序が異なる説明のものがある。
【０１３５】
中空型式（１９）の加工体（１）の四方の側面に丸パイプ型式や角パイプ型式からなるフェンスや門扉、手すりの支柱や車止め及び標識用や案内板用のポールを固定する下孔（２）を２箇所ずつ設ける。加工体（１）の側面の下部に道具の差し入れ出し用の切り欠き孔（１０）を一方または二方に設ける。底板（３）の中央に軸ボルト（７）取り付け用のねじ孔（９）を１箇所きざむ。底板（３）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。加工体（１）を固定する内部に水抜き孔（５）を１箇所設ける。軸ボルト（７）に座金付長ナット（１６）を取り付ける。座金付長ナットのねじ孔（１４）に軸ボルト着脱ボルト（１３）を取り付ける。座金付長ナットを取り付けた軸ボルト（７）をねじ孔（９）に取り付ける。座金付長ナット（１６）の下部を底板（３）に溶接固定する。加工体（１）の切り欠き孔（１０）を軸ボルト着脱ボルト（１３）に向けて底板（３）に溶接固定する。溶接部分の研磨及び腐食防止処理を施す。軸ボルト着脱ボルト（１３）を切り欠き孔（１０）からドライバー等を差し入れて締め付ける。水平調節ボルト（８）をねじ孔（６）に取り付けた、軸ボルト着脱式のボルト固定式結合器を設ける。
【０１３６】
中空型式（１９）の加工体（１）の四方の側面に丸パイプ型式や角パイプ型式からなるフェンスや門扉、手すりの支柱や車止め及び標識用や案内板用のポールを固定する下孔（２）を各２箇所ずつ、駐車場ミラー用、のぼり旗用のポール用には左右にだけ２箇所ずつ設ける。底板（３）の中央に軸ボルト（７）取り付け用のねじ孔（９）を１箇所きざむ。底板（３）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。加工体（１）を固定する内部に水抜き孔（５）を１箇所設ける。軸ボルト（７）だけを軸ボルト取り付け用のねじ孔（９）に直接に溶接固定する。加工体（１）と底板（３）を溶接固定する。溶接部分の研磨及び腐食防止処理を施す。水平調節ボルト（８）を水平調節ボルト取り付け用のねじ孔（６）に取り付けた、軸ボルト固定式のボルト固定式結合器を設ける。
【０１３７】
中空型式（１９）の加工体（１）の四方の側面に丸パイプ型式や角パイプ型式からなるフェンスや門扉、手すりの支柱や車止め及び標識用、案内板用のポールを固定する下孔（２）を各２箇所ずつ、駐車場ミラー用、のぼり旗用のポール用には左右にだけ２箇所ずつ設ける。軸棒一体型式底板（３８）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。加工体（１）を固定する内部に水抜き孔（５）を１箇所設ける。軸棒にねじ溝をきざみ軸ボルトにする。加工体（１）と底板（３）を溶接固定する。溶接部分の研磨及び腐食防止処理を施す。水平調節ボルト（８）を水平調節ボルト取り付け用のねじ孔（６）に取り付けた、軸ボルト固定式のボルト固定式結合器を設ける。
【０１３８】
中空型式（１９）の加工体（１）の四方の側面に丸パイプ型式や角パイプ型式からなるフェンスや門扉、手すりの支柱や車止め及び標識用、案内板用のポールを固定する下孔（２）を各２箇所ずつ設ける。加工体（１）の側面の下部に道具の差し入れ出し用の切り欠き孔（１０）を一方または二方に設ける。底板（３）の中央部分に凸部（９６）を設ける。凸部の上部に軸ボルト（７）取り付け用のねじ孔（９）を１箇所きざむ。凸部の側面の一方に軸ボルト着脱ボルト（１３）取り付け用のねじ孔（１４）をきざむ。底板（３）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。加工体（１）を固定する内部に水抜き孔（５）を１箇所設ける。軸ボルト（７）だけを軸ボルト取り付け用のねじ孔（９）に取り付ける。軸ボルト着脱ボルト（１３）を軸ボルト着脱用のねじ孔（１４）に取り付ける。加工体（１）と底板（３）を溶接固定する。溶接部分の研磨及び腐食防止処理を施す。水平調節ボルト（８）をねじ孔（６）に取り付けた、軸ボルト着脱式のボルト固定式結合器を設ける。
【０１３９】
中空型式（１９）の加工体（１）の四方の側面に丸パイプ型式や角パイプ型式からなるフェンスや門扉、手すりの支柱や車止め及び標識用、案内板用のポールを固定する下孔（２）を各２箇所ずつ設ける。加工体（１）の側面の下部に道具の差し入れ出し用の切り欠き孔（１０）を一方または二方に設ける。底板（３）の中央に軸ボルト（３６）取り付け用のねじ孔（９）を１箇所きざむ。底板（３）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。加工体（１）を固定する内部に水抜き孔（５）を１箇所設ける。軸ボルト（３６）を軸ボルト取り付け用のねじ孔（９）に取り付ける。軸ボルト着脱金具（１８）を軸ボルト着脱ボルト（１３）で軸ボルトのねじ孔（１４）に取り付ける。底板（３）に軸ボルト着脱金具（１８）を取り付ける下孔（４４）を設ける。軸ボルト着脱金具（１８）を回転できるように底板（３）に固定する。加工体（１）と底板（３）を溶接固定する。溶接部分の研磨及び腐食防止処理を施す。水平調節ボルト（８）をねじ孔（６）に取り付けた、軸ボルト着脱式のボルト固定式結合器を設ける。
【０１４０】
中空型式（１９）の加工体（１）の側面に段落番号０１３５から段落番号０１３９記載の下孔（２）を設けたものまたは下孔（２）と切り欠き孔（１０）を設けたものに、角パイプ型式からなるフェンスや門扉の支柱を固定する製品に付属している部品を避ける切り欠き部（１７）を前後に設けた、製品の支柱に付属している部品を避ける、軸ボルト固定式及び軸ボルト着脱式のボルト固定式結合器を設ける。
【０１４１】
中空型式（１９）の加工体（１）の側面に段落番号０１３５から段落番号０１３９記載の下孔（２）を設けたものまたは下孔（２）と切り欠き孔（１０）を設けたものに、丸パイプ型式からなるフェンスの本体または門扉の本体と支柱を固定する製品に付属しているボルト固定の位置に合わせ、加工体（１）に固定するボルトを通す下孔（４５）または切り欠き部（１７）を前後に設けた、製品に付属している部品を避ける、軸ボルト固定式及び軸ボルト着脱式のボルト固定式結合器を設ける。
【０１４２】
中空型式（１９）の加工体（１）の側面の内側または外側に丸パイプ型式からなる駐車場ミラー用やのぼり旗用のポールを固定するねじ溝をきざむ。底板（３）の中央に軸ボルト（７）取り付け用のねじ孔（９）を１箇所きざむ。底板（３）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。加工体（１）を固定する内部に水抜き孔（５）を１箇所設ける。軸ボルト（７）だけをねじ孔（９）に直接に溶接固定する。加工体（１）と底板（３）を溶接固定する。溶接部分の研磨及び腐食防止処理を施す。水平調節ボルト（８）をねじ孔（６）に取り付けた、駐車場ミラー用やのぼり旗用のポールをねじ式固定するねじ溝を設けた、軸ボルト固定式のボルト固定式結合器を設ける。
【０１４３】
中空型式（１９）の加工体（１）の側面の内側または外側に丸パイプ型式からなる駐車場ミラー用やのぼり旗用のポールを固定するねじ溝をきざむ。軸棒一体型式底板（３８）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。加工体（１）を固定する内部に水抜き孔（５）を１箇所設ける。軸棒にねじ溝をきざみ軸ボルトにする。加工体（１）と底板（３）を溶接固定する。溶接部分の研磨及び腐食防止処理を施す。水平調節ボルト（８）をねじ孔（６）に取り付けた、駐車場ミラー用やのぼり旗用のポールをねじ式固定するねじ溝を設けた、軸ボルト固定式のボルト固定式結合器を設ける。
【０１４４】
中空型式（１９）の加工体（１）の上部に覆いを溶接固定する。底板（３）の中央に軸ボルト（７）取り付け用のねじ孔（９）を１箇所きざむ。底板（３）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。加工体（１）を固定する内部に水抜き孔（５）を１箇所設ける。軸ボルト（７）だけをねじ孔（９）に直接に溶接固定する。加工体（１）と底板（３）を溶接固定する。溶接部分の研磨及び腐食防止処理を施す。水平調節ボルト（８）をねじ孔（６）に取り付けた、軸ボルト固定式のポール独立型式（２７）のボルト固定式結合器を設ける。
【０１４５】
軸棒一体型式底板（３８）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。加工体（１）を固定する内部に水抜き孔（５）を１箇所設ける。軸棒にねじ溝をきざみ軸ボルトにする。覆いを設けた中空型式（１９）の加工体（１）と軸棒にねじ溝をきざんだ底板（３８）を溶接固定する。溶接部分の研磨及び腐食防止処理を施す。水平調節ボルト（８）をねじ孔（６）に取り付けた、軸ボルト固定式のポール独立型式（２７）のボルト固定式結合器を設ける。
【０１４６】
中空型式（１９）の加工体（１）の側面の下部に道具の差し入れ出し用の切り欠き孔（１０）を一方または二方に設ける。切り欠き孔（１０）部の左右に目隠しふたビス止め用のねじ孔をきざむ。底板（３）の中央に軸ボルト（７）取り付け用のねじ孔（９）を１箇所きざむ。底板（３）の三方向に結合器固定ボルトを通す下孔（４）を３箇所設ける。水平調節ボルト（８）取り付け用のねじ孔（６）を結合器固定ボルトを通す下孔（４）と下孔（４）の中間の三方向に３箇所きざむ。加工体（１）を固定する内部に水抜き孔（５）を１箇所設ける。軸ボルト（７）に座金付長ナット（１６）を取り付ける。座金付長ナットを取り付けた軸ボルトを軸ボルト取り付け用のねじ孔（９）に取り付ける。座金付長ナット（１６）の下部を底板（３）に溶接固定する。軸ボルト着脱ボルト（１３）を軸ボルト着脱用のねじ孔（１４）に取り付ける。中空型式（１９）の加工体（１）の上部に覆いを溶接固定する。覆いを設けた中空型式（１９）の加工体（１）と底板（３）を溶接固定する。溶接部分の研磨及び腐食防止処理を施す。切り欠き孔（１０）部に着脱ができる目隠しふたをビス止めする。水平調節ボルト（８）をねじ孔（６）に取り付けた、軸ボルト着脱式のポール独立型式（２７）のボルト固定式結合器を設ける。
【０１４７】
中空型式（１９）の加工体（１）の側面の下部に道具の差し入れ出し用の切り欠き孔（１０）を一方または二方に設ける。切り欠き孔（１０）部の左右に目隠しふたビス止め用のねじ孔をきざむ。加工体（１）の上部に覆いを溶接固定する。底板（３）の中央部分に凸部（９６）を設ける。凸部の上部に軸ボルト（７）取り付け用のねじ孔（９）を１箇所きざむ。凸部の側面の一方に軸ボルト着脱ボルト（１３）取り付け用のねじ孔（１４）をきざむ。底板（３）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。加工体（１）を固定する内部に水抜き孔（５）を１箇所設ける。軸ボルト（７）だけを軸ボルト取り付け用のねじ孔（９）に取り付ける。軸ボルト着脱ボルト（１３）を軸ボルト着脱用のねじ孔（１４）に取り付ける。中空型式（１９）の加工体（１）の上部に覆いを溶接固定する。覆いを設けた中空型式（１９）の加工体（１）と底板（３）を溶接固定する。溶接部分の研磨及び腐食防止処理を施す。切り欠き孔（１０）部に着脱ができる目隠しふたをビス止めする。水平調節ボルト（８）を水平調節ボルト取り付け用のねじ孔（６）に取り付けた、軸ボルト着脱式のポール独立型式（２７）のボルト固定式結合器を設ける。
【０１４８】
中空型式（１９）の加工体（１）の側面の下部に道具の差し入れ出し用の切り欠き孔（１０）を一方または二方に設ける。切り欠き孔（１０）部の左右に目隠しふたビス止め用のねじ孔をきざむ。底板（３）の中央に軸ボルト（３６）取り付け用のねじ孔（９）を１箇所きざむ。底板（３）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。加工体（１）を固定する内部に水抜き孔（５）を１箇所設ける。軸ボルト（３６）だけを軸ボルト取り付け用のねじ孔（９）に取り付ける。軸ボルト着脱金具（１８）を軸ボルト着脱ボルト（１３）で軸ボルト（３６）のねじ孔（１４）に取り付ける。底板（３）に軸ボルト着脱金具（１８）と底板（３）を固定する下孔（４４）を設ける。軸ボルト着脱金具（１８）を回転できるように底板（３）に固定する。中空型式（１９）の加工体（１）の上部に覆いを溶接固定する。覆いを設けた中空型式（１９）の加工体（１）と底板（３）を溶接固定する。溶接部分の研磨及び腐食防止処理を施す。切り欠き孔（１０）部に着脱ができる目隠しふたをビス止めする。水平調節ボルト（８）を水平調節ボルト取り付け用のねじ孔（６）に取り付けた、軸ボルト着脱式のポール独立型式（２７）のボルト固定式結合器を設ける。
【０１４９】
中空型式（１９）の加工体（１）の四方の側面に丸パイプ型式や角パイプ型式からなるフェンスや手すりの支柱を固定する下孔（２）を各２箇所ずつ設ける。加工体（１）の前後の下部に横軸（５６）取り付け用の下孔（５７）を設ける。加工体（１）の左右から下孔（５７）の下部にかけてV字形に切り欠き部（５８）を設ける。左右の切り欠き部の上部に回転止め金具（５９）を溶接固定する。切り欠き部（５８）の下部に補強板（６１）を溶接固定する。横軸（５６）の片側の先端に止め板（６２）を設ける。加工体（１）を回転できるように横軸（５６）を下孔（５７）部に取り付ける。底板（３）の中央に軸ボルト（７）取り付け用のねじ孔（９）を１箇所きざむ。底板（３）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。加工体（１）を固定する内部に水抜き孔（５）を１箇所設ける。軸ボルト（７）だけを軸ボルト取り付け用のねじ孔（９）に直接に溶接固定する。横軸（５６）を軸ボルト（７）の頭に直接に溶接固定する。加工体（１）と底板（３）を溶接固定する。溶接部分の研磨及び腐食防止処理を施す。回転止め金具にスライド板（６０）を取り付ける。水平調節ボルト（８）をねじ孔（６）に取り付けた、軸ボルト固定式の傾斜地対応用（３７）のボルト固定式結合器を設ける。
【０１５０】
中空型式（１９）の一体型式加工体（１５）の四方の側面に丸パイプ型式や角パイプ型式からなるフェンスや門扉の支柱や車止め及び標識用や案内板用のポールを固定する下孔（２）を各２箇所ずつ設ける。一体型式加工体（１５）の側面の下部に道具の差し入れ出し用の切り欠き孔（１０）を一方または二方に設ける。底部（１２）の中央に軸ボルト（７）取り付け用のねじ孔（９）を１箇所きざむ。底部（１２）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。中空部分の内部に水抜き孔（５）を１箇所設ける。軸ボルト（７）に座金付長ナット（１６）を取り付ける。座金付長ナットを取り付けた軸ボルト（７）を軸ボルト取り付け用のねじ孔（９）に取り付ける。座金付長ナット（１６）の下部を底部（１２）に溶接固定する。溶接部分の研磨及び腐食防止処理を施す。軸ボルト着脱ボルト（１３）を道具の差し入れ出し用の切り欠き孔（１０）を利用して軸ボルト着脱用のねじ孔（１４）に取り付ける。水平調節ボルト（８）をねじ孔（６）に取り付けた、軸ボルト着脱式のボルト固定式結合器を設ける。
【０１５１】
中空型式（１９）の一体型式加工体（１５）の四方の側面に丸パイプ型式や角パイプ型式からなるフェンスや門扉の支柱や車止め及び標識用や案内板用のポールを固定する下孔（２）を各２箇所ずつ、駐車場ミラー用やのぼり旗用のポール用には左右にだけ２箇所ずつ設ける。一体型式加工体（１５）の側面の下部に道具の差し入れ出し用の切り欠き孔（１０）を一方または二方に設ける。底部（１２）の中央に軸ボルト（７）取り付け用のねじ孔（９）を１箇所きざむ。底部（１２）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。中空部分の内部に水抜き孔（５）を１箇所設ける。軸ボルト（７）だけをねじ孔（９）に直接に溶接固定する。溶接部分の研磨及び腐食防止処理を施す。水平調節ボルト（８）をねじ孔（６）に取り付けた、軸ボルト固定式のボルト固定式結合器を設ける。
【０１５２】
中空型式（１９）の一体型式加工体（１５）の四方の側面に丸パイプ型式や角パイプ型式からなるフェンスや門扉の支柱や車止め及び標識用や案内板用のポールを固定する下孔（２）を各２箇所ずつ設ける。一体型式加工体（１５）の側面の下部に道具の差し入れ出し用の切り欠き孔（１０）を一方または二方に設ける。底部（１２）の中央部分に凸部（９６）を設ける。凸部の上部に軸ボルト（７）取り付け用のねじ孔（９）を１箇所きざむ。凸部の側面の一方に軸ボルト着脱ボルト（１３）取り付け用のねじ孔（１４）をきざむ。底部（１２）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。中空部分の内部に水抜き孔（５）を１箇所設ける。軸ボルト（７）だけをねじ孔（９）に取り付ける。軸ボルト着脱ボルト（１３）を切り欠き孔（１０）を利用してねじ孔（１４）に取り付ける。水平調節ボルト（８）をねじ孔（６）に取り付けた、軸ボルト着脱式のボルト固定式結合器を設ける。
【０１５３】
中空型式（１９）の一体型式加工体（１５）の側面の四方に丸パイプ型式や角パイプ型式からなるフェンスや門扉の支柱や車止め及び標識用や案内板用のポールを固定する下孔（２）を各２箇所ずつ設ける。一体型式加工体（１５）の側面の下部に道具の差し入れ出し用の切り欠き孔（１０）を一方または二方に設ける。底部（１２）の中央に軸ボルト（３６）取り付け用のねじ孔（９）を１箇所きざむ。底部（１２）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。中空部分の内部に水抜き孔（５）を１箇所設ける。底部（１２）に軸ボルト着脱金具（１８）用の下孔（４４）を設ける。軸ボルト（３６）だけをねじ孔（９）に取り付ける。軸ボルト着脱金具（１８）を軸ボルト着脱ボルト（１３）で軸ボルトのねじ孔（１４）に取り付ける。着脱金具（１８）を回転できるように底部（１２）に固定する。水平調節ボルト（８）をねじ孔（６）に取り付けた、軸ボルト着脱式のボルト固定式結合器を設ける。
【０１５４】
中空型式（１９）の一体型式加工体（１５）の側面に段落番号０１５０から段落番号０１５３記載の下孔（２）と切り欠き孔（１０）以外に、角パイプ型式からなるフェンスや門扉の本体を固定する製品に付属している部品を避ける切り欠き部（１７）を前後に設けた、製品の支柱に付属している部品を避ける、軸ボルト固定式または軸ボルト着脱式のボルト固定式結合器を設ける。
【０１５５】
中空型式（１９）の一体型式加工体（１５）の側面に段落番号０１５０から段落番号０１５３記載の下孔（２）と切り欠き孔（１０）以外に、丸パイプ型式からなるフェンスの本体または門扉の本体と支柱を固定する製品に付属しているボルト固定の位置に合わせて、一体型式加工体（１５）に固定するためのボルトを通す下孔（４５）または切り欠き部（１７）を前後に設けた、製品の支柱に付属しているボルト及び部品を避ける、軸ボルト固定式または軸ボルト着脱式のボルト固定式結合器を設ける。
【０１５６】
中空型式（１９）の軸棒一体型式加工体（４０）の四方の側面に丸パイプ型式や角パイプ型式からなるフェンスや門扉の支柱や車止め及び標識用や案内板用のポールを固定する下孔（２）を各２箇所ずつ、駐車場ミラー用やのぼり旗用のポール用にだけ左右に２箇所ずつ設ける。軸棒一体型式加工体（４０）の底部（１２）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。中空部分の内部に水抜き孔（５）を１箇所設ける。軸棒にねじ溝をきざみ軸ボルトにする。水平調節ボルト（８）をねじ孔（６）に取り付けた、軸ボルト固定式のボルト固定式結合器を設ける。
【０１５７】
中空型式（１９）の軸棒一体型式加工体（４０）の四方の側面に角パイプ型式からなるフェンスや門扉の支柱を固定する下孔（２）を各２箇所ずつ設ける。軸棒一体型式加工体（４０）の側面に支柱とフェンスや門扉の本体を固定する製品に付属している部品を避ける切り欠き部（１７）を前後に設ける。軸棒一体型式加工体（４０）の底部（１２）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。中空部分の内部に水抜き孔（５）を１箇所設ける。軸棒にねじ溝をきざみ軸ボルトにする。水平調節ボルト（８）をねじ孔（６）に取り付けた、製品の支柱に付属している部品を避ける、軸ボルト固定式のボルト固定式結合器を設ける。
【０１５８】
中空型式（１９）の軸棒一体型式加工体（４０）の四方の側面に丸パイプ型式からなるフェンスや門扉の支柱を固定する下孔（２）を各２箇所ずつ設ける。軸棒一体型式加工体（４０）の側面にフェンスの本体または門扉の本体と支柱を固定する製品に付属しているボルト固定の位置に合わせ、軸棒一体型式加工体に固定するボルトを通す下孔（４５）または切り欠き部（１７）を前後に設ける。軸棒一体型式加工体（４０）の底部（１２）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。中空部分の内部に水抜き孔（５）を１箇所設ける。軸棒にねじ溝をきざみ軸ボルトにする。水平調節ボルト（８）をねじ孔（６）に取り付けた、製品の支柱に付属しているボルト及び部品を避ける、軸ボルト固定式のボルト固定式結合器を設ける。
【０１５９】
中空型式（１９）の一体型式加工体（１５）の側面の内側または外側に駐車場ミラー用及びのぼり旗用のポールを固定するねじ溝をきざむ。一体型式加工体（１５）の底部（１２）の中央に軸ボルト（７）取り付け用のねじ孔（９）を１箇所きざむ。底部（１２）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。中空部分の内部に水抜き孔（５）を１箇所設ける。軸ボルト（７）だけをねじ孔（９）に取り付ける。軸ボルト（７）を中空部分の上部の空間から底部に取り付ける。軸ボルト（７）を底部（１２）に直接に溶接固定する。溶接部分に腐食防止処理を施す。水平調節ボルト（８）をねじ孔（６）に取り付けた、駐車場ミラー用やのぼり旗用のポールをねじ式固定するねじ溝を設けた、軸ボルト固定式のボルト固定式結合器を設ける。
【０１６０】
中空型式（１９）の軸棒一体型式加工体（４０）の側面の内側または外側に駐車場ミラー用やのぼり旗用のポールを固定するねじ溝をきざむ。軸棒一体型式加工体（４０）の底部（１２）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。中空部分の内部に水抜き孔（５）を１箇所設ける。軸棒にねじ溝を設け軸ボルトにする。水平調節ボルト（８）をねじ孔（６）に取り付けた、駐車場ミラー用やのぼり旗用のポールをねじ式固定するねじ溝を設けた、軸ボルト固定式のボルト固定式結合器を設ける。
【０１６１】
中空型式（１９）の一体型式加工体（１５）の側面の下部に道具の差し入れ出し用の切り欠き孔（１０）を一方または二方に設ける。切り欠き孔（１０）部の左右に目隠しふたビス止め用のねじ孔をきざむ。一体型式加工体（１５）の底部（１２）の中央に軸ボルト（７）取り付け用のねじ孔（９）を１箇所きざむ。底部（１２）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。中空部分の内部に水抜き孔（５）を１箇所設ける。軸ボルト（７）だけをねじ孔（９）に直接に溶接固定する。一体型式加工体（１５）の上部に覆いを溶接固定する。溶接部分の研磨及び腐食防止処理を施す。切り欠き孔（１０）部を着脱ができる目隠しふたでビス止めする。水平調節ボルト（８）をねじ孔（６）に取り付けた、軸ボルト固定式のポール独立型式（２７）のボルト固定式結合器を設ける。
【０１６２】
中空型式（１９）の軸棒一体型式加工体（４０）の底部（１２）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。中空部分の内部に水抜き孔（５）を１箇所設ける。軸棒にねじ溝をきざみ軸ボルトにする。軸棒一体型式加工体（４０）の上部に覆いを溶接固定する。溶接部分の研磨及び腐食防止処理を施す。水平調節ボルト（８）をねじ孔（６）に取り付けた、軸ボルト固定式のポール独立型式（２７）のボルト固定式結合器を設ける。
【０１６３】
中空型式（１９）の一体型式加工体（１５）の側面の下部に道具の差し入れ出し用の切り欠き孔（１０）を一方または二方に設ける。切り欠き孔（１０）部の左右に目隠しふたビス止め用のねじ孔をきざむ。底部（１２）の中央に軸ボルト（７）取り付け用のねじ孔（９）を１箇所きざむ。底部（１２）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。中空部分の内部に水抜き孔（５）を１箇所設ける。軸ボルト（７）に座金付長ナット（１６）を取り付ける。座金付長ナットを取り付けた軸ボルトを軸ボルト取り付け用のねじ孔（９）に取り付ける。座金付長ナット（１６）の下部を底部（１２）に溶接固定する。軸ボルト着脱ボルト（１３）を切り欠き孔（１０）を利用して軸ボルト着脱用のねじ孔（１４）に取り付ける。一体型式加工体（１５）の上部に覆いを溶接固定する。溶接部分の研磨及び腐食防止処理を施す。切り欠き孔（１０）部に着脱ができる目隠しふたをビス止めする。水平調節ボルト（８）をねじ孔（６）に取り付けた、軸ボルト着脱式のポール独立型式（２７）のボルト固定式結合器を設ける。
【０１６４】
中空型式（１９）の一体型式加工体（１５）の側面の下部に道具の差し入れ出し用の切り欠き孔（１０）を一方または二方に設ける。切り欠き孔（１０）部の左右に目隠しふたビス止め用のねじ孔をきざむ。底部（１２）の中央部分に凸部（９６）を設ける。凸部の上部に軸ボルト（７）取り付け用のねじ孔（９）を１箇所きざむ。凸部の側面の一方に軸ボルト着脱ボルト（１３）取り付け用のねじ孔（１４）をきざむ。底部（１２）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。中空部分の内部に水抜き孔（５）を１箇所設ける。軸ボルト（７）だけを軸ボルト取り付け用のねじ孔（９）に取り付ける。切り欠き孔（１０）を利用して軸ボルト着脱ボルト（１３）を軸ボルト着脱用のねじ孔（１４）に取り付ける。一体型式加工体（１５）の上部に覆いを溶接固定する。溶接部分の研磨及び腐食防止処理を施す。切り欠き孔（１０）部に着脱ができる目隠しふたをビス止めする。水平調節ボルト（８）をねじ孔（６）に取り付けた、軸ボルト着脱式のポール独立型式（２７）のボルト固定式結合器を設ける。
【０１６５】
中空型式（１９）の一体型式加工体（１５）の側面の下部に道具の差し入れ出し用の切り欠き孔（１０）を一方または二方に設ける。切り欠き孔（１０）部の左右に目隠しふたビス止め用のねじ孔をきざむ。底部（１２）の中央に軸ボルト（３６）取り付け用のねじ孔（９）を１箇所きざむ。底部（１２）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。中空部分の内部に水抜き孔（５）を１箇所設ける。軸ボルト着脱金具（１８）を取り付ける下孔（４４）を設ける。軸ボルト（３６）だけを軸ボルト取り付け用のねじ孔（９）に取り付ける。軸ボルト着脱金具（１８）を軸ボルト着脱ボルト（１３）で軸ボルト（３６）のねじ孔（１４）に取り付ける。軸ボルト着脱金具（１８）を回転できるように底部（１２）に固定する。中空型式（１９）の一体型式加工体（１５）の上部に覆いを溶接固定する。溶接部分の研磨及び防腐食処理を施す。切り欠き孔（１０）部に着脱ができる目隠しふたをビス止めする。水平調節ボルト（８）を水平調節ボルト取り付け用のねじ孔（６）に取り付けた、軸ボルト着脱式のポール独立型式（２７）のボルト固定式結合器を設ける。
【０１６６】
V型式（６３）の加工体（１）の前後に向けてV型式鋼材（２０）からなるフェンスの支柱を新たに固定するボルト用の下孔（４６）を上部に１箇所設ける。V型式の加工体（１）の下部にフェンスの本体と支柱を固定する製品に付属しているボルト固定用の下孔（４７）を縦長に１箇所設ける。底板（３）の中央に軸ボルト（７）取り付け用のねじ孔（９）を１箇所きざむ。底板（３）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。軸ボルト（７）だけを軸ボルト取り付け用のねじ孔（９）に直接に溶接固定する。V型式の加工体（１）と底板（３）を溶接固定する。溶接部分の研磨及び腐食防止処理を施す。水平調節ボルト（８）を水平調節ボルト取り付け用のねじ孔（６）に取り付けた、中間柱用（４８）の軸ボルト固定式のボルト固定式結合器を設ける。  
【０１６７】
V型式（６３）の加工体（１）の前後に向けてV型式鋼材からなるフェンスの支柱を新たに固定するボルト固定用の下孔（４６）を上部に１箇所設ける。V型式の加工体（１）の下部にフェンスの本体と支柱を固定する製品に付属しているボルト固定用の下孔（４７）を縦長に１箇所設ける。軸棒一体型式底板（３８）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。軸棒にねじ溝をきざみ軸ボルトにする。V型式の加工体（１）と底板（３８）を溶接固定する。溶接部分の研磨及び腐食防止処理を施す。水平調節ボルト（８）をねじ孔（６）に取り付けた、中間柱用（４８）の軸ボルト固定式のボルト固定式結合器を設ける。
【０１６８】
V型式（６３）の加工体（１）の前後に向けてV型式鋼材からなるフェンスの支柱を新たに固定するボルト用の下孔（４６）を上部に１箇所設ける。V型式の加工体（１）の下部にフェンスの本体と支柱を固定する製品に付属しているボルト固定用の下孔（４７）を縦長に１箇所設ける。正方形の底板（３）の中央に軸ボルト（７）取り付け用のねじ孔（９）を１箇所きざむ。正方形の底板（３）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。軸ボルト（７）だけを軸ボルト取り付け用のねじ孔（９）に直接に溶接固定する。正方形の底板（３）の角に前面を向けてV型式の加工体（１）を溶接固定する。溶接部分の研磨及び腐食防止処理を施す。水平調節ボルト（８）をねじ孔（６）に取り付けた、角地や鈍角地に使用する中間柱用（４９）の軸ボルト固定式のボルト固定式結合器を設ける。
【０１６９】
V型式（６３）の加工体（１）の前後に向けてV型式鋼材からなるフェンスの支柱を新たに固定するボルト用の下孔（４６）を上部に１箇所設ける。V型式の加工体（１）の下部にフェンスの本体と支柱を固定する製品に付属しているボルト固定用の下孔（４７）を縦長に１箇所設ける。正方形の軸棒一体型式底板（３８）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。軸棒にねじ溝をきざみ軸ボルトにする。正方形の軸棒一体型式底板（３８）の角に前面を向けてV型式の加工体（１）を溶接固定する。溶接部分の研磨及び腐食防止処理を施す。水平調節ボルト（８）を水平調節ボルト取り付け用のねじ孔（６）に取り付けた、角地や鈍角地に使用する中間柱用（４９）の軸ボルト固定式のボルト固定式結合器を設ける。
【０１７０】
Ｌ型式（６４）の加工体（１）のＬ型の二方向の上部に、Ｌ型式鋼材からなるフェンス用の門扉の本体と柱を固定する製品に付属しているボルト固定用の下孔（８０）を２箇所ずつ設ける。二方向の下部にフェンスの本体を固定する製品に付属しているボルト固定用の下孔（５０）を縦長に１箇所ずつ設ける。底板（３）の中央に軸ボルト（７）取り付け用のねじ孔（９）を１箇所きざむ。底板（３）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。軸ボルト（７）だけを軸ボルト取り付け用のねじ孔（９）に直接に溶接固定した底板（３）、または軸棒にねじ溝をきざんだ軸棒一体型式底板（３８）をＬ型式の加工体（１）に溶接固定する。溶接部分の研磨及び腐食防止処理を施す。水平調節ボルト（８）を水平調節ボルト取り付け用のねじ孔（６）に取り付けた、フェンスの端柱とフェンス用の門扉の柱兼用タイプ用（５１）の軸ボルト固定式のボルト固定式結合器を設ける。
【０１７１】
V型式（６３）の加工体（１）の前後に向けてV型式鋼材からなるフェンスの支柱を新たに固定するボルト用の下孔（４６）を上部に１箇所設ける。V型式の加工体（１）の下部にフェンスの本体と支柱を固定する製品に付属しているボルト固定用の下孔（４７）を縦長に１箇所設ける。底板（３）の中央に軸ボルト（７）取り付け用のねじ孔（９）を１箇所きざむ。底板（３）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。軸ボルト（７）に座金付長ナット（１６）を取り付ける。座金付長ナットを取り付けた軸ボルト（７）を軸ボルト取り付け用のねじ孔（９）に取り付ける。座金付長ナット（１６）の下部を底板（３）に溶接固定する。V型式の加工体（１）と底板（３）を溶接固定する。溶接部分の研磨及び腐食防止処理を施す。軸ボルト着脱ボルト（１３）を軸ボルト着脱用のねじ孔（１４）に取り付ける。水平調節ボルト（８）を水平調節ボルト取り付け用のねじ孔（６）に取り付けた、中間柱用（４８）の軸ボルト着脱式のボルト固定式結合器を設ける。  
【０１７２】
V型式（６３）の加工体（１）の前後に向けてV型式鋼材からなるフェンスの支柱を新たに固定するボルト用の下孔（４６）を上部に１箇所設ける。V型式の加工体（１）の下部にフェンスの本体と支柱を固定する製品に付属しているボルト固定用の下孔（４７）を縦長に１箇所設ける。底板（３）の中央に軸ボルト（３６）取り付け用のねじ孔（９）を１箇所きざむ。底板（３）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。軸ボルト（３６）だけを軸ボルト取り付け用のねじ孔（９）に取り付ける。軸ボルト着脱金具（１８）を軸ボルト着脱ボルト（１３）で軸ボルト（３６）のねじ孔（１４）に取り付ける。軸ボルト着脱金具（１８）と底板（３）を固定する下孔（４４）を設ける。軸ボルト着脱金具（１８）を回転できるように底板（３）に固定する。V型式の加工体（１）と底板（３）を溶接固定する。溶接部分の研磨及び腐食防止処理を施す。水平調節ボルト（８）をねじ孔（６）に取り付けた、中間柱用（４８）の軸ボルト着脱式のボルト固定式結合器を設ける。
【０１７３】
V型式（６３）の加工体（１）の前後に向けてV型式鋼材からなるフェンスの支柱を新たに固定するボルト用の下孔（４６）を上部に１箇所設ける。V型式の加工体（１）の下部にフェンスの本体と支柱を固定する製品に付属しているボルト固定用の下孔（４７）を縦長に１箇所設ける。底板（３）の中央部分に凸部（９６）を設ける。凸部の上部に軸ボルト取り付け用のねじ孔（９）を１箇所きざむ。凸部の側面の一方に軸ボルト着脱ボルト（１３）取り付け用のねじ孔（１４）をきざむ。底板（３）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。V型式の加工体（１）と底板（３）を溶接固定する。溶接部分の研磨及び腐食防止処理を施す。軸ボルト（７）だけを軸ボルト取り付け用のねじ孔（９）に取り付ける。軸ボルト着脱ボルト（１３）を軸ボルト着脱用のねじ孔（１４）に取り付ける。水平調節ボルト（８）をねじ孔（６）に取り付けた、中間柱用（４８）の軸ボルト着脱式のボルト固定式結合器を設ける。
【０１７４】
V型式（６３）の加工体（１）の前後に向けてV型式鋼材からなるフェンスの支柱を新たに固定するボルト用の下孔（４６）を上部に１箇所設ける。V型式の加工体の（１）下部にフェンスの本体と支柱を固定する製品に付属しているボルト固定用の下孔（４７）を縦長に１箇所設ける。正方形の底板（３）の中央に軸ボルト（７）取り付け用のねじ孔（９）を１箇所きざむ。底板（３）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。軸ボルト（７）に座金付長ナット（１６）を取り付ける。座金付長ナットを取り付けた軸ボルト（７）を軸ボルト取り付け用のねじ孔（９）に取り付ける。座金付長ナット（１６）の下部を底板（３）に溶接固定する。正方形の底板（３）の角に前面を向けてV型式の加工体（１）を溶接固定する。溶接部分の研磨及び腐食防止処理を施す。水平調節ボルト（８）をねじ孔（６）に取り付けた、角地や鈍角地に使用する中間柱用（４９）の軸ボルト着脱式のボルト固定式結合器を設ける。
【０１７５】
V型式（６３）の加工体（１）の前後に向けてV型式鋼材からなるフェンスの支柱を新たに固定するボルト用の下孔（４６）を上部に１箇所設ける。V型式の加工体（１）の下部にフェンスの本体と支柱を固定する製品に付属しているボルト固定用の下孔（４７）を縦長に１箇所設ける。正方形の底板（３）の中央に軸ボルト（３６）取り付け用のねじ孔（９）を１箇所きざむ。底板（３）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。軸ボルト（３６）だけを軸ボルト取り付け用のねじ孔（９）に取り付ける。軸ボルト着脱金具（１８）を軸ボルト着脱ボルト（１３）で軸ボルト（３６）のねじ孔（１４）に取り付ける。軸ボルト着脱金具（１８）と正方形の底板（３）を固定する下孔（４４）を設ける。軸ボルト着脱金具（１８）を回転できるように正方形の底板（３）に固定する。正方形の底板（３）の角に前面を向けてV型式の加工体（１）を溶接固定する。溶接部分の研磨及び腐食防止処理を施す。水平調節ボルト（８）をねじ孔（６）に取り付けた、角地や鈍角地に使用する中間柱用（４９）の軸ボルト着脱式のボルト固定式結合器を設ける。  
【０１７６】
V型式（６３）の加工体（１）の前後に向けてV型式鋼材からなるフェンスの支柱を新たに固定するボルト用の下孔（４６）を上部に１箇所設ける。V型式の加工体（１）の下孔にフェンスの本体と支柱を固定する製品に付属しているボルト固定用の下孔（４７）を縦長に１箇所設ける。正方形の底板（３）の中央部分に凸部（９６）を設ける。凸部の上部に軸ボルト（７）取り付け用のねじ孔（９）を１箇所きざむ。凸部の側面の一方に軸ボルト着脱ボルト（１３）用のねじ孔（１４）をきざむ。正方形の底板（３）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。正方形の底板（３）の角に前面を向けてV型式の加工体（１）を溶接固定する。溶接部分の研磨及び腐食防止処理を施す。軸ボルト（７）だけを軸ボルト取り付けよう用のねじ孔（９）に取り付ける。軸ボルト着脱ボルト（１３）を軸ボルト着脱用のねじ孔（１４）に取り付ける。水平調節ボルト（８）をねじ孔（６）に取り付けた、角地や鈍角地に使用する中間柱用（４９）の軸ボルト着脱式のボルト固定式結合器を設ける。
【０１７７】
Ｌ型式（６４）の加工体（１）の二方向の上部に、Ｌ型式鋼材からなるフェンス用の門扉の本体と門扉の柱を固定する製品に付属しているボルト固定用の下孔（８０）を２箇所ずつ設ける。二方向の下部にフェンスを固定する製品に付属しているボルト固定用の下孔（５０）を縦長に１箇所ずつ設ける。底板（３）の中央に軸ボルト（７）取り付け用のねじ孔（９）を１箇所きざむ。底板（３）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。軸ボルト（７）に座金付長ナット（１６）を取り付ける。座金付長ナットを取り付けた軸ボルト（７）を軸ボルト取り付け用のねじ孔（９）に取り付ける。座金付長ナット（１６）の下部を底板（３）に溶接固定する。Ｌ型式の加工体（１）と底板（３）を溶接固定する。溶接部分の研磨及び腐食防止処理を施す。軸ボルト着脱ボルト（１３）を軸ボルト着脱用のねじ孔（１４）に取り付ける。水平調節ボルト（８）をねじ孔（６）に取り付けた、フェンスの端柱とフェンス用の門扉の柱兼用タイプ用（５１）の軸ボルト着脱式のボルト固定式結合器を設ける。
【０１７８】
Ｌ型式（６４）の加工体（１）の二方向の上部に、Ｌ型式鋼材からなるフェンス用の門扉の本体と門扉の柱を固定する製品に付属しているボルト固定用の下孔（８０）を２箇所ずつ設ける。二方向の下部にフェンスを固定する製品に付属しているボルト固定用の下孔（５０）を縦長に１箇所ずつ設ける。底板（３）の中央に軸ボルト（３６）取り付け用のねじ孔（９）を１箇所きざむ。底板（３）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。軸ボルト（３６）だけを結合器固定用のねじ孔（９）に取り付ける。軸ボルト着脱金具（１８）を軸ボルト着脱ボルト（１３）で軸ボルト（３６）のねじ孔（１４）に取り付ける。軸ボルト着脱金具（１８）と底板（３）を固定する下孔（４４）を設ける。着脱金具（１８）を回転できるように底板（３）に固定する。Ｌ型式の加工体（１）と底板（３）を溶接固定する。溶接部分の研磨及び腐食防止処理を施す。水平調節ボルト（８）をねじ孔（６）に取り付けた、フェンスの端柱とフェンス用の門扉の柱兼用タイプ用（５１）の軸ボルト着脱式のボルト固定式結合器を設ける。
【０１７９】
Ｌ型式（６４）の加工体（１）の二方向の上部に、Ｌ型式鋼材からなるフェンス用の門扉の本体と門扉の柱を固定する製品に付属しているボルト固定用の下孔（８０）を２箇所ずつ設ける。二方向の下部にフェンスを固定する製品に付属しているボルト固定用の下孔（５０）を縦長に１箇所ずつ設ける。底板（３）の中央部分に凸部（９６）を設ける。凸部の上部に軸ボルト（７）取り付け用のねじ孔（９）を１箇所きざむ。凸部の側面の一方に軸ボルト着脱ボルト（１３）取り付け用のねじ孔（１４）をきざむ。底板（３）に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。Ｌ型式の加工体（１）と底板（３）を溶接固定する。溶接部分の研磨及び腐食防止処理を施す。軸ボルト（７）だけを軸ボルト取り付け用のねじ孔（９）に取り付ける。軸ボルト着脱ボルト（１３）を軸ボルト着脱用のねじ孔（１４）に取り付ける。水平調節ボルト（８）をねじ孔（６）に取り付けた、フェンスの端柱とフェンス用の門扉の柱兼用タイプ用（５１）の軸ボルト着脱式のボルト固定式結合器を設ける。
【０１８０】
V型式（６３）の一体型式加工体（１５）のV型部分の前後に向けてV型式鋼材からなるフェンスの支柱を新たに固定するボルト用の下孔（４６）を上部に１箇所設ける。V型部分の下部にフェンスの本体と支柱を固定する製品に付属しているボルト固定用の下孔（４７）を縦長に１箇所設ける。底部（１２）の中央に軸ボルト（７）取り付け用のねじ孔（９）を１箇所設ける。底部（１２）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。軸ボルト（７）だけを結合器固定用のねじ孔（９）に直接に溶接固定する。溶接部分に腐食防止処理を施す。水平調節ボルト（８）をねじ孔（６）に取り付けた、中間柱（４８）用の軸ボルト固定式のボルト固定式結合器を設ける。  
【０１８１】
V型式（６３）の軸棒一体型式加工体（４０）のV型部分の前後に向けてV型式鋼材からなるフェンスの支柱を新たに固定するボルト用の下孔（４６）を上部に１箇所設ける。V型部分の下部にフェンスの本体と支柱を固定する製品に付属しているボルト固定用の下孔（４７）を縦長に１箇所設ける。軸棒一体型式加工体の底部（１２）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。軸棒にねじ溝をきざみ軸ボルトにする。水平調節ボルト（８）をねじ孔（６）に取り付けた、中間柱用（４８）の軸ボルト固定式のボルト固定式結合器を設ける。
【０１８２】
正方形の底部（１２）の角に前面を向けて設けたV型式（６３）の一体型式加工体（１５）のV型部分の前後に向けてV型式鋼材からなるフェンスの支柱を新たに固定するボルト用の下孔（４６）を上部に１箇所設ける。V型部分の下部にフェンスの本体と支柱を固定する製品に付属しているボルト固定用の下孔（４７）を縦長に１箇所設ける。底部（１２）の中央に軸ボルト（７）取り付け用のねじ孔（９）を１箇所設ける。底部（１２）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。軸ボルト（７）だけを軸ボルト取り付け用のねじ孔（９）に直接に溶接固定する。溶接部分に腐食防止処理を施す。水平調節ボルト（８）をねじ孔（６）に取り付けた、角地や鈍角地に使用する中間柱用（４９）の軸ボルト固定式の回転式結合器を設ける。
【０１８３】
正方形の底部（１２）の角に前面を向けて設けたV型式（６３）の軸棒一体型式加工体（４０）のV型部分の前後に向けてV型式鋼材からなるフェンスの支柱を新たに固定するボルト用の下孔（４６）を上部に１箇所設ける。V型部分の下部にフェンスの本体と支柱を固定する製品に付属しているボルト固定用の下孔（４７）を縦長に１箇所設ける。軸棒にねじ溝を設け軸ボルトにする。底部（１２）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。水平調節ボルト（８）をねじ孔（６）に取り付けた、角地や鈍角地に使用する中間柱用（４９）の軸ボルト固定式のボルト固定式結合器を設ける。
【０１８４】
Ｌ型式（６４）の一体型式加工体（１５）のＬ型部分の二方向の上部に、Ｌ型式鋼材からなるフェンス用の門扉の本体と門扉の柱を固定する製品に付属しているボルト固定用の下孔（８０）を２箇所ずつ設ける。二方向の下部にフェンスの本体を固定する製品に付属しているボルト固定用の下孔（５０）を縦長に１箇所ずつ設ける。底部（１２）の中央に軸ボルト（７）取り付け用のねじ孔（９）を１箇所きざむ。底部（１２）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。軸ボルト（７）だけを軸ボルト取り付け用のねじ孔（９）に直接に溶接固定する。溶接部分に腐食防止処理を施す。水平調節ボルト（８）をねじ孔（６）に取り付けた、フェンスの端柱とフェンス用の門扉の柱兼用タイプ用（５１）の軸ボルト固定式のボルト固定式結合器を設ける。
【０１８５】
Ｌ型式（６４）の軸棒一体型式加工体（４０）のＬ型部分の二方向の上部に、Ｌ型式鋼材からなるフェンス用の門扉の本体と門扉の柱を固定する製品に付属しているボルト固定用の下孔（８０）を２箇所ずつ設ける。二方向の下部にフェンスの本体を固定する製品に付属しているボルト固定用の下孔（５０）を縦長に１箇所ずつ設ける。底部（１２）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。軸棒にねじ溝をきざみ軸ボルトにする。水平調節ボルト（８）をねじ孔（６）に取り付けた、フェンスの端柱とフェンス用の門扉の柱兼タイプ用（５１）の軸ボルト固定式のボルト固定式結合器を設ける。
【０１８６】
V型式（６３）の一体型式加工体（１５）のV型部分の前後に向けてV型式鋼材からなるフェンスの支柱を新たに固定するボルト固定用の下孔（４６）を上部に１箇所設ける。V型部分の下部にフェンスの本体と支柱を固定する製品に付属しているボルト固定用の下孔（４７）を縦長に１箇所設ける。底部（１２）の中央に軸ボルト（７）取り付け用のねじ孔（９）を１箇所きざむ。底部（１２）の三方向に結合器固定ボルトを通す下孔（４）を３箇所設ける。水平調節ボルト（８）取り付け用のねじ孔（６）を結合器固定ボルトを通す下孔（４）と下孔（４）の中間の三方向に３箇所きざむ。座金付長ナット（１６）に軸ボルト着脱用のねじ孔（１４）をきざむ。軸ボルト（７）に座金付長ナット（１６）を取り付ける。座金付長ナットを取り付けた軸ボルトを軸ボルト取り付け用のねじ孔（９）に取り付ける。座金付長ナット（１６）の下部を底板（３）に溶接固定する。溶接部分に腐食防止処理を施す。軸ボルト着脱ボルト（１３）を軸ボルト着脱用のねじ孔（１４）に取り付ける。水平調節ボルト（８）を水平調節ボルト取り付け用のねじ孔（６）に取り付けた、中間柱用（４８）の軸ボルト着脱式のボルト固定式結合器を設ける。
【０１８７】
V型式（６３）の一体型式加工体（１５）のV型部分の前後に向けてV型式鋼材からなるフェンスの支柱を新たに固定するボルト固定用の下孔（４６）を上部に１箇所設ける。V型部分の下部にフェンスの本体と支柱を固定する製品に付属しているボルト固定用の下孔（４７）を縦長に１箇所設ける。底部（１２）の中央に軸ボルト（３６）取り付け用のねじ孔（９）を１箇所きざむ。底部（１２）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。軸ボルト着脱金具（１８）と底部（１２）を固定する下孔（４４）を設ける。軸ボルト（３６）だけを軸ボルト取り付け用のねじ孔（９）に取り付ける。軸ボルト着脱金具（１８）を軸ボルト着脱ボルト（１３）で軸ボルト（３６）のねじ孔（１４）に取り付ける。軸ボルト着脱金具（１８）を回転できるように底部（１２）に固定する。水平調節ボルト（８）をねじ孔（６）に取り付けた、中間柱用（４８）の軸ボルト着脱式のボルト固定式結合器を設ける。
【０１８８】
V型式（６３）の一体型式加工体（１５）のV型部分の前後に向けてV型式鋼材からなるフェンスの支柱を新たに固定するボルト固定用の下孔（４６）を上部に１箇所設ける。V型部分の下部にフェンスの本体と支柱を固定する製品に付属しているボルト固定用の下孔（４７）を縦長に１箇所設ける。底部（１２）の中央部分に凸部（９６）を設ける。凸部の上部に軸ボルト（７）取り付け用のねじ孔（９）を１箇所きざむ。凸部の側面の一方に軸ボルト着脱ボルト（１３）取り付け用のねじ孔（１４）をきざむ。底部（１２）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。軸ボルト（７）だけを軸ボルト取り付け用のねじ孔（９）に取り付ける。軸ボルト着脱ボルト（１３）を軸ボルト着脱用のねじ孔（１４）に取り付ける。水平調節ボルト（８）をねじ孔（６）に取り付けた、中間柱用（４８）の軸ボルト着脱式のボルト固定式結合器を設ける。
【０１８９】
Ｌ型式（６４）の一体型式加工体（１５）の二方向の上部に、Ｌ型式鋼材からなるフェンス用の門扉の本体と門扉の柱を固定する製品に付属しているボルト固定用の下孔（８０）を２箇所ずつ設ける。二方向の下部にフェンスを固定する製品に付属しているボルト固定用の下孔（５０）を縦長に１箇所ずつ設ける。底部（１２）の中央に軸ボルト（７）取り付け用のねじ孔（９）を１箇所きざむ。底部（１２）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。軸ボルト（７）に座金付長ナットを取り付ける。座金付長ナットを取り付けた軸ボルトを軸ボルト取り付け用のねじ孔（９）に取り付ける。座金付長ナット（１６）の下部を底部（１２）に溶接固定する。溶接部分に腐食防止処理を施す。軸ボルト着脱ボルト（１３）を軸ボルト着脱用のねじ孔（１４）に取り付ける。水平調節ボルト（８）をねじ孔（６）に取り付けた、フェンスの端柱とフェンス用の門扉の柱兼用タイプ用（５１）の軸ボルト着脱式のボルト固定式結合器を設ける。
【０１９０】
Ｌ型式（６４）の一体型式加工体（１５）の二方向の上部に、Ｌ型式鋼材からなるフェンス用の門扉の本体と門扉の柱を固定する製品に付属しているボルト固定用の下孔（８０）を２箇所ずつ設ける。二方向の下部にフェンスを固定する製品に付属しているボルト固定用の下孔（５０）を縦長に１箇所ずつ設ける。底部（１２）の中央に軸ボルト（３６）取り付け用のねじ孔（９）を１箇所きざむ。底部（１２）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。軸ボルト着脱金具（１８）と底部（１２）を固定する下孔（４４）を設ける。軸ボルト（３６）だけを軸ボルト取り付け用のねじ孔（９）に取り付ける。軸ボルト着脱金具（１８）を軸ボルト着脱ボルト（１３）で軸ボルト（３６）のねじ孔（１４）に取り付ける。着脱金具（１８）を回転できるように底部（１２）に固定する。水平調節ボルト（８）をねじ孔（６）に取り付けた、フェンスの端柱とフェンス用の門扉の柱兼用タイプ用（５１）の軸ボルト着脱式のボルト固定式結合器を設ける。
【０１９１】
Ｌ型式（６４）の一体型式加工体（１５）の二方向の上部に、Ｌ型式鋼材からなるフェンス用の門扉の本体と門扉の柱を固定する製品に付属しているボルト固定用の下孔（８０）を２箇所ずつ設ける。二方向の下部にフェンスを固定する製品に付属しているボルト固定用の下孔（５０）を縦長に１箇所ずつ設ける。底部（１２）の中央部分に凸部（９６）を設ける。凸部の上部に軸ボルト（７）取り付け用のねじ孔（９）を１箇所きざむ。凸部の側面の一方に軸ボルト着脱ボルト（１３）取り付け用のねじ孔（１４）をきざむ。底部（１２）の三方向に結合器固定ボルトを通す下孔（４）を３箇所設ける。水平調節ボルト（８）取り付け用のねじ孔（６）を結合器固定ボルトを通す下孔（４）と下孔（４）の中間部の三方向に３箇所きざむ。軸ボルト（７）だけを軸ボルト取り付け用のねじ孔（９）に取り付ける。軸ボルト着脱ボルト（１３）を軸ボルト着脱用のねじ孔（１４）に取り付ける。水平調節ボルト（８）をねじ孔（６）に取り付けた、フェンスの端柱とフェンス用の門扉の柱兼用タイプ用（５１）の軸ボルト着脱式のボルト固定式結合器を設ける。          
【０１９２】
（イ）中空型式（１９）の加工体（１）に設ける製品固定用の下孔（２）や切り欠き孔（１０）、切り欠き部（１７）の型をとり、型加工の段階で下孔（２）や切り欠き孔（１０）、切り欠き部（１７）を設けるまたは一部の下孔付の加工体（１）を設けることがある。
（ロ）中空型式（１９）の軸棒一体型式底板（３８）に設けるねじ孔（６）、下孔（４）の孔と軸ボルトに設けるねじ溝用の型をとり、型加工の段階でねじ孔（６）、下孔（４）付の軸ボルト一体型式の底板を設ける、または、ねじ孔（６）付の軸ボルト一体型式の底板、または下孔（４）付の軸ボルト一体型式の底板、または軸ボルト一体型式の底板を設けることがある。
（ハ）中空型式（１９）の一体型式加工体（１５）の側面に設ける製品固定用の下孔（２）や切り欠き孔（１０）、切り欠き部（１７）及び底部（１２）に設けるねじ孔（９）、（６）、下孔（４）、水抜き孔（５）用の型をとり、型加工段階で側面に下孔（２）や切り欠き孔（１０）、切り欠き部（１７）及び底部（１２）にねじ孔（９）、ねじ孔（６）、下孔（４）、水抜き孔（５）付の中空型式（１９）の一体型式加工体（１５）を設けるまたは一部の下孔付の一体型式加工体（１５）を設けることがある。
（ニ）中空型式（１９）の軸棒一体型式加工体（４０）側面に設ける製品固定用の下孔（２）や切り欠き孔（１０）、切り欠き部（１７）及び底部（１２）に設けるねじ孔（６）、下孔（４）、水抜き孔（５）用の型をとり、型加工段階で側面に下孔（２）、切り欠き孔（１０）、切り欠き部（１７）及び底部（１２）にねじ孔（６）、下孔（４）、水抜き孔（５）付の中空型式（１９）の軸棒一体型式加工体（４０）を設けるまたは一部の下孔付の軸棒一体型式を設けることがある。
（ホ）上記（ニ）記載の型に、底部（１２）の軸棒に設ける軸ボルト用のねじ溝の型をとり、型加工の段階で下孔（２）や切り欠き孔（１０）、切り欠き部（１７）及びねじ孔（６）、下孔（４）、水抜き孔（５）付きの軸ボルト一体型式の結合器を設けるまたは一部の下孔と軸ボルト一体型式加工体を設けることがある。
（ヘ）V型式（６３）及びL型式（６４）に設ける下孔等も上記記載同様に設けることがある。
（ト）駐車場ミラー用やのぼり旗用のポールをねじ式固定するねじ溝付のパイプ型式（５２）の型をとり、ねじ溝付きの中空型式（１９）の加工体を設けることがある。
（チ）駐車場ミラー用やのぼり旗用のポールをねじ式固定する、ねじ溝及び底部（１２）のねじ孔（６）、下孔（４）、水抜き孔（５）付きの中空型式（１９）の一体型式加工体（１５）の型をとり、型加工の段階でねじ溝やねじ孔（６）、下孔（４）、水抜き孔（５）付き及び側面にねじ溝付きの一体型式加工体を設けるまたは一部の下孔付きの側面にねじ溝付の一体型式加工体を設けることがある。
（リ）駐車場ミラー用やのぼり旗用のポールをねじ式固定する、ねじ溝と底部（１２）のねじ孔（６）、下孔（４）、水抜き孔（５）、底部の裏側に設ける軸棒付の中空型式（１９）の軸棒一体型式加工体の型をとり、型加工の段階で側面のねじ溝及び底部のねじ孔（６）、下孔（４）、水抜き孔（５）付きの軸棒一体型式加工体を設けまたは一部の下孔付きの軸棒一体型式加工体を設けることがある。
（ヌ）駐車場ミラー用やのぼり旗用のポールをねじ式固定するねじ溝と底部（１２）のねじ孔（６）、下孔（４）、水抜き孔（５）、軸棒に設ける軸ボルト用のねじ溝付の中空型式（１９）の型をとり、型加工の段階で側面のねじ溝及びねじ孔（６）、下孔（４）、水抜き孔（５）付きの軸ボルト一体型式の結合器を設けるまたは一部の下孔付きの軸ボルト一体型式の加工体を設けることがある。
上記記載の型加工に必要な金属注入口または注入孔や型用の補強孔、凸凹が生じた場合、金属で補い、補修や研磨及び腐食防止処理を施すものである。
【０１９３】
中空型式（１９）のボルト固定式結合器に設ける側面の下孔（２）は、製品のフェンスや門扉、手すりの支柱及び標識用や案内板用、のぼり旗用のポールをボルト固定式結合器に差し込む製品の内径用を使用する場合に直接下孔（２）を利用し、製品を固定することができるものである。
中空型式（１９）のボルト固定式結合器にはめ込む製品の外径用を使用する場合は、現場でボルト固定式結合器の側面の下孔（２）の位置に合わせて製品にドリルで下孔を設けるまたは製品に下孔を設け、さらにボルト固定式結合器に設けた下孔（２）を無私して下孔を設け、製品を固定することになるものである。
このとき、丸パイプ型式及び角パイプ型式の製品に設ける孔位置出しが容易ではないため、製品の外径に合わせ、なおボルト固定式結合器の下孔（２）の位置に合わせて下孔を設けた中空型のポリカーボネート系のものを附属品として設けるものである。また傾斜地の角度に合わせ、ポリカーボネート系の附属品を切断し、製品の角度調節加工に利用し、傾斜地対応用（３７）に製品を取り付けるためのものである。
底部（１２）の板厚を厚く設けるボルト固定式結合器用に、底部（１２）の外径の上部から中部にかけて、危険防止のために、面（５５）を設けるものがある。
また、既存固定面の孔位置出し及び孔空け用に、製品用に設ける底板（３）または底部（１２）と同形状に設けた独立した底板に、下孔（４）、ねじ孔（９）、（６）よりも若干小さい下孔を設けたものを加工具として付属する。
ボルト固定式結合器の端、切り欠き孔（１０）部、切り欠き部（１７）は、指を怪我しないように設けるものである。
ボルト固定式結合器を壁際や塀際等に使用する場合、ドライバー等の工具を塀際や壁際からボルト固定式結合器の側面に差して製品を固定できないところ用に、側面から指でボルトを取り付けて、ねじまわし等で締め付け固定ができるようにするための下孔（２）をねじ孔にするものがある。
【０１９４】
軸ボルト固定式のボルト固定式結合器は、１０センチのブロック塀等の天端の厚みから取り付けできるように設けるものである。
軸ボルト着脱式のボルト固定式結合器は、壁際や塀際または障害物があり、結合器を回転させることができない箇所または壁や塀などと極力隙間を無くして製品を取り付ける場合用に設けるものである。
水平調節ボルトは、短いボルト（８）をボルト固定式結合器に取り付けるものであり、長さが異なるボルトを１種類付属する。なお、使用の際にボルト固定式結合器の底部の天端とボルトの首下に隙間が生じることが有り得るため既存固定面に打ち込み水平調節ボルトを固定することもできるコンクリート埋め込みプラグを付属するものである。
一般用（２１）の円形以外の底板（３）及び底部（１２）に設ける水平調節ボルト取り付け用のねじ孔（６）は、バランスを考慮して設けることがある。
壁や塀などがある角地用（２２）及び塀の天端の角地用（２３）に設ける、ねじ孔（６）、下孔（４）は、バランスを考慮して設けるものである。なお、軸ボルト着脱式のボルト固定式結合器である。
壁や塀などがある角地用（２２）及び塀の天端の角地用（２３）以外の図面の説明は、１種類または２種類で示しているものであり、本説明の種類の底板及び底部を自由に設けることができるものである。
中空型式（１９）の側面に設ける下孔（２）などの中空部分の図面の説明は、丸パイプ型式または角パイプ型式だけで示しているものであり、図面の説明に記していない本説明の丸パイプ型式及び角パイプ型式を自由に設けることができるものである。
V型式（６３）及びL型式（６４）も上記同様に設けることができるものである。
【０１９５】
保持ボルトの仕様。
（イ）保持ボルト（３３）は、ボルトの頭を大きめの三角形に設けた角に面を設ける。次に面を設けた角と角の中間にねじまわしを差す溝を３箇所設けたものである。また、ねじまわしはボルトの頭に差し込める形状に設ける。さらに、保持ボルト（３３）を締める際は反時計まわりに設ける。また、コンクリート打ち込みナットも保持ボルトを固定できるように反時計まわりに設けるものである。
（ロ）保持ボルト（３４）は、一般的な形状をしたボルトの頭の中央に下孔（７１）を設ける。また、ボルトの頭を覆い隠すクギ付きのドーム型覆い（７２）を設ける。
上記記載のものを、標識用、案内板用のポールのいたずら防止用に付属品として設けるものである。
【０１９６】
錠受け（４１）の仕様。
（イ）コンクリート埋め込み式の錠受け（４１）の上部にツバ（６７）を左右対称に設ける。ツバにビス止め固定用のねじ孔（７３）を設ける。
（ロ）錠受け（４１）に取り付ける中空体（６８）を設ける。中空体（６８）の上部にリングを設ける。中空体（６８）を錠受け（４１）に落とし込むために、中空体の側面の下部からリングの裏側までツバ（６７）の幅よりも若干大きめの切り欠き溝（７６）を左右対称に設ける。切り欠き溝の上部のリング部分にビスを通す下孔（７７）を左右対称に設ける。中空体（６８）の前後の側面の下部から中間部にかけて錠掛け板（６９）を上下させる縦長の切り欠き欠き溝（７８）を設け、さらに、錠を掛けるために錠掛け板（６９）を一時的に止める欠き溝（７８）を時計まわりに延長する。
（ハ）中空体に取り付ける錠掛け板（６９）を設ける。錠掛け板の上部の角に面を設ける。錠掛け板の上部に錠を掛ける縦長の孔（７９）を設ける。錠掛け板の下部の左右に凸部（８１）を左右対称に設ける。
（ニ）錠受けカバー（７０）を設ける。錠受け（４１）のツバ（６７）に設けたねじ孔（７３）の位置に合わせてビス止め固定用の下孔（８２）を設ける。錠受けカバー（７０）に錠掛け板（６９）を上下させる切り欠き溝（８３）を設ける。
組み立て方法。
錠掛け板（６９）の凸部を下にして中空体（６８）の切り欠き溝（７８）に差し込む。次に錠受け（４１）に落とし込む。次に錠受けカバーの下孔（８２）と中空体のビス止を通す下孔（７７）と錠受け（４１）のねじ孔（７３）の位置を合わせ、ビスで固定する。また、板を引き上げるために釣り針状のものを設ける。
上記記載のものを、車止めのいたずら防止用に付属品として設けるものである。
【０１９７】
塀とスチール製のフェンスの支柱用の後付け固定金具（８５）の仕様。
（イ）後付け固定金具（８５）の両端に面（８６）を設ける。後付け固定金具の縦部と底部の左右にチョウバン式の中空部分（８７）を設ける。後付け固定金具の縦部と底部の中心部分にボルト固定式結合器の軸ボルト（７）及びコンクリート打ち込み固定ボルト（４３）、既存フェンスに取り付けられている本体と支柱を固定するボルトを通す細長い下孔（８８）を設ける。
（ロ）腕板（７４）の片側の端に後付け固定金具（８５）固定用のチョウバン式の中空部分（８７）を設ける。腕板（７４）の反対側に受け板（７５）取り付け用のチョウバン式の中空部分（８７）を設ける。
（ハ）受け板（７５）の片方の端に腕板（７４）固定用のチョウバン式の中空部分（８７）を設ける。受け板（７５）の中央部分に既存フェンスのボルトを通す下孔（８９）を横長または縦長に設ける。
（ニ）後付け固定金具（８５）と腕板（７４）及び腕板と受け板（７５）を固定するボルト（８４）とナットを設ける。既存フェンスの本体と支柱を固定しているボルトが短くて固定できない場合ように、長めのボルトとナット及びコンクリート打ち込みナット（３９）とボルト（４３）を付属する。
組み立て方法。
腕板（７４）と受け板（７５）を付属しているボルト（８４）とナットで固定する。次に腕板（７４）に後付け固定金具（４０）を付属しているボルト、ナットで固定する。
後付け固定金具（８５）は組み替えができるように設けるものである。
上記記載のものを駐車場ミラーやのぼり旗のポール用及びポール独立型式（２７）用に付属品として設けるものである。
【０１９８】
ナット（３９）付きコンクリート体（２４）は、円柱の形と角柱の形の型枠を設ける。型枠に生コンクリートを流し込む。生コンクリート面に製品別の結合器固定用の下孔（４）の位置に合わせ、ナット（３９）を３箇所設ける。さらにコンクリート体（２４）の中央にナット（３９）打ち込み固定用の下孔（１０７）を設けたものと、軸ボルト（７）取り付け用のナット（３９）だけを設けた２種類を設ける。なお、コンクリート一体型になるため成人男性が持ち運びできる程度の重量に設けるものであり、据え置き使用はできないものである。
上記記載のコンクリート体（２４）を駐車場ミラー用やのぼり旗のポール用及びポール独立型式（２７）用に付属品として設けるものである。
【０１９９】
ポール独立型式（２７）は軽くて持ち運びや固定が容易にでき、室内や塀の天端や金属面にも固定できるように設けるものや駐車場等に車止めとして使用できるもの及びフェンスや手すりの支柱に使用できるボルト固定式結合器を設けるものである。
【０２００】
軸ボルト（７）取り付け用のナット（３９）及びボルト固定式結合器固定用のボルト（４３）とコンクリート打ち込みナット（３９）を付属するものである。
なお、軸ボルト（７）取り付け用のナット（３９）とボルト固定式結合器に、固定方向用の目印（９５）を設けるものである。
【０２０１】
中空型式（１９）の傾斜地対応用（３７）の回転止め金具（５９）の両側にノコギリの刃の形をした、スライド板（６０）が下にだけ移動することができる切り欠き部（９３）を設ける。
スライド板（６０）は、回転止め金具（５９）の切り欠き部の上部から差し込み、回転止め金具に設けた切り欠き部（９３）の一山ごとに下部に移動、固定ができるように、スライド板の両側に切り欠き部（９４）を設ける。
中空型式（１９）の傾斜地対応用（３７）の加工体（１）の側面に設ける下孔（２）を前後に各２箇所ずつ、左右に１箇所ずつ設け、左右に取り付けるスライド板（６０）の中央部分に縦長の細い切り欠き溝を下孔（２）の変わりに設けることがある。また加工体（１）の左右の側面に設ける下孔（２）は、回転止め金具（５９）を貫いて設けるものである。
丸パイプ型式（６５）の傾斜地対応用（３７）の横軸（５６）取り付け用の下孔（５７）の上部に、製品に付属しているボルトを通す下孔（４５）を設けるものがある。
角パイプ型式（６６）の傾斜地対応用（３７）の加工体（１）の前後に設ける下孔（２）及び下孔（５７）以外に、製品に付属している部品を避ける切り欠き部（１７）を設けるものがある。
V型式（６３）及びL型式（６４）の加工体（１）部分を長くすることで支柱として使用することができるものである。
本発明は以上の構成よりなる。
以下、本発明を使用する場合の説明をする。
【実施例１】
【０２０２】
軸ボルト固定式のボルト固定式結合器をコンクリートたたき面等の既存固定面に使用する場合は、先に、フェンスや門扉、手すりの支柱及び車止めや標識用や案内板用、駐車場ミラー用、のぼり旗用のポールの埋め込み部分を切断する。次に加工具を支柱やポールにはめ込みボルト固定式結合器の下孔（２）に固定する下孔の目印を設け、加工具を取り外す。次に支柱やポールに下孔を設け、切断部分の腐食防止処理をする。次に既存固定面に軸ボルト（７）取り付け用のナット（３９）を固定する位置出しをする。次に結合器に付属しているコンクリート打ち込みナット（３９）を取り外す。次に結合器とナット（３９）に同じ番号を設ける。次に既存固定面にナット（３９）固定用の下孔を設ける。次にナット（３９）を既存固定面にナットの目印（９５）と固定方向を合わせ打ち込み固定する。次に結合器の軸ボルトをナット（３９）に回転させ取り付ける。次に水平調節ボルト（８）で凸凹や緩い傾斜地部分の水平調節をする。次に結合器固定ボルトを通す下孔（４）の上部から既存固定面にナット（３９）を固定する下孔を設け、さらにナット（３９）を打ち込み固定する。次に結合器をボルト（４３）で固定する。この時点でポール独立型式（２７）のボルト固定式結合器の取り付け作業は終了となる。最後に製品をボルト固定式結合器に固定する。
製品の内径用の場合は、加工具を利用する必要は無い。
なお、V型式（６３）、L型式（６４）のボルト固定式結合器を使用する場合も同様である。また、底部を振れ止めに利用し、軸ボルト（７）だけを固定することで簡易車止め及び簡易柵として使用ができるものである。
【実施例２】
【０２０３】
軸ボルト着脱式のボルト固定式結合器をコンクリートたたき面等の既存固定面に使用する場合は、先に、フェンスや門扉、手すりの支柱及び車止めや標識用や案内板用、駐車場ミラー用、のぼり旗用のポールの埋め込み部分を切断し、ボルト固定式結合器に固定する下孔を側面に設け、切断部分の腐食防止処理をする。次に既存固定面に軸ボルト取り付け用のナット（３９）を固定する位置出しをする。次に結合器の軸ボルトと付属しているコンクリート打ち込みナット（３９）を取り外す。次に結合器と軸ボルト及びナット（３９）に同じ番号を設ける。次に既存固定面にナット（３９）固定用の下孔を設ける。次にナット（３９）を既存固定面にナットの目印（９５）と固定方向を合わせ打ち込み固定する。次に結合器を既存固定面に取り付け方向を定め持ち置きし、切り欠き孔（１０）または中空部分の上部から軸ボルトをねじ孔（９）、さらにナット（３９）に取り付ける。次に水平調節ボルト（８）で凸凹や緩い傾斜地部分の水平調節をする。次に結合器固定ボルトを通す下孔（４）の上部から既存固定面にナット（３９）を固定する下孔を設け、さらにナット（３９）を打ち込み固定する。次に結合器をボルト（４３）で固定する。この時点でポール独立型式（２７）のボルト固定式結合器の取り付け作業は終了となる。最後に製品をボルト固定式結合器に固定する。
このとき、壁や塀等の障害物があり、下孔（４）を利用して既存固定面にナット（３９）固定用の下孔を設けることができない場合は、結合器を既存固定面に持ち置きし、障害になるナット（３９）を固定する下孔用の目印を設け、結合器を移動する。次にナット（３９）固定用の下孔を設け、さらにナット（３）を打ち込み固定する。次に結合器を取り付ける。次に上記記載同様、障害にならないナット（３９）固定用の下孔を、下孔（４）を利用して設け作業を継続する。この遣り方は、既存固定面に設けるナット（３９）固定の下孔がズレない用に設ける遣り方である。
製品の外径用を使用する場合は、加工具を利用することで作業が容易になる。
なお、V型式（６３）、L型式（６４）のボルト固定式結合器を使用する場合も同様である。また、底部を振れ止めに利用し、軸ボルト（７）だけを固定することで簡易車止め、簡易柵として使用ができるものである。
【実施例３】
【０２０４】
中空型式（１９）の傾斜地対応用（３７）のボルト固定式結合器をフェンス及び手すりの支柱に使用する場合は、先に、ボルト固定式結合器に付属するポリカーボネート系の加工具を、角度を微調整できるように電動カッター等で切断し、傾斜角度に合わせ調節加工する。次に加工具をフェンス及び手すりの支柱にはめ込み切断部分の目印及び製品固定用の下孔の目印を設け、加工具を取り外す。次に埋め込み部分を切断し、結合器に固定する下孔を側面に設け、切断部分の腐食防止処理をする。次に既存傾斜固定面に軸ボルト（７）取り付け用のナット（３９）を固定する位置出しをする。次に結合器に付属しているコンクリート打ち込みナット（３９）を取り外す。次に結合器とナット（３９）に同じ番号を設ける。次に既存傾斜固定面に軸ボルト取り付け用のナット（３９）を固定する下孔を傾斜角度に対し、垂直に設ける。次にナット（３９）を既存傾斜固定面にナットの目印（９５）と固定方向を合わせ打ち込み固定する。次に結合器の軸ボルトをナット（３９）に回転させ取り付ける。次に水平調節ボルト（８）で凸凹部分の水平調節をする。次に結合器固定用の下孔（４）の上部から既存固定面にナット（３９）を固定する下孔を傾斜角度に対し、垂直に設け、ナット（３９）を打ち込み固定する。次に結合器を垂直に保ち回転止め金具（５９）のスライド板（６０）を傾斜部分に下げる。次に結合器をボルト（４３）で固定する。最後に製品をボルト固定式結合器に固定する。
スライド板（６０）を傾斜部分に下げた際に、下げすぎて角度がずれた場合は、一度ボルト固定式結合器を取り外し、スライド板（６０）を再度回転止め金具（５９）の上部から取り付けることになる。
【実施例４】
【０２０５】
駐車場ミラー用やのぼり旗用のポール及びポール独立型式（２７）用の後付け固定金具（８５）を既存フェンスの支柱に使用する場合は、図（７０）参照。
先に、既存フェンスの下部の本体と支柱を固定しているボルト及びナットを取り外す。次に腕板（７４）に受け板（７５）を取り付ける。次に既存フェンスの下部の空間から受け板を敷地外に出す。次に腕板に後付け固定金具（８５）に面（８６）を設けた部分を敷地内に向け取り付ける。次に後付け固定金具の下孔（８８）とフェンスの支柱のボルト孔と受け板の下孔（８９）を合わせ、ボルトを差し、ナットで固定する。次にボルト固定式結合器の軸ボルトを後付け固定金具の下孔に固定し、のぼり旗などのポールを固定する。
なお、後付け固定金具、腕板、受け板は、組み換えができるため、既存フェンスの支柱の下部の左右からの使用ができる。なお、フェンスの下部の空間が狭く、利用できない場合は、フェンスの下部の横枠の上部の網目から腕板を差し、固定ができるものである。
既存コンクリート塀やコンクリート仕上げの壁に使用する方法。図（７１）参照。
先に、既存コンクリート塀やコンクリート仕上げの壁にナット（３９）を設ける。次に後付け固定金具（８５）の下孔とナット（３９）のねじ孔を合わせ、ボルト（４３）で後付け固定金具を固定し、ボルト固定式結合器を取り付け、のぼり旗などのポールを取り付ける。
【実施例５】
【０２０６】
保持ボルト（３４）を使用する場合は、保持ボルト（３４）をコンクリート打ち込みナット（３９）に固定し、ドーム型覆いのクギ部をボルトの頭に設けた下孔（７１）に合わせ、カナズチ等で覆いの頭をたたき固定する。なお、保持ボルト（３４）を取り外す場合は、覆いの上部のクギの部分を切断して取り外すものである。
【実施例６】
【０２０７】
錠受け金具（４１）を使用する場合は、錠掛け板（６９）を釣り針状のもので引き上げ時計まわりに錠掛け板（６９）を回転させ板を止め、錠を取り付ける。なお、錠受け金具にチリ、ホコリが詰まった場合はビスを取り外し、中空体（６８）を取り出して洗浄ができるものである。
【実施例７】
【０２０８】
軸ボルト（７）取り付け用のコンクリート打ち込みナット（３９）を固定する下孔（９０）及びボルト固定式結合器固定用のナット（３９）を設けたコンクリート体（２４）を使用する場合は、先に、駐車場ミラー用、のぼり旗用のポールの埋め込み部分を切断し、結合器に固定する下孔を側面に設け、切断部分の腐食防止処理をする。次に既存固定面にコンクリート体（２４）を埋め込む穴を設け、コンクリート体（２４）を埋め込み固定する。次に結合器の軸ボルト（７）に付属しているナット（３９）を取り外し、結合器とナット（３９）に同じ番号を設ける。次にコンクリート体（２４）の結合器固定用のナット（３９）と結合器固定ボルト用の下孔（４）の位置を合わせ、さらに軸ボルト取り付け用のナット（３９）の固定方向を定めナット（３９）を打ち込み固定する。次に軸ボルト（７）を回転させ取り付ける。次にボルト固定式結合器をボルト（４３）でコンクリート体（２４）に固定する。この時点でポール独立型式（２７）の作業は終了となる。最後に駐車場ミラー用やのぼり旗用のポールを固定する。
軸ボルト（７）取り付け用のコンクリート打ち込みナット（３９）だけを設けたコンクリート体（２４）使用する場合は、先に、のぼり旗用のポールの埋め込み部分を切断し、ボルト固定式結合器に固定する下孔を側面に設け、切断部分の腐食防止処理をする。次に既存固定面にコンクリート体（２４）を埋め込む穴を設け、コンクリート体（２４）を埋め込み固定する。次に結合器の軸ボルト（７）に付属しているナット（３９）を取り外し、結合器とナット（３９）に同じ番号を設ける。次に軸ボルト（７）を回転させ、コンクリート体（２４）に締め付け固定する。この時点でポール独立型式（２７）の簡易ポールとしての作業は終了となる。最後にのぼり旗用のポールを固定して簡易のぼり旗用のポールの完成となる。
このとき、結合器固定用の下孔（４）を利用してナット（３９）用の下孔を設け、さらにナット（３９）を設けることでボルト固定式結合器を固定することもできる。
【実施例８】
【０２０９】
既存固定面にナット（３９）用の下孔を設け、結合器に付属しているコンクリート打ち込みナット（３９）を取り付けたまま既存固定面に固定することができるが、中空部分等の変形を避けるためナット（３９）を取り外すものである。
また、製品を取り付け、取り外しする際、既存固定箇所に結合器に設けた番号と同じ番号を設けることで結合器の下孔（４）と既存固定面に設けた結合器固定ボルトを固定するナット（３９）の位置が一致するものである。なお、目印（９５）と製品を固定する方向を定め既存固定面にナット（３９）を設けるのも、製品に付属しているボルトやフェンス等の本体が一定方向に固定できるようにするためである。
傾斜地対応用（３７）以外のボルト固定式結合器（１１）に合わせ、製品の支柱やポール等を製造することで、製品の埋め込み部分の切断等は無くなるものである。
駐車場ミラー用及びのぼり旗用のポール用等にボルト固定式結合器の側面にねじ溝を設けたものを使用する場合は、駐車場ミラー用及びのぼり旗用のポール等にねじ溝を設けたものを製造し、使用できるようにするものである。
【産業上の利用可能性】
【０２１０】
本発明を使用することで、従来から常識とされてきた既存コンクリート等を砕いたり、穴を設ける必要が無くなり、なお、廃棄物が無くなることで予算等を削減できることで景気低迷が続くなかでも需要があると考えられるものである。
また、二世帯住居のための一戸建て住宅のリフォームや人口の減少に伴い、一戸建て住宅の賃貸のために外部空間のリフォーム需要があると考えられるものである。
【図面の簡単な説明】
【０２１１】
【図１】本発明の中空型式（１９）の丸パイプ型式（６５）の軸ボルト固定式のボルト固定式結合器（１１）を示した斜視図である。
【図２】本発明の中空型式（１９）の角パイプ型式（６５）の軸ボルト固定式のボルト固定式結合器（１１）を示した斜視図である。
【図３】本発明のV型式（６３）の軸ボルト固定式のボルト固定式結合器（１１）を示した斜視図である。
【図４】本発明のL型式（６４）の軸ボル固定式のフェンスの端柱とフェンス用の門扉の柱兼用タイプ（５１）のボルト固定式結合器（１１）を示した斜視図である。
【図５】本発明に必須であるパイプ型式（５２）及び本発明に付属する加工具の形状を示した斜視図である。
【図６】本発明に必須である底部の内側に補強のために板を設けた、パイプ加工型式（５３）を示した斜視図である。
【図７】本発明の底板（３）及び底部（１２）に設ける、ねじ孔（９）の下孔（９７）及びねじ孔（６）の下孔（９８）の位置関係を示した、裏側から見た平面図である。
【図８】本発明の底板（３）及び底部（１２）に設ける、下孔（４）、（４４）、水抜き孔（５）及びねじ孔（９）、（６）の全体の位置関係を示した、裏側から見た平面図である。
【図９】本発明に必須である一体型式加工体（１５）及びねじ孔（９）、（６）を示した断面図である。
【図１０】本発明の軸棒一体型式加工体（４０）を示した正面図である。
【図１１】本発明の中空型式（１９）の丸パイプ型式（６５）の軸ボルト固定式のボルト固定式結合器（１１）を示した平面図である。
【図１２】図１１記載の水平調節ボルト（８）取り付けを示した、A‐Bの横断面図である。
【図１３】本発明の中空型式（１９）の底板（３）及び底部（１２）に座金付長ナット（１６）を設けた、軸ボルト着脱式のボルト固定式結合器（１１）を示した横断面図である。
【図１４】本発明の中空型式（１９）の底板（３）及び底部（１２）に凸部（９６）を設けた、軸ボルト着脱式のボルト固定式結合器（１１）を示した横断面図である。
【図１５】本発明の中空型式（１９）の丸パイプ型式（６５）の底板（３）及び底部（１２）に着脱金具（１８）を設けた、軸ボルト着脱式のボルト固定式結合器（１１）を示した平面図である。
【図１６】本発明の底板（３）及び底部（１２）に着脱金具（１８）を設けた、図１５記載のC‐Dの横断面図である。
【図１７】本発明の底板（３）及び底部（１２）に軸ボルト（３６）及び着脱金具（１８）を設け、さらに軸ボルト着脱ボルト（１３）を設ける、図１５記載のE‐Fの縦断面図である。
【図１８−１】本発明の一般用（２１）に設ける、底板（３）及び底部（１２）の形状を示した平面図である。
【図１８−２】本発明の一般用（２１）に設ける、底板（３）及び底部（１２）の形状を示した平面図である。
【図１８−３】本発明の一般用（２１）に設ける、底板（３）及び底部（１２）の形状を示した平面図である。
【図１９−１】本発明の一般用（２１）に設ける、底板（３）及び底部（１２）の丸四角形（２５）の形状を示した平面図である。
【図１９−２】本発明の一般用（２１）に設ける、底板（３）及び底部（１２）の丸四角形（２５）の形状を示した平面図である。
【図２０】本発明の製品の内径用に設ける、底板（３）及び（１２）底部の傾斜地や平地補強用（３５）を示した正面図である。
【図２１−１】本発明の塀の天端の角地用（２３）に設ける、底板（３）の形状を示した平面図である。
【図２１−２】本発明の塀の天端の角地用（２３）に設ける、底板（３）の形状を示した平面図である。
【図２１−３】本発明の塀の天端の角地用（２３）に設ける、底板（３）の形状を示した平面図である。
【図２２】ナット（３９）に固定する、結合器固定ボルト（４３）を示した正面図である。
【図２３】本発明の軸ボルトに付属する、コンクリート面に打ち込み固定するナット（３９）を示した断面図である。
【図２４−１】本発明の塀の天端の角地用（２３）に設ける結合器（１１）の位置関係を示した斜視図である。
【図２４−２】本発明の塀の天端の角地用（２３）に設ける結合器（１１）の位置関係を示した斜視図である。
【図２４−３】本発明の塀の天端の角地用（２３）に設ける結合器（１１）の位置関係を示した斜視図である。
【図２４−４】本発明の塀の天端の角地用（２３）に設ける結合器（１１）の位置関係を示した斜視図である。
【図２４−５】本発明の塀の天端の角地用（２３）に設ける結合器（１１）の位置関係を示した斜視図である。
【図２５】市場に流通しているV型式鋼材（２０）からなるフェンスの支柱を示した平面図である。
【図２６】本発明のV型式（６３）の角地や鈍角地に使用する中間柱用（４９）のボルト固定式結合器（１１）の方向を示した平面図である。
【図２７】本発明のV型式（６３）の中間柱用（４８）のボルト固定式結合器（１１）の方向を示した平面図である。
【図２８】本発明のL型式（６４）のボルト固定式結合器の方向を示した平面図である。
【図２９】市場に流通している標識用のポールをコンクリート基礎ブロック（５４）を使用して舗装面などに固定した基礎部の断面図及びポールを示した正面図である。
【図３０】市場に流通している案内板を舗装面などに据え置きした基礎部の断面図及び案内板を示した正面図である。
【図３１】市場に流通している駐車場ミラーのポールを舗装面などに固定した基礎部の断面図及び正面図である。
【図３２】市場に流通している車止め専用の差し込み型式金具（３０）を示した斜視図である。
【図３３】舗装面などに差し込み型式金具（３０）を埋め込み固定し、市場に流通している車止め（９９）を差し込み型式金具（３０）に差した基礎部の断面図及び車止めの正面図である。
【図３４】市場に流通している車止め専用の落とし込み型式金具（３１）を示した斜視図である。
【図３５】舗装面などに落とし込み型式金具（３１）を埋め込み固定し、市場に流通している車止め（９９）を落とし込み型式金具（３１）に差し、さらに金具（３１）にカバーをボルトで固定する基礎部の断面図及び車止めを矢印で示すように上下させる正面図である。
【図３６】市場に流通している車止めの着脱ができる可動型式金具（２９）を示した斜視図である。
【図３７】着脱ができる可動型式金具（２９）を舗装面などに固定し、市場に流通している車止め（９９）を着脱ができる可動型式金具（２９）にボルトで固定した基礎部の断面図及び車止めの正面図である。
【図３８−１】手すりの支柱をコンクリートたたき面に固定する製造者側に存在する着脱ができる可動型式金具（２９）を示した斜視図である。
【図３８−２】フェンスや手すりの支柱を塀の天端に固定する製造者側または施工者側が製造する着脱ができる可動型式金具（２９）を示した斜視図である。
【図３９】塀に着脱ができる可動型式金具（２９）を固定した側面の断面図及びフェンスや手すりの支柱（１００）を金具（２９）に差し、ボルトで固定する側面図である。
【図４０】市場に流通している製品のコンクリート埋め込み型式（２６）を舗装面などに穴を設け、固定する場合の基礎部の断面図及び製品の正面図である。
【図４１】コンクリート面にナット（３９）を打ち込み固定した基礎部の断面図及び製造者側または施工者側が製造する製品一体型式の可動型式（２８）をボルト（４３）で固定する正面図である。
【図４２】本発明の底板（３）及び底部（１２）に設ける面（５５）を示した正面図である。
【図４３】市場に流通しているまたは金属を加工したL字型式金具（３２）を示した斜視図である。
【図４４】コンクリート面にナット（３９）を打ち込み固定した基礎部の断面図及びL字型式金具をボルト（４３）で固定し、製品を固定した正面図である。
【図４５】市場に流通しているV字型式鋼材（２０）からなるフェンスの支柱をコンクリート面に埋め込み固定した基礎部の断面図及び支柱とフェンスを固定している製品に付属しているボルト（１０１）を示した正面図である。
【図４６】市場に流通している丸パイプ型式からなるフェンスの支柱をコンクリート面に埋め込み固定した基礎部の断面図及び支柱とフェンスを固定している製品に付属しているボルト（１０１）を示した正面図である。
【図４７】市場に流通している角パイプ型式からなるフェンスの支柱（１００）をブロック塀に固定し、市場に流通しているフェンス（１０２）を支柱に取り付ける全体の展開図を示した斜視図である。
【図４８】は、図４７記載のA部分を拡大した支柱（１００）の上部から下部に付属している部品（１０４）の位置を示した斜視図である。
【図４９】は、図４７記載のA部分を拡大した平面図である。
【図５０】は、図４７記載の基礎部の横断面図及びフェンスの支柱の下部に付属している部品を示したB部分の側面図及びB部分にフェンスの本体を取り付ける側面図である。
【図５１】コンクリート面（１０６）にナット（３９）を固定し、本発明のボルト固定式結合器を固定し、重量がある門扉の支柱をボルト固定式結合器にはめ込み、門扉の支柱に後付け固定金具（８５）を設けた全体の展開図を示した斜視図である。
【図５２】本発明の丸パイプ型式（６５）のポール独立型式（２７）に着脱ができる目隠しふた（９１）を設ける斜視図である。
【図５３】本発明の角パイプ型式（６６）のポール独立型式（２７）に着脱ができる目隠しふた（９１）を設ける斜視図である。
【図５４】本発明の製品に付属しているボルト（１０１）を通す下孔（４５）及び切り欠き孔（１０）を示した斜視図である。
【図５５−１】本発明の製品に付属している部品（１０４）を避ける切り欠き部（１７）及び切り欠き孔（１０）を示した斜視図である。
【図５５−２】本発明の製品に付属している部品（１０４）を避ける切り欠き部（１７）及び切り欠き孔（１０）を示した斜視図である。
【図５６】本発明の傾斜地対応用（３７）に下孔（２）を設ける前の全体の展開図を示した斜視図である。
【図５７】本発明の傾斜地対応用（３７）のV字形部の下部に横軸（５６）を設け、さらに軸ボルトに固定する斜視図である。
【図５８】本発明の傾斜地対応用（３７）のボルト固定式結合器（１１）を傾斜地部分に取り付けた基礎部の横断面図及びボルト固定式結合器を示した横断面図である。
【図５９】市場に流通している、コンクリート基礎ブロック（５４）を示した斜視図である。
【図６０】市場に流通している、排水マス等に使用するコンクリート体（４２）を示した斜視図である。
【図６１】結合器固定ボルト（４３）を固定するナット（３９）及び軸ボルト取り付け用のナット（３９）の下孔（１０７）を設けた、本発明に付属するコンクリート体（２４）を示した斜視図である。
【図６２】軸ボルト取り付け用のナット（３９）だけを設けた、本発明に付属するコンクリート体（２４）を示した斜視図である。
【図６３】本発明に付属する保持ボルト（３４）に固定するドーム型覆い（７２）を示した平面図である。
【図６４】は、図６３記載のドーム型覆い（７２）のA‐A´を示した断面図である。
【図６５】本発明に付属する保持ボルト（３４）を示した正面図である。
【図６６】本発明に付属する保持ボルト（３３）を示した平面図である。
【図６７】本発明に付属する保持ボルト（３３）を示した斜視図である。
【図６８】本発明に付属する錠受け（４１）及び全体の展開図を示した斜視図である。
【図６９】本発明に付属する後付け固定金具（８５）及び全体の展開図を示した斜視図である。
【図７０】本発明に付属する後付け固定金具（８５）、腕板（７４）、受け板（７５）を組み立てた斜視図及びボルト固定式結合器（１１）を取り付ける斜視図である。
【図７１】本発明に付属する後付け固定金具（８５）をコンクリート塀等に固定する斜視図である。
【図７２−１】本発明の底板（３）及び底部（１２）の塀際や壁際の角地用（２２）にボルト固定式結合器（１１）を固定する位置を示した平面図である。
【図７２−２】本発明の底板（３）及び底部（１２）の塀際や壁際の角地用（２２）にボルト固定式結合器（１１）を固定する位置を示した平面図である。
【図７２−３】本発明の底板（３）及び底部（１２）の塀際や壁際の角地用（２２）にボルト固定式結合器（１１）を固定する位置を示した平面図である。
【図７３】軸棒一体型式底板（３８）を示した断面図である。
【図７４】V型式（６３）の加工体（１）を示した斜視図である。
【図７５】L型式（６３）の加工体（１）示した斜視図である。
【図７６】本発明のボルト固定式結合器及びナット（３９）に設ける目印（９５）を示した底板または底部の裏側から見た斜視図である。
【図７７】目印（９５）を設けたナット（３９）を取り外した、ボルト固定式結合器（１１）の底板または底部の裏側から見た斜視図である。
【図７８】本発明の丸パイプ型式（６５）のボルト固定式結合器（１１）にフェンス等の支柱（１００）をはめ込む、製品の外径用を示した斜視図である。
【図７９】本発明を支柱用に使用する丸パイプ型式（６５）のポール独立型式（２７）のボルト固定式結合器（１１）を示した斜視図である。
【符号の説明】
【０２１２】
１      底板（３）と固定する独立した、加工体
２      製品を結合器に固定する下孔
３      加工体（１）と固定する独立した、底板
４      結合器固定ボルトを通す下孔
５      水抜き孔
６      水平調節ボルト取り付け用のねじ孔
７      軸ボルト
８      水平調節ボルト
９      軸ボルト取り付け用のねじ孔
１０    道具の差し入れ出し用の切り欠き孔
１１    ボルト固定式結合器
１２    加工体と底板（３）を型加工で一体型に設けた、底部
１３    軸ボルト着脱ボルト  
１４    軸ボルト着脱ボルト（１３）取り付け用のねじ孔（軸ボルト着脱用のねじ孔）
１５    加工体（１）と底板（３）を型加工で一体型に設けた、一体型式加工体
１６    座金付長ナット
１７    製品に付属している部品を避ける切り欠き部
１８    軸ボルト着脱金具
１９    中空型式
２０    V型式鋼材からなるフェンスの支柱
２１    底板、底部の一般用
２２    底板、底部の角地用
２３    底板、底部の塀の天端の角地用
２４    本発明に付属品として設ける、コンクリート体
２５    底板、底部の丸角四角形
２６    コンクリート埋め込み型式
２７    ポール独立型式のボルト固定式結合器
２８    製品一体型式の可動式
２９    着脱ができる可動型式
３０    差し込み型式金具
３１    落とし込み型式金具
３２    L字型式金具
３３    保持ボルト
３４    保持ボルト
３５    底板に設ける、傾斜地及び平地補強用
３６    軸ボルト着脱用のねじ孔（１４）を設けた軸ボルト
３７    傾斜地対応用のボルト固定式結合器
３８    軸棒と底板（３）を型加工で一体型に設けた、軸棒一体型式底板
３９    コンクリート打ち込みナット
４０    底板（３）と加工体（１）及び軸棒を型加工で一体型に設けた、軸棒一体型式加工体
４１    錠受け
４２    コンクリート体
４３    結合器固定ボルト、（一般的に使用しているボルト）
４４    底板、底部に設ける、軸ボルト着脱金具（１８）取り付け用の下孔
４５    製品に付属しているボルト（１０１）を通す下孔
４６    V型式支柱を新たに固定するボルト用の下孔
４７    V型式の製品に付属しているボルト固定用の下孔
４８    V型式の中間柱用
４９    V型式の角地及び鈍角地に使用する中間柱用
５０    V型式のフェンスを固定する製品に付属しているボルト固定用の下孔
５１    V型式のフェンスの端柱とフェンス用の門扉の柱兼用タイプ
５２    パイプ型式
５３    パイプ加工型式
５４    コンクリート基礎ブロック
５５    底板、底部に設ける面
５６    傾斜地対応用に設ける横軸
５７    傾斜地対応用に設ける横軸取り付け用の下孔
５８    傾斜地対応用に設けるV字形の切り欠き部
５９    傾斜地対応用に設ける回転止め金具
６０    傾斜地対応用に設けるスライド板
６１    傾斜地対応用に設ける補強板
６２    傾斜地対応用に設ける止め板
６３    V型式の加工体（１）
６４    Ｌ型式の加工体（１）  
６５    丸パイプ型式
６６    角パイプ型式
６７    錠受けに設けるツバ
６８    錠受けに付属する、中空体
６９    錠受けに付属する、錠掛け板
７０    錠受けに付属する、錠受けカバー
７１    保持ボルト（３４）に設ける下孔
７２    保持ボルト（３４）に付属する、ドーム型覆い
７３    ツバ（６８）に設けるビス止め固定用のねじ孔
７４    後付け固定金具に付属する、腕板
７５    後付け固定金具に付属する、受け板
７６    錠受けに付属する中空体に設ける切り欠き溝
７７    錠受けに付属する中空体に設けるビスを通す下孔
７８    錠掛け板を上下させる切り欠き溝
７９    錠掛け板に設ける錠を掛ける切り欠き溝
８０    L型式（６４）に設ける門扉の本体と柱を固定する製品に付属しているボルト固定用の下孔
８１    錠掛け板に設ける凸部
８２    錠受けカバーに設けるビス止め固定用の下孔
８３    錠掛け板を上下させる切り欠き溝
８４    後付け固定金具と腕板を固定及び腕板と受け板を固定するボルト
８５    後付け固定金具
８６    後付け固定金具に設ける面
８７    後付け固定金具、腕板、受け板に設けるチョウバン式の中空部分
８８    後付け金具に設けるボルト（８４）及び軸ボルトを通す細長い下孔
８９    受け板に設けるボルト（８４）を通す細長い下孔
９０    コンクリート体（２４）に設けるコンクリート打ち込みナット（３９）用の下孔
９１    切り欠き孔（１０）部に設ける、目隠しふた    
９３    回転止め金具に設けるノコギリの刃の形状の切り欠き部
９４    スライド板に設けるノコギリの刃の形状の切り欠き部
９５    底板、底部の裏側及びナット（３９）に設ける取り付け方向用の、目印                
９６    底板、底部の軸ボルト取り付け部分に設ける、凸部
９７    ねじ孔（９）を設けるための下孔
９８    ねじ孔（６）を設けるための下孔
９９    市場に流通している製品の車止め
１００  市場に流通している製品の支柱
１０１  市場に流通している製品の支柱に付属しているボルト
１０２  市場に流通している製品のフェンス
１０３  市場に流通している製品のフェンスと製品の支柱を固定する製品に付属している金具
１０４  市場に流通している製品に付属している金具を固定する部品
１０５  市場に流通している製品の門扉の支柱
１０６  ナット（３９）を固定するコンクリート面
【図１】
2005264643.tif 000003
【図２】
2005264643.tif 000004
【図３】
2005264643.tif 000005
【図４】
2005264643.tif 000006
【図５】
2005264643.tif 000007
【図６】
2005264643.tif 000008
【図７】
2005264643.tif 000009
【図８】
2005264643.tif 000010
【図９】
2005264643.tif 000011
【図１０】
2005264643.tif 000012
【図１１】
2005264643.tif 000013
【図１２】
2005264643.tif 000014
【図１３】
2005264643.tif 000015
【図１４】
2005264643.tif 000016
【図１５】
2005264643.tif 000017
【図１６】
2005264643.tif 000018
【図１７】
2005264643.tif 000019
【図１８−１】
2005264643.tif 000020
【図１８−２】
2005264643.tif 000021
【図１８−３】
2005264643.tif 000022
【図１９−１】
2005264643.tif 000023
【図１９−２】
2005264643.tif 000024
【図２０】
2005264643.tif 000025
【図２１−１】
2005264643.tif 000026
【図２１−２】
2005264643.tif 000027
【図２１−３】
2005264643.tif 000028
【図２２】
2005264643.tif 000029
【図２３】
2005264643.tif 000030
【図２４−１】
2005264643.tif 000031
【図２４−２】
2005264643.tif 000032
【図２４−３】
2005264643.tif 000033
【図２４−４】
2005264643.tif 000034
【図２４−５】
2005264643.tif 000035
【図２５】
2005264643.tif 000036
【図２６】
2005264643.tif 000037
【図２７】
2005264643.tif 000038
【図２８】
2005264643.tif 000039
【図２９】
2005264643.tif 000040
【図３０】
2005264643.tif 000041
【図３１】
2005264643.tif 000042
【図３２】
2005264643.tif 000043
【図３３】
2005264643.tif 000044
【図３４】
2005264643.tif 000045
【図３５】
2005264643.tif 000046
【図３６】
2005264643.tif 000047
【図３７】
2005264643.tif 000048
【図３８−１】
2005264643.tif 000049
【図３８−２】
2005264643.tif 000050
【図３９】
2005264643.tif 000051
【図４０】
2005264643.tif 000052
【図４１】
2005264643.tif 000053
【図４２】
2005264643.tif 000054
【図４３】
2005264643.tif 000055
【図４４】
2005264643.tif 000056
【図４５】
2005264643.tif 000057
【図４６】
2005264643.tif 000058
【図４７】
2005264643.tif 000059
【図４８】
2005264643.tif 000060
【図４９】
2005264643.tif 000061
【図５０】
2005264643.tif 000062
【図５１】
2005264643.tif 000063
【図５２】
2005264643.tif 000064
【図５３】
2005264643.tif 000065
【図５４】
2005264643.tif 000066
【図５５−１】
2005264643.tif 000067
【図５５−２】
2005264643.tif 000068
【図５６】
2005264643.tif 000069
【図５７】
2005264643.tif 000070
【図５８】
2005264643.tif 000071
【図５９】
2005264643.tif 000072
【図６０】
2005264643.tif 000073
【図６１】
2005264643.tif 000074
【図６２】
2005264643.tif 000075
【図６３】
2005264643.tif 000076
【図６４】
2005264643.tif 000077
【図６５】
2005264643.tif 000078
【図６６】
2005264643.tif 000079
【図６７】
2005264643.tif 000080
【図６８】
2005264643.tif 000081
【図６９】
2005264643.tif 000082
【図７０】
2005264643.tif 000083
【図７１】
2005264643.tif 000084
【図７２−１】
2005264643.tif 000085
【図７２−２】
2005264643.tif 000086
【図７２−３】
2005264643.tif 000087
【図７３】
2005264643.tif 000088
【図７４】
2005264643.tif 000089
【図７５】
2005264643.tif 000090
【図７６】
2005264643.tif 000091
【図７７】
2005264643.tif 000092
【図７８】
2005264643.tif 000093
【図７９】
2005264643.tif 000094